(57)【要約】  通信システムにおけるアップリンク伝送のための方法および装置が開示される。端末の動作方法は、ｎ個のフレキシブルシンボルを指示する第１ＳＦＩ情報を基地局から受信する段階、ｎ個のフレキシブルシンボル中のｍ個のシンボルをＵＬ（ｕｐｌｉｎｋ）シンボルとして再指示する第２ＳＦＩ情報を基地局から受信する段階、およびフレキシブルシンボルとして指示されたｎ個のフレキシブルシンボルのうちＵＬシンボルとして再指示されたｍ個のシンボルを通じてＳＲＳを基地局に伝送する段階を含む。
2021520707.tif 000002
【特許請求の範囲】
【請求項１】
通信システムにおける端末の動作方法であって、
ｎ個のフレキシブルシンボルを指示する第１ＳＦＩ（ｓｌｏｔ  ｆｏｒｍａｔ  ｉｎｄｉｃａｔｏｒ）情報を基地局から受信する段階；
ＳＲＳ（ｓｏｕｎｄｉｎｇ  ｒｅｆｅｒｅｎｃｅ  ｓｉｇｎａｌ）を前記基地局に伝送するように設定するＳＲＳ設定メッセージを前記基地局から受信する段階；
前記ｎ個のフレキシブルシンボルのうちｍ個のシンボルをＵＬ（ｕｐｌｉｎｋ）シンボルとして再指示する第２ＳＦＩ情報を前記基地局から受信する段階；および
フレキシブルシンボルとして指示された前記ｎ個のフレキシブルシンボルのうち、ＵＬシンボルとして再指示された前記ｍ個のシンボルを通じて前記ＳＲＳを前記基地局に伝送する段階を含み、
前記ｎおよび前記ｍそれぞれは自然数である、端末の動作方法。
【請求項２】
前記第１ＳＦＩ情報および前記第２ＳＦＩ情報に基づいて設定されるスロットを構成するシンボルのうちｋ個のシンボルは前記ＳＲＳの伝送のために設定され、前記ＳＲＳは前記ｋ個のシンボルのうち前記ＵＬシンボルとして再指示された前記ｍ個のシンボルを使って伝送され、前記ＳＲＳは前記ｋ個のシンボルのうち前記フレキシブルシンボルで伝送されず、前記ｋは２以上の整数である、請求項１に記載の端末の動作方法。
【請求項３】
前記第２ＳＦＩ情報は、前記ｎ個のフレキシブルシンボルのうち前記ｍ個のシンボルを除いた残りのシンボルをＤＬ（ｄｏｗｎｌｉｎｋ）シンボルまたはフレキシブルシンボルとして再指示する、請求項１に記載の端末の動作方法。
【請求項４】
前記第２ＳＦＩ情報は、ＤＣＩ（ｄｏｗｎｌｉｎｋ  ｃｏｎｔｒｏｌ  ｉｎｆｏｒｍａｔｉｏｎ）フォーマット（ｆｏｒｍａｔ）２＿０を通じて受信される、請求項１に記載の端末の動作方法。
【請求項５】
前記ＤＣＩフォーマット２＿０の受信のために必要な情報要素は上位階層メッセージを通じて前記基地局から受信され、前記情報要素は前記ＤＣＩフォーマット２＿０のためのＣＯＲＥＳＥＴ（ｃｏｎｔｒｏｌ  ｒｅｓｏｕｒｃｅ  ｓｅｔ）情報および探索空間情報を含む、請求項４に記載の端末の動作方法。
【請求項６】
前記ＳＲＳ設定メッセージは、スロット内で前記ＳＲＳが伝送される最初のシンボルを指示する情報および前記スロット内で前記ＳＲＳが伝送されるシンボルの個数を指示する情報を含む、請求項１に記載の端末の動作方法。
【請求項７】
通信システムにおける基地局の動作方法であって、
ｎ個のフレキシブルシンボルを指示する第１ＳＦＩ（ｓｌｏｔ  ｆｏｒｍａｔ  ｉｎｄｉｃａｔｏｒ）情報を端末に伝送する段階；
ＳＲＳ（ｓｏｕｎｄｉｎｇ  ｒｅｆｅｒｅｎｃｅ  ｓｉｇｎａｌ）を前記基地局に伝送するように設定するＳＲＳ設定メッセージを前記端末に伝送する段階；
前記ｎ個のフレキシブルシンボルのうちｍ個のシンボルをＵＬ（ｕｐｌｉｎｋ）シンボルとして再指示する第２ＳＦＩ情報を前記端末に伝送する段階；および
フレキシブルシンボルとして指示された前記ｎ個のフレキシブルシンボルのうち、ＵＬシンボルとして再指示された前記ｍ個のシンボルを通じて前記ＳＲＳを前記端末から受信する段階を含み、
前記ｎおよび前記ｍそれぞれは自然数である、基地局の動作方法。
【請求項８】
前記第１ＳＦＩ情報および前記第２ＳＦＩ情報に基づいて設定されるスロットを構成するシンボルのうちｋ個のシンボルは前記ＳＲＳの伝送のために設定され、前記ＳＲＳは前記ｋ個のシンボルのうち前記ＵＬシンボルとして再指示された前記ｍ個のＵＬシンボルを通じて受信され、前記ＳＲＳのための受信動作は前記ｋ個のシンボルのうち前記フレキシブルシンボルで遂行されず、前記ｋは２以上の整数である、請求項７に記載の基地局の動作方法。
【請求項９】
前記第２ＳＦＩ情報は、前記ｎ個のフレキシブルシンボルのうち前記ｍ個のシンボルを除いた残りのシンボルをＤＬ（ｄｏｗｎｌｉｎｋ）シンボルまたはフレキシブルシンボルとして再指示する、請求項７に記載の基地局の動作方法。
【請求項１０】
前記第２ＳＦＩ情報はＤＣＩ（ｄｏｗｎｌｉｎｋ  ｃｏｎｔｒｏｌ  ｉｎｆｏｒｍａｔｉｏｎ）フォーマット（ｆｏｒｍａｔ）２＿０を通じて伝送され、前記ＤＣＩフォーマット２＿０の受信のために必要な情報要素は上位階層メッセージを通じて前記端末に伝送され、前記情報要素は前記ＤＣＩフォーマット２＿０のためのＣＯＲＥＳＥＴ（ｃｏｎｔｒｏｌ  ｒｅｓｏｕｒｃｅ  ｓｅｔ）情報および探索空間情報を含む、請求項７に記載の基地局の動作方法。
【請求項１１】
前記ＳＲＳ設定メッセージは、スロット内で前記ＳＲＳが伝送される最初のシンボルを指示する情報および前記スロット内で前記ＳＲＳが伝送されるシンボルの個数を指示する情報を含む、請求項７に記載の基地局の動作方法。
【請求項１２】
通信システムにおける端末の動作方法であって、
第１伝送ブロックのための第１資源割当情報を含む第１ＤＣＩ（ｄｏｗｎｌｉｎｋ  ｃｏｎｔｒｏｌ  ｉｎｆｏｒｍａｔｉｏｎ）を基地局から受信する段階；
前記第１伝送ブロックのための第２資源割当情報を含む第２ＤＣＩを前記基地局から受信する段階；および
前記第２資源割当情報によって指示される第２ＰＵＳＣＨ（ｐｈｙｓｉｃａｌ  ｕｐｌｉｎｋ  ｓｈａｒｅｄ  ｃｈａｎｎｅｌ）を通じて前記第１伝送ブロックを前記基地局に伝送する段階を含み、
前記第１資源割当情報によって指示される第１ＰＵＳＣＨが占有する資源は前記第２ＰＵＳＣＨが占有する資源と異なる、端末の動作方法。
【請求項１３】
前記第１ＰＵＳＣＨがＵＣＩ（ｕｐｌｉｎｋ  ｃｏｎｔｒｏｌ  ｉｎｆｏｒｍａｔｉｏｎ）の伝送のために割当された場合、前記第１ＰＵＳＣＨは伝送されない、請求項１２に記載の端末の動作方法。
【請求項１４】
前記第１ＰＵＳＣＨがＵＣＩの伝送のために割当された場合、前記ＵＣＩは前記第１ＰＵＳＣＨの代わりにＰＵＣＣＨ（ｐｈｙｓｉｃａｌ  ｕｐｌｉｎｋ  ｃｏｎｔｒｏｌ  ｃｈａｎｎｅｌ）を通じて伝送される、請求項１２に記載の端末の動作方法。
【請求項１５】
前記第１ＰＵＳＣＨがＵＣＩの伝送のために割当された場合、前記ＵＣＩは前記第１ＰＵＳＣＨの代わりに前記第２ＰＵＳＣＨを通じて伝送される、請求項１２に記載の端末の動作方法。
【請求項１６】
前記第１ＤＣＩに基づいて前記第１伝送ブロックに対する第１コードブロックが生成された場合、前記第１コードブロックは前記第１ＰＵＳＣＨの代わりに前記第２ＤＣＩによって指示される前記第２ＰＵＳＣＨにマッピングされる、請求項１２に記載の端末の動作方法。
【請求項１７】
前記第１ＤＣＩに含まれたＨＡＲＱ（ｈｙｂｒｉｄ  ａｕｔｏｍａｔｉｃ  ｒｅｐｅａｔ  ｒｅｑｕｅｓｔ）プロセス識別子およびＮＤＩ（ｎｅｗ  ｄａｔａ  ｉｎｄｉｃａｔｏｒ）それぞれは、前記第２ＤＣＩに含まれたＨＡＲＱプロセス識別子およびＮＤＩと同じである、請求項１２に記載の端末の動作方法。
【請求項１８】
前記第１ＰＵＳＣＨが占有する時間資源が前記第２ＰＵＳＣＨが占有する時間資源と同じである場合、前記第２資源割当情報は前記第１ＰＵＳＣＨの開始周波数資源と前記第２ＰＵＳＣＨの開始周波数資源間のオフセットを含む、請求項１２に記載の端末の動作方法。
【請求項１９】
前記第１ＰＵＳＣＨが占有する周波数資源が前記第２ＰＵＳＣＨが占有する周波数資源と同じである場合、前記第２資源割当情報は前記第１ＰＵＳＣＨの開始時間資源と前記第２ＰＵＳＣＨの開始時間資源間のオフセットを含む、請求項１２に記載の端末の動作方法。
【請求項２０】
前記第１ＰＵＳＣＨは前記第１伝送ブロックの伝送の代わりに他の用途で使われる、請求項１２に記載の端末の動作方法。
【発明の詳細な説明】
【技術分野】
【０００１】
本発明はアップリンク伝送技術に関し、さらに詳細には通信システムにおける信頼性（ｒｅｌｉａｂｉｌｉｔｙ）の要求事項によるアップリンク伝送技術に関する。
【背景技術】
【０００２】
情報通信技術の発展とともに多様な無線通信技術が開発されている。代表的な無線通信技術として、３ＧＰＰ（３ｒｄ  ｇｅｎｅｒａｔｉｏｎ  ｐａｒｔｎｅｒｓｈｉｐ  ｐｒｏｊｅｃｔ）標準で規定されたＬＴＥ（ｌｏｎｇ  ｔｅｒｍ  ｅｖｏｌｕｔｉｏｎ）、ＮＲ（ｎｅｗ  ｒａｄｉｏ）等がある。ＬＴＥは４Ｇ（４ｔｈ  Ｇｅｎｅｒａｔｉｏｎ）無線通信技術のうちの一つの無線通信技術であり得、ＮＲは５Ｇ（５ｔｈ  Ｇｅｎｅｒａｔｉｏｎ）無線通信技術のうちの一つの無線通信技術であり得る。
【０００３】
４Ｇ通信システム（例えば、ＬＴＥを支援する通信システム）の商用化後に急増する無線データの処理のために、４Ｇ通信システムの周波数帯域（例えば、６ＧＨｚ以下の周波数帯域）だけでなく、４Ｇ通信システムの周波数帯域より高い周波数帯域（例えば、６ＧＨｚ以上の周波数帯域）を使う５Ｇ通信システム（例えば、ＮＲを支援する通信システム）が考慮されている。５Ｇ通信システムはｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）およびｍＭＴＣ（ｍａｓｓｉｖｅ  Ｍａｃｈｉｎｅ  Ｔｙｐｅ  Ｃｏｍｍｕｎｉｃａｔｉｏｎ）を支援することができる。
【０００４】
一方、第１伝送ブロックのための第１資源割当情報を含む第１ＤＣＩ（ｄｏｗｎｌｉｎｋ  ｃｏｎｔｒｏｌ  ｃｈａｎｎｅｌ）が伝送された後に第１資源割当情報によって指示される第１ＰＵＳＣＨ（ｐｈｙｓｉｃａｌ  ｕｐｌｉｎｋ  ｓｈａｒｅｄ  ｃｈａｎｎｅｌ）が他の用途で使われるものと決定された場合、第１ＰＵＳＣＨで第１伝送ブロックの伝送を中止させるための方法が必要である。
【発明の概要】
【発明が解決しようとする課題】
【０００５】
前記のような問題点を解決するための本発明の目的は、通信システムにおいて信頼性要求事項によるアップリンク伝送のための方法および装置を提供することである。
【課題を解決するための手段】
【０００６】
前記目的を達成するための本発明の第１実施例に係る端末の動作方法は、ｎ個のフレキシブルシンボルを指示する第１ＳＦＩ情報を基地局から受信する段階、ＳＲＳを前記基地局に伝送するように設定するＳＲＳ設定メッセージを前記基地局から受信する段階、前記ｎ個のフレキシブルシンボルのうちｍ個のシンボルをＵＬシンボルとして再指示する第２ＳＦＩ情報を前記基地局から受信する段階、およびフレキシブルシンボルとして指示された前記ｎ個のフレキシブルシンボルのうち、ＵＬシンボルとして再指示された前記ｍ個のシンボルを通じて前記ＳＲＳを前記基地局に伝送する段階を含み、前記ｎおよび前記ｍそれぞれは自然数である。
【０００７】
ここで、前記第１ＳＦＩ情報および前記第２ＳＦＩ情報に基づいて設定されるスロットを構成するシンボルのうちｋ個のシンボルは前記ＳＲＳ伝送のために設定され得、前記ＳＲＳは前記ｋ個のシンボルのうち前記ＵＬシンボルとして再指示された前記ｍ個のシンボルを使って伝送され得、前記ＳＲＳは前記ｋ個のシンボルのうち前記フレキシブルシンボルから伝送されなくてもよく、前記ｋは２以上の整数であり得る。
【０００８】
ここで、前記第２ＳＦＩ情報は、前記ｎ個のフレキシブルシンボルのうち前記ｍ個のシンボルを除いた残りのシンボルをＤＬシンボルまたはフレキシブルシンボルとして再指示することができる。
【０００９】
ここで、前記第２ＳＦＩ情報はＤＣＩフォーマット２＿０を通じて受信され得る。
【００１０】
ここで、前記ＤＣＩフォーマット２＿０の受信のために必要な情報要素は上位階層メッセージを通じて前記基地局から受信され得、前記情報要素は前記ＤＣＩフォーマット２＿０のためのＣＯＲＥＳＥＴ情報および探索空間情報を含むことができる。
【００１１】
ここで、前記ＳＲＳ設定メッセージは、スロット内で前記ＳＲＳが伝送される最初のシンボルを指示する情報および前記スロット内で前記ＳＲＳが伝送されるシンボルの個数を指示する情報を含むことができる。
【００１２】
前記目的を達成するための本発明の第２実施例に係る基地局の動作方法は、ｎ個のフレキシブルシンボルを指示する第１ＳＦＩ情報を端末に伝送する段階、ＳＲＳを前記基地局に伝送するように設定するＳＲＳ設定メッセージを前記端末に伝送する段階、前記ｎ個のフレキシブルシンボルのうちｍ個のシンボルをＵＬシンボルとして再指示する第２ＳＦＩ情報を前記端末に伝送する段階、およびフレキシブルシンボルとして指示された前記ｎ個のフレキシブルシンボルのうち、ＵＬシンボルとして再指示された前記ｍ個のシンボルを通じて前記ＳＲＳを前記端末から受信する段階を含み、前記ｎおよび前記ｍそれぞれは自然数である。
【００１３】
ここで、前記第１ＳＦＩ情報および前記第２ＳＦＩ情報に基づいて設定されるスロットを構成するシンボルのうちｋ個のシンボルは前記ＳＲＳ伝送のために設定され得、前記ＳＲＳは前記ｋ個のシンボルのうち前記ＵＬシンボルとして再指示された前記ｍ個のＵＬシンボルを通じて受信され得、前記ＳＲＳのための受信動作は前記ｋ個のシンボルのうち前記フレキシブルシンボルで遂行されなくてもよく、前記ｋは２以上の整数であり得る。
【００１４】
ここで、前記第２ＳＦＩ情報は、前記ｎ個のフレキシブルシンボルのうち前記ｍ個のシンボルを除いた残りのシンボルをＤＬシンボルまたはフレキシブルシンボルとして再指示することができる。
【００１５】
ここで、前記第２ＳＦＩ情報はＤＣＩフォーマット２＿０を通じて伝送され得、前記ＤＣＩフォーマット２＿０の受信のために必要な情報要素は上位階層メッセージを通じて前記端末に伝送され得、前記情報要素は前記ＤＣＩフォーマット２＿０のためのＣＯＲＥＳＥＴ情報および探索空間情報を含むことができる。
【００１６】
ここで、前記ＳＲＳ設定メッセージは、スロット内で前記ＳＲＳが伝送される最初のシンボルを指示する情報および前記スロット内で前記ＳＲＳが伝送されるシンボルの個数を指示する情報を含むことができる。
【００１７】
前記目的を達成するための本発明の第３実施例に係る端末の動作方法は、第１伝送ブロックのための第１資源割当情報を含む第１ＤＣＩを基地局から受信する段階と、前記第１伝送ブロックのための第２資源割当情報を含む第２ＤＣＩを前記基地局から受信する段階と、前記第２の資源の割当情報によって指示される第２ＰＵＳＣＨを介して前記第１伝送ブロックを前記基地局に送信する段階を含み、前記第１資源の割当情報によって指示される第１ＰＵＳＣＨが占有する資源は、前記第２ＰＵＳＣＨが占有する資源と異なる。
【００１８】
ここで、前記第１ＰＵＳＣＨがＵＣＩの伝送のために割当された場合、前記第１ＰＵＳＣＨは伝送されなくてもよい。
【００１９】
ここで、前記第１ＰＵＳＣＨがＵＣＩの伝送のために割当された場合、前記ＵＣＩは前記第１ＰＵＳＣＨの代わりにＰＵＣＣＨを通じて伝送され得る。
【００２０】
ここで、前記第１ＰＵＳＣＨがＵＣＩの伝送のために割当された場合、前記ＵＣＩは前記第１ＰＵＳＣＨの代わりに前記第２ＰＵＳＣＨを通じて伝送され得る。
【００２１】
ここで、前記第１ＤＣＩに基づいて前記第１伝送ブロックに対する第１コードブロックが生成された場合、前記第１コードブロックは前記第１ＰＵＳＣＨの代わりに前記第２ＤＣＩによって指示される前記第２ＰＵＳＣＨにマッピングされ得る。
【００２２】
ここで、前記第１ＤＣＩに含まれたＨＡＲＱプロセス識別子およびＮＤＩそれぞれは前記第２ＤＣＩに含まれたＨＡＲＱプロセス識別子およびＮＤＩと同じであり得る。
【００２３】
ここで、前記第１ＰＵＳＣＨが占有する時間資源が前記第２ＰＵＳＣＨが占有する時間資源と同じである場合、前記第２資源割当情報は前記第１ＰＵＳＣＨの開始周波数資源と前記第２ＰＵＳＣＨの開始周波数資源間のオフセットを含むことができる。
【００２４】
ここで、前記第１ＰＵＳＣＨが占有する周波数資源が前記第２ＰＵＳＣＨが占有する周波数資源と同じである場合、前記第２資源割当情報は前記第１ＰＵＳＣＨの開始時間資源と前記第２ＰＵＳＣＨの開始時間資源間のオフセットを含むことができる。
【００２５】
ここで、前記第１ＰＵＳＣＨは前記第１伝送ブロックの伝送の代わりに他の用途で使われ得る。
【発明の効果】
【００２６】
本発明によると、第１伝送ブロックのための第１資源割当情報を含む第１ＤＣＩ（ｄｏｗｎｌｉｎｋ  ｃｏｎｔｒｏｌ  ｃｈａｎｎｅｌ）が伝送された後に、第１資源割当情報によって指示される第１ＰＵＳＣＨ（ｐｈｙｓｉｃａｌ  ｕｐｌｉｎｋ  ｓｈａｒｅｄ  ｃｈａｎｎｅｌ）が他の用途で使われるものと決定された場合、基地局は第１伝送ブロックのための第２資源割当情報を含む第２ＤＣＩを端末に伝送することができる。第２資源割当情報によって指示される第２ＰＵＳＣＨが占有する資源は第１ＰＵＳＣＨが占有する資源と異なり得る。端末は基地局から第１ＤＣＩおよび第２ＤＣＩを受信することができ、第１ＤＣＩおよび第２ＤＣＩのうち最後の第２ＤＣＩに含まれた情報に基づいてＵＬ伝送を遂行することができる。この場合、第１ＰＵＳＣＨはＵＬ伝送のために使われないため、他の用途で使われ得る。したがって、通信システムの性能が向上し得る。
【図面の簡単な説明】
【００２７】
【図１】通信システムの第１実施例を図示した概念図である。
【図２】通信システムを構成する通信ノードの第１実施例を図示したブロック図である。
【図３】通信システムにおけるＵＬ伝送方法の第１実施例を図示した概念図である。
【図４】通信システムにおけるＵＬ伝送方法の第２実施例を図示した概念図である。
【図５】通信システムにおけるＵＬ伝送方法の第３実施例を図示した概念図である。
【図６】通信システムにおけるＵＬ伝送方法の第４実施例を図示した概念図である。
【図７】通信システムにおけるＵＬ伝送方法の第５実施例を図示した概念図である。
【図８】通信システムにおけるＵＬ伝送方法の第６実施例を図示した概念図である。
【図９】通信システムにおけるＵＬ伝送方法の第７実施例を図示した概念図である。
【図１０】通信システムにおけるＤＬ制御チャネルの探索空間（例えば、論理的探索空間）の第１実施例を図示した概念図である。
【図１１】通信システムにおけるＤＬ制御チャネルの探索空間（例えば、論理的探索空間）の第２実施例を図示した概念図である。
【図１２】通信システムにおけるＵＬ基準資源の第１実施例を図示した概念図である。
【図１３】通信システムにおけるＵＬ基準資源の第２実施例を図示した概念図である。
【図１４】通信システムにおけるＵＬ基準資源の第３実施例を図示した概念図である。
【図１５】通信システムにおけるＵＬ伝送方法の第８実施例を図示した概念図である。
【図１６】通信システムにおけるＵＬ制御情報のマッピング方法の第１実施例を図示した概念図である。
【図１７】通信システムにおけるＵＬ制御情報のマッピング方法の第２実施例を図示した概念図である。
【図１８】通信システムにおけるＵＬ制御情報のマッピング方法の第３実施例を図示した概念図である。
【図１９】通信システムにおけるＵＬ制御情報のマッピング方法の第４実施例を図示した概念図である。
【図２０】通信システムにおけるＵＬ制御情報のマッピング方法の第５実施例を図示した概念図である。
【図２１】通信システムにおけるＵＬ伝送方法の第９実施例を図示した概念図である。
【図２２】通信システムにおけるＵＬ伝送方法の第１０実施例を図示した概念図である。
【図２３】図２２に図示されたＵＬ伝送方法によるＵＬデータチャネル＃２の第１実施例を図示した概念図である。
【図２４】図２２に図示されたＵＬ伝送方法によるＵＬデータチャネル＃２の第２実施例を図示した概念図である。
【図２５】通信システムにおけるＵＬ伝送方法の第１１実施例を図示した概念図である。
【図２６】通信システムにおけるＵＬ伝送方法の第１２実施例を図示した概念図である。
【図２７】通信システムにおけるＳＲＳの伝送方法の第１実施例を図示したフローチャートである。
【図２８】通信システムにおけるシンボルタイプの決定方法の第１実施例を図示した概念図である。
【図２９】通信システムにおけるＵＬ伝送方法の第１３実施例を図示した概念図である。
【図３０】通信システムにおけるＵＬ制御情報のマッピング方法の第６実施例を図示した概念図である。
【発明を実施するための形態】
【００２８】
本発明は多様な変更を加えることができ、多様な実施例を有することができるところ、特定の実施例を図面に例示して詳細に説明する。しかし、これは本発明を特定の実施形態に対して限定しようとするものではなく、本発明の思想および技術範囲に含まれるすべての変更、均等物乃至代替物を含むものと理解されるべきである。
【００２９】
第１、第２等の用語は多様な構成要素の説明に使われ得るが、前記構成要素は前記用語によって限定されてはならない。前記用語は一つの構成要素を他の構成要素から区別する目的でのみ使われる。例えば、本発明の権利範囲を逸脱することなく第１構成要素は第２構成要素と命名され得、同様に第２構成要素も第１構成要素と命名され得る。および／またはという用語は複数の関連した記載された項目の組み合わせまたは複数の関連した記載された項目のうちいずれかの項目を含む。
【００３０】
ある構成要素が他の構成要素に「連結されて」いるとか「接続されて」いると言及された時には、その他の構成要素に直接的に連結されていてもよくまたは接続されていてもよいが、中間に他の構成要素が存在してもよいと理解されるべきである。反面、ある構成要素が他の構成要素に「直接連結されて」いるとか「直接接続されて」いると言及された時には、中間に他の構成要素が存在しないものと理解されるべきである。
【００３１】
本出願で使った用語は単に特定の実施例を説明するために使われたものであって、本発明を限定しようとする意図ではない。単数の表現は文脈上明白に異なることを意味しない限り、複数の表現を含む。本出願で、「含む」または「有する」等の用語は明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００３２】
異なって定義されない限り、技術的または科学的な用語を含んでここで使われるすべての用語は、本発明が属する技術分野で通常の知識を有する者によって一般的に理解されるものと同じ意味を有している。一般的に使われる辞書に定義されているような用語は、関連技術の文脈上有する意味と一致する意味を有するものと解釈されるべきであり、本出願で明白に定義しない限り、理想的または過度に形式的な意味で解釈されない。
【００３３】
以下、添付した図面を参照して、本発明の好ましい実施例をより詳細に説明する。本発明の説明において、全体的な理解を助けるために図面上の同じ構成要素に対しては同じ参照符号を付し、同じ構成要素に対して重複する説明は省略する。
【００３４】
本発明に係る実施例が適用される通信システム（ｃｏｍｍｕｎｉｃａｔｉｏｎ  ｓｙｓｔｅｍ）が説明される。本発明に係る実施例が適用される通信システムは下記で説明された内容に限定されず、本発明に係る実施例は多様な通信システムに適用され得る。ここで、通信システムは通信ネットワーク（ｎｅｔｗｏｒｋ）と同じ意味で使われ得る。
【００３５】
図１は、通信システムの第１実施例を図示した概念図である。
【００３６】
図１を参照すると、通信システム１００は複数の通信ノード１１０−１、１１０−２、１１０−３、１２０−１、１２０−２、１３０−１、１３０−２、１３０−３、１３０−４、１３０−５、１３０−６を含むことができる。複数の通信ノードは３ＧＰＰ（３ｒｄ  ｇｅｎｅｒａｔｉｏｎ  ｐａｒｔｎｅｒｓｈｉｐ  ｐｒｏｊｅｃｔ）標準で規定された４Ｇ通信（例えば、ＬＴＥ（ｌｏｎｇ  ｔｅｒｍ  ｅｖｏｌｕｔｉｏｎ）、ＬＴＥ−Ａ（ａｄｖａｎｃｅｄ））、５Ｇ通信（例えば、ＮＲ（ｎｅｗ  ｒａｄｉｏ））等を支援することができる。４Ｇ通信は６ＧＨｚ以下の周波数帯域で遂行され得、５Ｇ通信は６ＧＨｚ以下の周波数帯域だけでなく６ＧＨｚ以上の周波数帯域で遂行され得る。
【００３７】
例えば、４Ｇ通信および５Ｇ通信のために、複数の通信ノードはＣＤＭＡ（ｃｏｄｅ  ｄｉｖｉｓｉｏｎ  ｍｕｌｔｉｐｌｅ  ａｃｃｅｓｓ）基盤の通信プロトコル、ＷＣＤＭＡ（ｗｉｄｅｂａｎｄ  ＣＤＭＡ）（登録商標）基盤の通信プロトコル、ＴＤＭＡ（ｔｉｍｅ  ｄｉｖｉｓｉｏｎ  ｍｕｌｔｉｐｌｅ  ａｃｃｅｓｓ）基盤の通信プロトコル、ＦＤＭＡ（ｆｒｅｑｕｅｎｃｙ  ｄｉｖｉｓｉｏｎ  ｍｕｌｔｉｐｌｅ  ａｃｃｅｓｓ）基盤の通信プロトコル、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）基盤の通信プロトコル、Ｆｉｌｔｅｒｅｄ  ＯＦＤＭ基盤の通信プロトコル、ＣＰ（ｃｙｃｌｉｃ  ｐｒｅｆｉｘ）−ＯＦＤＭ基盤の通信プロトコル、ＤＦＴ−ｓ−ＯＦＤＭ（ｄｉｓｃｒｅｔｅ  Ｆｏｕｒｉｅｒ  ｔｒａｎｓｆｏｒｍ−ｓｐｒｅａｄ−ＯＦＤＭ）基盤の通信プロトコル、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）基盤の通信プロトコル、ＳＣ（ｓｉｎｇｌｅ  ｃａｒｒｉｅｒ）−ＦＤＭＡ基盤の通信プロトコル、ＮＯＭＡ（Ｎｏｎ−ｏｒｔｈｏｇｏｎａｌ  Ｍｕｌｔｉｐｌｅ  Ａｃｃｅｓｓ）、ＧＦＤＭ（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ）基盤の通信プロトコル、ＦＢＭＣ（ｆｉｌｔｅｒ  ｂａｎｋ  ｍｕｌｔｉ−ｃａｒｒｉｅｒ）基盤の通信プロトコル、ＵＦＭＣ（ｕｎｉｖｅｒｓａｌ  ｆｉｌｔｅｒｅｄ  ｍｕｌｔｉ−ｃａｒｒｉｅｒ）基盤の通信プロトコル、ＳＤＭＡ（Ｓｐａｃｅ  Ｄｉｖｉｓｉｏｎ  Ｍｕｌｔｉｐｌｅ  Ａｃｃｅｓｓ）基盤の通信プロトコルなどを支援することができる。
【００３８】
また、通信システム１００はコアネットワーク（ｃｏｒｅ  ｎｅｔｗｏｒｋ）をさらに含むことができる。通信システム１００が４Ｇ通信を支援する場合、コアネットワークはＳ−ＧＷ（ｓｅｒｖｉｎｇ−ｇａｔｅｗａｙ）、Ｐ−ＧＷ（ＰＤＮ（ｐａｃｋｅｔ  ｄａｔａ  ｎｅｔｗｏｒｋ）−ｇａｔｅｗａｙ）、ＭＭＥ（ｍｏｂｉｌｉｔｙ  ｍａｎａｇｅｍｅｎｔ  ｅｎｔｉｔｙ）等を含むことができる。通信システム１００が５Ｇ通信を支援する場合、コアネットワークはＵＰＦ（ｕｓｅｒ  ｐｌａｎｅ  ｆｕｎｃｔｉｏｎ）、ＳＭＦ（ｓｅｓｓｉｏｎ  ｍａｎａｇｅｍｅｎｔ  ｆｕｎｃｔｉｏｎ）、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）等を含むことができる。
【００３９】
一方、通信システム１００を構成する複数の通信ノード１１０−１、１１０−２、１１０−３、１２０−１、１２０−２、１３０−１、１３０−２、１３０−３、１３０−４、１３０−５、１３０−６それぞれは次のような構造を有することができる。
【００４０】
図２は、通信システムを構成する通信ノードの第１実施例を図示したブロック図である。
図２を参照すると、通信ノード２００は少なくとも一つのプロセッサ２１０、メモリ２２０およびネットワークと連結されて通信を遂行する送受信装置２３０を含むことができる。また、通信ノード２００は入力インターフェース装置２４０、出力インターフェース装置２５０、保存装置２６０等をさらに含むことができる。通信ノード２００に含まれたそれぞれの構成要素はバス（ｂｕｓ）２７０により連結されて互いに通信を遂行することができる。
【００４１】
ただし、通信ノード２００に含まれたそれぞれの構成要素は共通バス２７０ではなく、プロセッサ２１０を中心に個別インターフェースまたは個別バスを通じて連結されてもよい。例えば、プロセッサ２１０はメモリ２２０、送受信装置２３０、入力インターフェース装置２４０、出力インターフェース装置２５０および保存装置２６０のうち少なくとも一つと専用インターフェースを通じて連結されてもよい。
【００４２】
プロセッサ２１０はメモリ２２０および保存装置２６０のうち少なくとも一つに保存されたプログラム命令（ｐｒｏｇｒａｍ  ｃｏｍｍａｎｄ）を実行することができる。プロセッサ２１０は中央処理装置（ｃｅｎｔｒａｌ  ｐｒｏｃｅｓｓｉｎｇ  ｕｎｉｔ、ＣＰＵ）、グラフィック処理装置（ｇｒａｐｈｉｃｓ  ｐｒｏｃｅｓｓｉｎｇ  ｕｎｉｔ、ＧＰＵ）、または本発明の実施例に係る方法が遂行される専用のプロセッサを意味し得る。メモリ２２０および保存装置２６０それぞれは揮発性保存媒体および不揮発性保存媒体のうち少なくとも一つで構成され得る。例えば、メモリ２２０は読み取り専用メモリ（ｒｅａｄ  ｏｎｌｙ  ｍｅｍｏｒｙ、ＲＯＭ）およびランダムアクセスメモリ（ｒａｎｄｏｍ  ａｃｃｅｓｓ  ｍｅｍｏｒｙ、ＲＡＭ）のうち少なくとも一つで構成され得る。
【００４３】
再び図１を参照すると、通信システム１００は複数の基地局（ｂａｓｅ  ｓｔａｔｉｏｎｓ）１１０−１、１１０−２、１１０−３、１２０−１、１２０−２、複数の端末１３０−１、１３０−２、１３０−３、１３０−４、１３０−５、１３０−６を含むことができる。基地局１１０−１、１１０−２、１１０−３、１２０−１、１２０−２および端末１３０−１、１３０−２、１３０−３、１３０−４、１３０−５、１３０−６を含む通信システム１００は、「アクセスネットワーク」と称され得る。第１基地局１１０−１、第２基地局１１０−２および第３基地局１１０−３それぞれはマクロセル（ｍａｃｒｏ  ｃｅｌｌ）を形成することができる。第４基地局１２０−１および第５基地局１２０−２それぞれはスモールセル（ｓｍａｌｌ  ｃｅｌｌ）を形成することができる。第１基地局１１０−１のセルカバレッジ（ｃｅｌｌ  ｃｏｖｅｒａｇｅ）内に第４基地局１２０−１、第３端末１３０−３および第４端末１３０−４が属し得る。第２基地局１１０−２のセルカバレッジ内に第２端末１３０−２、第４端末１３０−４および第５端末１３０−５が属し得る。第３基地局１１０−３のセルカバレッジ内に第５基地局１２０−２、第４端末１３０−４、第５端末１３０−５および第６端末１３０−６が属し得る。第４基地局１２０−１のセルカバレッジ内に第１端末１３０−１が属し得る。第５基地局１２０−２のセルカバレッジ内に第６端末１３０−６が属し得る。
【００４４】
ここで、複数の基地局１１０−１、１１０−２、１１０−３、１２０−１、１２０−２それぞれは、ノードＢ（ＮｏｄｅＢ）、高度化ノードＢ（ｅｖｏｌｖｅｄ  ＮｏｄｅＢ）、ｇＮＢ、ＢＴＳ（ｂａｓｅ  ｔｒａｎｓｃｅｉｖｅｒ  ｓｔａｔｉｏｎ）、無線基地局（ｒａｄｉｏ  ｂａｓｅ  ｓｔａｔｉｏｎ）、無線トランシーバー（ｒａｄｉｏ  ｔｒａｎｓｃｅｉｖｅｒ）、アクセスポイント（ａｃｃｅｓｓ  ｐｏｉｎｔ）、アクセスノード（ｎｏｄｅ）等と称され得る。複数の端末１３０−１、１３０−２、１３０−３、１３０−４、１３０−５、１３０−６それぞれは、ＵＥ（ｕｓｅｒ  ｅｑｕｉｐｍｅｎｔ）、ターミナル（ｔｅｒｍｉｎａｌ）、アクセスターミナル（ａｃｃｅｓｓ  ｔｅｒｍｉｎａｌ）、モバイルターミナル（ｍｏｂｉｌｅ  ｔｅｒｍｉｎａｌ）、ステーション（ｓｔａｔｉｏｎ）、加入者ステーション（ｓｕｂｓｃｒｉｂｅｒ  ｓｔａｔｉｏｎ）、モバイルステーション（ｍｏｂｉｌｅ  ｓｔａｔｉｏｎ）、携帯加入者ステーション（ｐｏｒｔａｂｌｅ  ｓｕｂｓｃｒｉｂｅｒ  ｓｔａｔｉｏｎ）、ノード（ｎｏｄｅ）、デバイス（ｄｅｖｉｃｅ）等と称され得る。
【００４５】
一方、複数の基地局１１０−１、１１０−２、１１０−３、１２０−１、１２０−２それぞれは互いに異なる周波数帯域で動作することができ、または同じ周波数帯域で動作することができる。複数の基地局１１０−１、１１０−２、１１０−３、１２０−１、１２０−２それぞれは、理想的バックホールリンク（ｉｄｅａｌ  ｂａｃｋｈａｕｌ  ｌｉｎｋ）または非（ｎｏｎ）−理想的バックホールリンクを通じて連結され得、理想的バックホールリンクまたは非−理想的バックホールリンクを通じて情報を交換することができる。複数の基地局１１０−１、１１０−２、１１０−３、１２０−１、１２０−２それぞれは理想的バックホールリンクまたは非−理想的バックホールリンクを通じてコアネットワークと連結され得る。複数の基地局１１０−１、１１０−２、１１０−３、１２０−１、１２０−２それぞれはコアネットワークから受信した信号を該当端末１３０−１、１３０−２、１３０−３、１３０−４、１３０−５、１３０−６に伝送することができ、該当端末１３０−１、１３０−２、１３０−３、１３０−４、１３０−５、１３０−６から受信した信号をコアネットワークに伝送することができる。
【００４６】
また、複数の基地局１１０−１、１１０−２、１１０−３、１２０−１、１２０−２それぞれは、ＭＩＭＯ伝送（例えば、ＳＵ（ｓｉｎｇｌｅ  ｕｓｅｒ）−ＭＩＭＯ、ＭＵ（ｍｕｌｔｉ  ｕｓｅｒ）−ＭＩＭＯ、大規模（ｍａｓｓｉｖｅ）ＭＩＭＯなど）、ＣｏＭＰ（ｃｏｏｒｄｉｎａｔｅｄ  ｍｕｌｔｉｐｏｉｎｔ）伝送、ＣＡ（ｃａｒｒｉｅｒ  ａｇｇｒｅｇａｔｉｏｎ）伝送、非免許帯域（ｕｎｌｉｃｅｎｓｅｄ  ｂａｎｄ）で伝送、端末間の直接通信（ｄｅｖｉｃｅ  ｔｏ  ｄｅｖｉｃｅ  ｃｏｍｍｕｎｉｃａｔｉｏｎ、Ｄ２Ｄ）（またはＰｒｏＳｅ（ｐｒｏｘｉｍｉｔｙ  ｓｅｒｖｉｃｅｓ））等を支援することができる。ここで、複数の端末１３０−１、１３０−２、１３０−３、１３０−４、１３０−５、１３０−６それぞれは、基地局１１０−１、１１０−２、１１０−３、１２０−１、１２０−２と対応する動作、基地局１１０−１、１１０−２、１１０−３、１２０−１、１２０−２により支援される動作を遂行することができる。例えば、第２基地局１１０−２はＳＵ−ＭＩＭＯ方式に基づいて信号を第４端末１３０−４に伝送することができ、第４端末１３０−４はＳＵ−ＭＩＭＯ方式によって第２基地局１１０−２から信号を受信することができる。または第２基地局１１０−２はＭＵ−ＭＩＭＯ方式に基づいて信号を第４端末１３０−４および第５端末１３０−５に伝送することができ、第４端末１３０−４および第５端末１３０−５それぞれはＭＵ−ＭＩＭＯ方式によって第２基地局１１０−２から信号を受信することができる。
【００４７】
第１基地局１１０−１、第２基地局１１０−２および第３基地局１１０−３それぞれはＣｏＭＰ方式に基づいて信号を第４端末１３０−４に伝送することができ、第４端末１３０−４はＣｏＭＰ方式によって第１基地局１１０−１、第２基地局１１０−２および第３基地局１１０−３から信号を受信することができる。複数の基地局１１０−１、１１０−２、１１０−３、１２０−１、１２０−２それぞれは、自身のセルカバレッジ内に属した端末１３０−１、１３０−２、１３０−３、１３０−４、１３０−５、１３０−６とＣＡ方式に基づいて信号を送受信することができる。第１基地局１１０−１、第２基地局１１０−２および第３基地局１１０−３それぞれは第４端末１３０−４と第５端末１３０−５間のＤ２Ｄを制御することができ、第４端末１３０−４および第５端末１３０−５それぞれは第２基地局１１０−２および第３基地局１１０−３それぞれの制御によってＤ２Ｄを遂行することができる。
【００４８】
次に、通信システムにおけるアップリンク（ＵＬ）伝送方法が説明される。通信ノードのうち第１通信ノードで遂行される方法（例えば、信号の伝送または受信）が説明される場合にも、これに対応する第２通信ノードは第１通信ノードで遂行される方法と相応する方法（例えば、信号の受信または伝送）を遂行することができる。すなわち、端末の動作が説明された場合にこれに対応する基地局は端末の動作と相応する動作を遂行することができる。その反対に、基地局の動作が説明された場合にこれに対応する端末は基地局の動作と相応する動作を遂行することができる。
【００４９】
■ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）ＰＵＳＣＨ（ｐｈｙｓｉｃａｌ  ｕｐｌｉｎｋ  ｓｈａｒｅｄ  ｃｈａｎｎｅｌ）とｅＭＢＢ（ｅｎｈａｎｃｅｄ  Ｍｏｂｉｌｅ  ＢｒｏａｄＢａｎｄ）ＰＵＳＣＨ間の動的多重化
ＵＲＬＬＣ  ＰＵＳＣＨはＵＲＬＬＣサービスのために使われるＰＵＳＣＨであり得る。例えば、ＵＲＬＬＣデータはＵＲＬＬＣ  ＰＵＳＣＨを通じて伝送され得る。ＵＲＬＬＣデータはＵＲＬＬＣサービスの要求事項により伝送されるデータであり得る。ｅＭＢＢ  ＰＵＳＣＨはｅＭＢＢサービスのために使われるＰＵＳＣＨであり得る。例えば、ｅＭＢＢデータはｅＭＢＢ  ＰＵＳＣＨを通じて伝送され得る。ｅＭＢＢデータはｅＭＢＢサービスの要求事項により伝送されるデータであり得る。
【００５０】
√  ＵＬ（ｕｐｌｉｎｋ）リ−グラント（ｒｅ−ｇｒａｎｔ）
以下で提案される方法は、端末が基地局から受信されたダウンリンク（ＤＬ）制御チャネル（例えば、ＰＤＣＣＨ（ｐｈｙｓｉｃａｌ  ｄｏｗｎｌｉｎｋ  ｃｏｎｔｒｏｌ  ｃｈａｎｎｅｌ））に含まれた情報（例えば、ＤＣＩ（ｄｏｗｎｌｉｎｋ  ｃｏｎｔｒｏｌ  ｉｎｆｏｒｍａｔｉｏｎ））に基づいてアップリンク（ＵＬ）データチャネル（例えば、ＰＵＳＣＨ）を伝送するシナリオに適用され得る。
【００５１】
端末はＵＬデータチャネルとして使用できる資源要素（ｒｅｓｏｕｒｃｅ  ｅｌｅｍｅｎｔｓ）の大きさに基づいて伝送ブロック（ｒｅｓｏｕｒｃｅ  ｂｌｏｃｋ）の大きさを決定することができる。ここで、伝送ブロックはＵＬデータを含むことができる。端末は伝送ブロックにＨＡＲＱ（ｈｙｂｒｉｄ  ａｕｔｏｍａｔｉｃ  ｒｅｐｅａｔ  ｒｅｑｕｅｓｔ）プロセス識別子を付与することができる。ＨＡＲＱプロセス識別子は再伝送伝送ブロックを指示することができる。例えば、再伝送伝送ブロックはＨＡＲＱプロセス識別子とＮＤＩ（ｎｅｗ  ｄａｔａ  ｉｎｄｉｃａｔｏｒ）により指示され得る。
【００５２】
基地局は互いに異なる要求事項を有する二つ以上のデータ（例えば、ＵＲＬＬＣデータ、ｅＭＢＢデータ）の伝送を支援するように端末を設定することができる。要求事項はエラー率、伝送率、および遅延時間のうち一つ以上を含むことができる。データ（例えば、ＵＲＬＬＣデータ、ｅＭＢＢデータ）の優先順位は要求事項に基づいて決定され得る。基地局はデータの優先順位を指示する情報を含む上位階層メッセージ（例えば、ＲＲＣ（ｒａｄｉｏ  ｒｅｓｏｕｒｃｅ  ｃｏｎｔｒｏｌ）メッセージ）を端末に伝送することができる。端末は基地局から上位階層メッセージを受信することができ、上位階層メッセージに含まれた情報に基づいてデータの優先順位を確認することができる。またはデータの優先順位は基地局および端末が知っている技術規格に定義され得る。
【００５３】
提案される方法はＵＬ伝送だけでなくＤＬ伝送にも適用され得る。提案される方法において、同じ伝送ブロックの資源割当情報を含むＤＬ制御チャネルが２回以上受信された場合、端末は受信されたＤＬ制御チャネルのうち最後のＤＬ制御チャネルに含まれた情報（例えば、ＤＣＩ）に基づいてＵＬ伝送を遂行することができる。端末は受信されたＤＬ制御チャネルのうち最後のＤＬ制御チャネルを除いた残りのＤＬ制御チャネルによる指示を遂行しないことができる。
【００５４】
以下で、基地局が一つの伝送ブロックを指示する方法が説明される。ＨＡＲＱプロセス識別子およびＮＤＩは同じ伝送ブロックを指示するために使われ得る。この場合、基地局は同じ伝送ブロックを指示するＨＡＲＱプロセス識別子とＮＤＩを含むＤＬ制御チャネル（例えば、ＤＣＩ）を端末に伝送することができる。ＣＢＧ（ｃｏｄｅ  ｂｌｏｃｋ  ｇｒｏｕｐ）の再伝送手続きにおいて、ＨＡＲＱプロセス識別子、ＮＤＩ、ＣＢＧＴＩ（ＣＢＧ  ｔｒａｎｓｍｉｔ  ｉｎｄｉｃａｔｏｒ）、およびＣＢＧＦＩ（ＣＢＧ  ｆｌｕｓｈ  ｉｎｆｏｒｍａｔｉｏｎ）は同じ伝送ブロックを指示するために使われ得る。この場合、基地局は同じ伝送ブロックを指示するＨＡＲＱプロセス識別子、ＮＤＩ、ＣＢＧＴＩ、およびＣＢＧＦＩを含むＤＬ制御チャネル（例えば、ＤＣＩ）を端末に伝送することができる。
【００５５】
一方、端末は資源割当情報（例えば、伝送ブロックの資源割当情報）を含むＤＬ制御チャネル＃１を基地局から受信することができ、ＤＬ制御チャネル＃１によって指示される伝送ブロックをＵＬデータチャネル＃１にマッピングすることができる。ＤＬ制御チャネル＃１の受信後に、端末は資源割当情報（例えば、伝送ブロックの資源割当情報）を含むＤＬ制御チャネル＃２を基地局から受信することができる。ＤＬ制御チャネル＃２によって指示される伝送ブロックがＤＬ制御チャネル＃１によって指示される伝送ブロックと同じである場合（例えば、ＤＬ制御チャネル＃２に含まれたＨＡＲＱプロセス識別子およびＮＤＩそれぞれがＤＬ制御チャネル＃１に含まれたＨＡＲＱプロセス識別子およびＮＤＩと同じである場合）、端末はＤＬ制御チャネル＃２に含まれた情報（例えば、ＤＣＩ）に基づいて伝送ブロックをＵＬデータチャネル＃２にマッピングすることができる。すなわち、端末はＤＬ制御チャネル＃１による指示を遂行しないことができる。ここで、ＤＬ制御チャネル＃１に含まれた情報はＤＬ制御チャネル＃２に含まれた情報と同じであり得、ＤＬ制御チャネル＃１の大きさ（例えば、ＣＣＥの個数）はＤＬ制御チャネル＃２の大きさ（例えば、ＣＣＥの個数）と同じであり得る。またはＤＬ制御チャネル＃１の大きさはＤＬ制御チャネル＃２の大きさと異なり得る。
【００５６】
前述した方法はスロット基盤（ｓｌｏｔ  ｂａｓｅｄ）伝送および非スロット（ｎｏｎ−ｓｌｏｔ  ｂａｓｅｄ）方式に適用され得る。ＤＬ制御チャネル＃２は伝送ブロックがＵＬデータチャネル＃１と異なる資源にマッピングされるように指示することができる。またはＤＬ制御チャネル＃２は伝送ブロックがＵＬデータチャネル＃１と異なるスロットまたはシンボルで伝送されるようにＵＬデータチャネル＃２を指示することができる。
【００５７】
前述した方法は端末が多重レイヤー（ｍｕｌｔｉ  ｌａｙｅｒ）を送受信するシナリオにも適用され得る。例えば、一つのＤＬ制御チャネルによって端末に多重レイヤーが割当され得、これに伴い、一つ以上の伝送ブロックが端末に割当され得る。この場合、端末は受信されたＤＬ制御チャネルのうち最後のＤＬ制御チャネルの指示により動作することができる。
【００５８】
図３は、通信システムにおけるＵＬ伝送方法の第１実施例を図示した概念図である。
【００５９】
図３を参照すると、基地局は伝送ブロックのための資源割当情報を含むＤＬ制御チャネル＃１（例えば、ＤＣＩ）を端末に伝送することができる。ＤＬ制御チャネル＃１はＵＬデータチャネル＃１を指示することができる。ＤＬ制御チャネル＃１が伝送された後にＵＬデータチャネル＃１が他の用途で使われるものと決定された場合、基地局はＤＬ制御チャネル＃１によって指示される同じ伝送ブロックのための資源割当情報を含むＤＬ制御チャネル＃２（例えば、ＤＣＩ）を端末に伝送することができる。ＤＬ制御チャネル＃２はＵＬデータチャネル＃１の代わりにＵＬデータチャネル＃２を指示することができる。この場合、ＤＬ制御チャネル＃２はＵＬデータチャネル＃１の伝送を中止させるために使われ得る。ＤＬ制御チャネル＃２に含まれたＨＡＲＱプロセス識別子およびＮＤＩそれぞれはＤＬ制御チャネル＃１に含まれたＨＡＲＱプロセス識別子およびＮＤＩと同じであり得る。またはＣＢＧが使われる場合、ＤＬ制御チャネル＃２に含まれたＨＡＲＱプロセス識別子、ＮＤＩ、ＣＢＧＴＩ、およびＣＢＧＦＩそれぞれはＤＬ制御チャネル＃１に含まれたＨＡＲＱプロセス識別子、ＮＤＩ、ＣＢＧＴＩ、およびＣＢＧＦＩと同じであり得る。またはＤＬ制御チャネル＃２に含まれたＣＢＧＴＩおよびＣＢＧＦＩそれぞれはＤＬ制御チャネル＃１に含まれたＣＢＧＴＩおよびＣＢＧＦＩと同じでなくてもよい。
【００６０】
端末は同じ伝送ブロックの資源割当情報を含むＤＬ制御チャネル＃１および＃２を基地局から受信することができる。ＤＬ制御チャネル＃１は伝送ブロックがマッピングされるＵＬデータチャネル＃１を指示することができ、ＤＬ制御チャネル＃２は伝送ブロックがマッピングされるＵＬデータチャネル＃２を指示することができる。この場合、ＵＬデータチャネルが伝送される周波数資源は変更され得る。例えば、ＵＬデータチャネル＃１の開始周波数資源（例えば、開始サブキャリアまたは開始資源ブロック）とＵＬデータチャネル＃２の開始周波数資源（例えば、開始サブキャリアまたは開始資源ブロック）間のオフセットはΔであり得る。ＤＬ制御チャネル＃２はオフセットΔを端末に指示することができる。基地局はＵＬデータチャネルの周波数資源を変更することによって、該当周波数資源（例えば、帯域幅＃１）を他の用途で活用することができる。例えば、基地局は該当周波数資源を他の端末に割当することができる。
【００６１】
端末はＤＬ制御チャネル＃１および＃２のうち最後のＤＬ制御チャネル＃２の指示によりＵＬデータチャネル＃２を伝送することができる。すなわち、ＤＬ制御チャネル＃１によって割当されるＵＬデータチャネル＃１は使われなくてもよい。ここで、ＵＬデータチャネル＃１の伝送区間＃１はＵＬデータチャネル＃２の伝送区間＃２と同じであり得る。またはＵＬデータチャネル＃１の伝送区間＃１はＵＬデータチャネル＃２の伝送区間＃２と異なり得る。ＵＬデータチャネル＃１の帯域幅＃１はＵＬデータチャネル＃２の帯域幅＃２と同じであり得る。またはＵＬデータチャネル＃１の帯域幅＃１はＵＬデータチャネル＃２の帯域幅＃２と異なり得る。
【００６２】
図４は、通信システムにおけるＵＬ伝送方法の第２実施例を図示した概念図である。
【００６３】
図４を参照すると、基地局は伝送ブロックのための資源割当情報（例えば、ＤＣＩ）を含むＤＬ制御チャネル＃１を端末に伝送することができる。ＤＬ制御チャネル＃１はＵＬデータチャネル＃１を指示することができる。ＤＬ制御チャネル＃１が伝送された後にＵＬデータチャネル＃１が他の用途（例えば、ＵＬデータチャネル＃１が他の端末に割当）で使われるものと決定された場合、基地局はＤＬ制御チャネル＃１によって指示される同じ伝送ブロックのための資源割当情報（例えば、ＤＣＩ）を含むＤＬ制御チャネル＃２を端末に伝送することができる。ＤＬ制御チャネル＃２はＵＬデータチャネル＃１の代わりにＵＬデータチャネル＃２を指示することができる。この場合、ＤＬ制御チャネル＃２はＵＬデータチャネル＃１の伝送を中止させるために使われ得る。ＤＬ制御チャネル＃２に含まれたＨＡＲＱプロセス識別子およびＮＤＩそれぞれはＤＬ制御チャネル＃１に含まれたＨＡＲＱプロセス識別子およびＮＤＩと同じであり得る。または、ＣＢＧが使われる場合、ＤＬ制御チャネル＃２に含まれたＨＡＲＱプロセス識別子、ＮＤＩ、ＣＢＧＴＩ、およびＣＢＧＦＩそれぞれはＤＬ制御チャネル＃１に含まれたＨＡＲＱプロセス識別子、ＮＤＩ、ＣＢＧＴＩ、およびＣＢＧＦＩと同じであり得る。または、ＤＬ制御チャネル＃２に含まれたＣＢＧＴＩおよびＣＢＧＦＩそれぞれはＤＬ制御チャネル＃１に含まれたＣＢＧＴＩおよびＣＢＧＦＩと異なり得る。
【００６４】
一方、ＵＬデータチャネルにマッピングされる伝送ブロックの大きさはＤＬ制御チャネル＃１によって割当される資源要素の個数により変わり得る。例えば、ＤＦＴ（ｄｉｓｃｒｅｔｅ  Ｆｏｕｒｉｅｒ  ｔｒａｎｓｆｏｒｍ）プリコーディングが適用されるＵＬデータチャネルがマッピングされる伝送ブロックの大きさは、ＤＬ制御チャネルによって割当された資源要素の個数およびＲＲＣメッセージによって指示されたパラメータの関数で決定され得る。したがって、基地局がＤＬ制御チャネル＃１およびＤＬ制御チャネル＃２を通じて互いに異なる個数の資源要素を割当する場合、ＵＬデータチャネル＃１に含まれる伝送ブロックの大きさはＵＬデータチャネル＃２に含まれる伝送ブロックの大きさと異なって設定され得る。
【００６５】
端末が同じ伝送ブロックを基地局に伝送するために、ＵＬデータチャネル＃１およびＵＬデータチャネル＃２に含まれる伝送ブロックの大きさは同一に維持されることが好ましい。ＵＬデータチャネル＃２にマッピングされる伝送ブロックの大きさがＵＬデータチャネル＃１にマッピングされる伝送ブロックの大きさと同じであることを端末に指示するために、基地局はＤＬ制御チャネル＃２に含まれるＭＣＳインデックス（例えば、ＩＭＣＳ）を最初の伝送のためのＭＣＳインデックスの範囲（例えば、２５６ＱＡＭ（ｑｕａｄｒａｔｕｒｅ  ａｍｐｌｉｔｕｄｅ  ｍｏｄｕｌａｔｉｏｎ）が使われる場合にＭＣＳインデックスの範囲は「０、１、・・・、２７」であり、２５６ＱＡＭが使われない場合にＭＣＳインデックスの範囲は「０、１、・・・、２８」）の代わりに、再伝送のためのＭＣＳインデックスの範囲（例えば、２５６ＱＡＭが使われる場合にＭＣＳインデックスの範囲は「２８、２９、３０、３１」であり、２５６ＱＡＭが使われない場合にＭＣＳインデックスの範囲は「２９、３０、３１」）内で設定され得る。ただし、該当伝送ブロック（例えば、ＤＬ制御チャネル＃２によって指示される伝送ブロック）は基地局から端末に伝送される最初の伝送ブロックまたは再伝送ブロックであり得る。
【００６６】
端末は同じ伝送ブロックの資源割当情報を含むＤＬ制御チャネル＃１および＃２を基地局から受信することができる。ＤＬ制御チャネル＃１は伝送ブロックがマッピングされるＵＬデータチャネル＃１を指示することができ、ＤＬ制御チャネル＃２は伝送ブロックがマッピングされるＵＬデータチャネル＃２を指示することができる。この場合、ＵＬデータチャネルが伝送される時間資源は変更され得る。例えば、ＵＬデータチャネル＃１の開始時間資源（例えば、開始シンボルまたは開始スロット）とＵＬデータチャネル＃２の開始時間資源（例えば、開始シンボルまたは開始スロット）間のオフセットはΔであり得る。ＤＬ制御チャネル＃２はオフセットΔを端末に指示することができる。基地局はＵＬデータチャネルの時間資源を変更することによって、該当時間資源を他の用途で活用することができる。例えば、基地局は該当時間資源を他の端末に割当することができる。
【００６７】
端末はＤＬ制御チャネル＃１および＃２のうち最後のＤＬ制御チャネル＃２の指示によりＵＬデータチャネル＃２を伝送することができる。例えば、ＵＬデータチャネル＃１の伝送前にＤＬ制御チャネル＃２の復号動作が完了した場合、端末はＵＬデータチャネル＃１の伝送なしにＵＬデータチャネル＃２を伝送することができる。また、ＵＬデータチャネル＃１の伝送動作の遂行のための時間が必要となり得る。または端末はＵＬデータチャネル＃１の伝送中にＤＬ制御チャネル＃２を受信することができる。ＤＬ制御チャネル＃２の復号動作の完了前にＵＬデータチャネル＃１の一部が伝送された場合、端末はＵＬデータチャネル＃１の残りを伝送しないことができる。その後に、端末はＤＬ制御チャネル＃２によって指示されるＵＬデータチャネル＃２を伝送することができる。
【００６８】
ＤＬ制御チャネル＃２が再伝送伝送ブロックの資源割当情報を含む場合、ＵＬデータチャネル＃２の資源は制約なしに割当され得る。ＵＬデータチャネルの資源は基地局によって適応的に再割当され得るため、前述した実施例は動的資源割当方式（例えば、動的ＴＤＤ（ｔｉｍｅ  ｄｉｖｉｓｉｏｎ  ｄｕｐｌｅｘ）割当方式）およびＵＲＬＬＣサービスに効果的に適用され得る。また、ＵＬデータチャネル＃２の時間および周波数資源がすべて変更され得る。
【００６９】
伝送ブロックがＵＬデータチャネル＃１にマッピングされた後に同じ伝送ブロックをＵＬデータチャネル＃２に再びマッピングする過程で、端末はＵＬデータチャネル＃１のマッピング過程ですでに遂行した結果を再使用できなくてもよい。ＤＬ制御チャネル＃１の大きさ（例えば、ＣＣＥの個数）がＤＬ制御チャネル＃２の大きさと同じである場合、ＤＬ制御チャネル＃２は全体資源割当情報のうち一部の資源割当情報を含むことができる。伝送ブロックがＵＬデータチャネル＃１および＃２に同一にマッピング可能な場合、端末でＵＬ伝送のために使用可能な時間が追加で確保され得る。したがって、伝送ブロックの伝送遅延は減少し得る。
【００７０】
基地局は同じ伝送ブロックの資源割当情報の伝送のために使われるＤＬ制御チャネルに含まれる共通フィールド（例えば、同じ情報を指示するフィールド）により指示される情報を、上位階層シグナリングを使って端末に通知することができる。または同じ伝送ブロックの資源割当情報の伝送のために使われるＤＬ制御チャネルに含まれる共通フィールドは基地局および端末が知っている技術規格に定義され得る。
【００７１】
ＤＬ制御チャネル＃１および＃２が同じ伝送ブロックの資源割当情報を含み、ＤＬ制御チャネル＃１および＃２が成功裏に受信された場合、端末はＤＬ制御チャネル＃１とＤＬ制御チャネル＃２を共に復号することができる。例えば、ＤＬ制御チャネル＃２の復号結果はＤＬ制御チャネル＃１の復号結果とコンバイニング（ｃｏｍｂｉｎｉｎｇ）され得る。反面、ＤＬ制御チャネル＃１および＃２が同じ伝送ブロックの資源割当情報を含み、ＤＬ制御チャネル＃１が成功裏に受信されなかった場合、端末はＤＬ制御チャネル＃２のみを復号することができる。
【００７２】
例えば、図３に図示された実施例の通り、ＵＬデータチャネルの周波数資源のみが変更され得、ＵＬデータチャネルの残りの資源（例えば、時間資源）は同一に割当され得る。図４に図示された実施例の通り、ＵＬデータチャネルの時間資源のみが変更され得、ＵＬデータチャネルの残りの資源（例えば、周波数資源）は同一に割当され得る。
【００７３】
伝送ブロックの大きさが同じであり、伝送ブロックのＭＣＳ（ｍｏｄｕｌａｔｉｏｎ  ａｎｄ  ｃｏｄｉｎｇ  ｓｃｈｅｍｅ）が同じである場合、ＵＬデータチャネル＃２が占有する時間および周波数資源の大きさはＵＬデータチャネル＃１が占有する時間および周波数資源の大きさと同じであり得る。この場合、ＵＬデータチャネル＃２の開始時間資源（例えば、開始シンボルまたは開始スロット）はＵＬデータチャネル＃１の開始時間資源（例えば、開始シンボルまたは開始スロット）と異なって設定され得る。またはＵＬデータチャネル＃２の開始周波数資源（例えば、開始サブキャリアまたは開始資源ブロック）はＵＬデータチャネル＃１の開始周波数資源（例えば、開始サブキャリアまたは開始資源ブロック）と異なって設定され得る。この場合、端末は伝送ブロックを再び符号化しなくてもよく、すでに生成されたコードブロックに対するスクランブリング動作（例えば、時間軸スクランブリング動作）を遂行することができ、スクランブリングされたコードブロックをＵＬデータチャネル＃２にマッピングすることができる。
【００７４】
ＤＬ制御チャネル＃２の生成手続きにおいて、基地局は端末でＤＬ制御チャネル＃１が成功裏に受信されたものと仮定することができ、ＤＬ制御チャネル＃１に含まれた情報に比べて変更された情報を含むＤＬ制御チャネル＃２を生成することができる。したがって、ＤＬ制御チャネル＃２で含まれる情報（例えば、コードワード（ｃｏｄｅｗｏｒｄ））の大きさは減少し得、これに伴いＤＬ制御チャネル＃２の符号率（ｃｏｄｅ  ｒａｔｅ）は減少し得、ＤＬ制御チャネル＃２の受信信頼度は向上し得る。例えば、ＤＬ制御チャネル＃１および＃２が同じ伝送ブロックのための資源割当情報を含む場合、基地局はＵＬデータチャネル＃２の時間資源情報（例えば、伝送時点）を含むＤＬ制御チャネル＃２を伝送することができる。この場合、ＤＬ制御チャネル＃２に含まれる情報の大きさはＤＬ制御チャネル＃１に含まれた情報の大きさより小さいため、ＤＬ制御チャネル＃２のフォーマットはＤＬ制御チャネル＃１のフォーマットと異なり得る。
【００７５】
前述した方法は同じ伝送ブロックのための資源割当情報を含むＤＬ制御チャネルの伝送だけでなく、互いに異なる伝送ブロックのための資源割当情報を含むＤＬ制御チャネルの伝送にも適用され得る。
【００７６】
ＰＵＳＣＨを通じてのＵＣＩ（ｕｐｌｉｎｋ  ｃｏｎｔｒｏｌ  ｉｎｆｏｒｍａｔｉｏｎ）伝送
端末はＵＬ制御情報（ＵＣＩ）の伝送のために設定されたスロットでＵＬデータチャネルを伝送することができる。基地局上位階層シグナリングまたはＤＬ制御チャネルを通じてＵＬ制御チャネルの伝送のために必要な情報要素を伝送することができる。ＵＬ制御チャネルの開始シンボルがＵＬデータチャネルの開始シンボルと同じである場合、端末はＵＬ制御チャネルの代わりにＵＬデータチャネルを使ってＵＬ制御情報を伝送することができる。この場合、ＵＬデータチャネルは伝送ブロック（例えば、ＵＬデータ）およびＵＬ制御情報をいずれも含むことができる。
【００７７】
以下において、ＵＬ制御情報を含むＵＬデータチャネルを伝送するための方法が説明される。端末はＵＬ伝送のための資源割当情報を含むＤＬ制御チャネル＃１を受信することができ、ＤＬ制御チャネル＃１に含まれた情報に基づいて伝送ブロックおよびＵＬ制御情報をＵＬデータチャネル＃１にマッピングすることができる。すなわち、伝送ブロックおよびＵＬ制御情報を含むＵＬデータチャネル＃１が伝送され得る。ここで、ＵＬデータチャネルにマッピングされる伝送ブロックは伝送ブロックに基づいて生成されたコードブロックを意味し得、ＵＬデータチャネルにマッピングされるＵＬ制御情報は符号化されたＵＬ制御情報を意味し得る。
【００７８】
ＵＬ伝送のための資源割当情報を含むＤＬ制御チャネル＃１が受信され、ＵＬ（再）伝送のための資源割当情報を含むＤＬ制御チャネル＃２が受信された場合、端末はＤＬ制御チャネル＃１の代わりにＤＬ制御チャネル＃２に含まれた情報に基づいてＵＬ（再）伝送を遂行することができる。例えば、端末は伝送ブロック（または伝送ブロックおよびＵＬ制御情報）をＤＬ制御チャネル＃２によって指示されるＵＬデータチャネル＃２にマッピングすることができる。すなわち、端末はＤＬ制御チャネル＃１によって指示されるＵＬデータチャネル＃１の代わりにＵＬデータチャネル＃２を伝送することができる。
【００７９】
図５は、通信システムにおけるＵＬ伝送方法の第３実施例を図示した概念図である。
【００８０】
図５を参照すると、ＤＬ制御チャネル＃１はＵＬデータチャネル＃１（例えば、ＵＬ制御情報の伝送のためのＵＬデータチャネル＃１）を指示することができ、ＤＬ制御チャネル＃２はＵＬデータチャネル＃２（例えば、伝送ブロックの伝送のためのＵＬデータチャネル＃２）を指示することができる。ＵＬデータチャネル＃２の時間資源のうち一部の時間資源はＵＬデータチャネル＃１の時間資源と同じであり得る。また、ＵＬデータチャネル＃２の開始時間資源はＵＬデータチャネル＃１の開始時間資源と同じであり得る。
【００８１】
端末は基地局からＤＬ制御チャネル＃１および＃２（例えば、ＤＣＩ＃１および＃２）を受信することができ、ＤＬ制御チャネル＃１の代わりにＤＬ制御チャネル＃２に含まれた情報に基づいてＵＬ伝送を遂行することができる。例えば、端末は伝送ブロックおよびＵＬ制御情報をＤＬ制御チャネル＃２によって指示されるＵＬデータチャネル＃２にマッピングすることができる。
【００８２】
一方、基地局はＵＬ制御情報のための資源割当情報（例えば、ＵＬデータチャネル＃１を指示する資源割当情報）を含むＤＬ制御チャネル＃１を伝送することができ、ＵＬデータチャネル＃１と異なる時間資源（例えば、開始シンボルまたは開始スロット）を有するＵＬデータチャネル＃２を指示する資源割当情報を含むＤＬ制御チャネル＃２を伝送することができる。この場合、端末はＵＬ制御情報をＵＬデータチャネル＃２にマッピングできなくてもよい。その理由はＵＬデータチャネル＃２の伝送時点がＵＬデータチャネル＃１の伝送時点と異なるためである。すなわち、基地局はＵＬデータチャネル＃１の時間資源でＵＬ制御情報が受信されるであろうと期待するため、ＵＬ制御情報がＵＬデータチャネル＃２を通じて伝送されるケースに該当ＵＬ制御情報を受信することができない。したがって、端末はＵＬデータチャネル＃１およびＵＬ制御情報をいずれも伝送しないことができる。
【００８３】
ＵＬ制御情報が基地局によって設定された時間より早い時間でフィードバックされるために、端末で処理時間は短くならなければならない。反面、ＵＬ制御情報が基地局によって設定された時間より遅い時間でフィードバックされる場合、データの伝送遅延は増加し得る。したがって、ＵＬ制御情報は基地局によって設定された時間でフィードバックされることが好ましい。提案される方法で、端末はＵＬ制御チャネルを生成することができ、ＵＬ制御情報をＵＬ制御チャネルにマッピングすることができ、ＵＬデータチャネルの代わりにＵＬ制御情報を含むＵＬ制御チャネルを伝送することができる。
【００８４】
図６は通信システムにおけるＵＬ伝送方法の第４実施例を図示した概念図で、図７は通信システムにおけるＵＬ伝送方法の第５実施例を図示した概念図である。
【００８５】
図６および図７を参照すると、ＵＬデータチャネル＃２の時間資源はＵＬデータチャネル＃１の時間資源と異なり得る。例えば、ＵＬデータチャネル＃２の開始シンボルまたは開始スロットはＵＬデータチャネル＃１の開始シンボルまたは開始スロットと異なり得る。この場合、端末はＵＬ制御情報をＵＬデータチャネル＃２にマッピングしなくてもよい。端末はＵＬ制御情報をＵＬデータチャネル＃２の代わりに別途のＵＬ制御チャネルにマッピングすることができ、ＵＬ制御チャネルを伝送することができる。ＵＬ制御チャネルの伝送のために使われる時間資源はＵＬデータチャネル＃１の時間資源に属し得る。例えば、ＵＬ制御チャネルの開始シンボルまたは開始スロットはＵＬデータチャネル＃１の開始シンボルまたは開始スロットと同じであり得る。図６に図示された実施例でＵＬデータチャネル＃１は伝送されなくてもよく、図７に図示された実施例でＵＬデータチャネル＃１の一部は伝送され得る。
【００８６】
ＵＬ制御チャネルの資源（例えば、開始シンボル、シンボルの区間、開始スロット、周波数資源の位置、帯域幅、シークエンス情報）を決定するために、端末は最近に受信されたＤＬ制御チャネルに関連したＣＣＥ（ｃｏｎｔｒｏｌ  ｃｈａｎｎｅｌ  ｅｌｅｍｅｎｔ）、ＡＲＩ（ａｃｋｎｏｗｌｅｄｇｅｍｅｎｔ  ｒｅｓｏｕｒｃｅ  ｉｎｄｉｃａｔｏｒ）、ＡＣＫ／ＮＡＣＫ資源指示子（ｒｅｓｏｕｒｃｅ  ｉｎｄｉｃａｔｏｒ）、またはＰＵＣＣＨ資源指示子を使うことができる。また、端末はＤＬ制御チャネルだけでなく上位階層シグナリングによって設定された情報を共に使ってＵＬ制御チャネルの資源を決定することができる。または端末は上位階層シグナリングによって設定された情報のみを使ってＵＬ制御チャネルの資源を決定することができる。
【００８７】
提案される方法で、端末はＵＬ制御情報の大きさ（例えば、資源要素の個数）を新しく計算することができ、該当ＵＬ制御情報をＵＬデータチャネルにマッピングすることができる。ＵＬデータチャネル＃２の資源要素の個数がＵＬデータチャネル＃１の資源要素の個数より多い場合、ＵＬデータチャネル＃２にマッピングされるＵＬ制御情報の大きさはＵＬデータチャネル＃１にマッピングされるＵＬ制御情報の大きさより多くてもよい。したがって、ＵＬ制御情報がＵＬデータチャネル＃２を通じて伝送される場合、端末は基地局によって設定された符号化率が維持される範囲内でＵＬ制御情報の大きさを増加させることができる。例えば、ＵＬデータチャネル＃１にマッピングされ得ないチャネルの部分情報２（例えば、ＣＳＩ（ｃｈａｎｎｅｌ  ｓｔａｔｅ  ｉｎｆｏｒｍａｔｉｏｎ）部分（ｐａｒｔ）２）がＵＬデータチャネル＃２にマッピングされる場合、基地局によって設定された基準符号化率ｃＴが満足すると、端末はチャネルの部分情報２をＵＬデータチャネル＃２にマッピングすることができる。前述した方法でチャネルの部分情報２の大きさはＤＬ制御チャネル＃２の存在の有無により異なって仮定されなければならないため、端末はチャネルの部分情報２の大きさを計算した後にも計算された結果を捨てないことができる。
【００８８】
反面、ＵＬデータチャネル＃２の資源要素の個数がＵＬデータチャネル＃１の資源要素の個数より小さい場合、ＵＬデータチャネル＃２にマッピングされるＵＬ制御情報の大きさはＵＬデータチャネル＃１にマッピングされるＵＬ制御情報の大きさより小さくてもよい。したがって、ＵＬ制御情報がＵＬデータチャネル＃２を通じて伝送される場合、端末は基地局によって設定された符号化率が維持される範囲内でＵＬ制御情報の大きさを減少させることができる。例えば、ＵＬデータチャネル＃１にマッピングされ得るチャネルの部分情報２（例えば、ＣＳＩ部分２）の一部がＵＬデータチャネル＃２にマッピングされる場合に基地局によって設定された基準符号化率ｃＴが満足しないと、端末はチャネルの部分情報２の一部をＵＬデータチャネル＃２にマッピングすることができない。
【００８９】
提案される他の方法では、ＵＬデータチャネル＃１に伝送されるＵＬ制御情報の大きさが決定された後に、該当ＵＬ制御情報がＵＬデータチャネル＃１の代わりにＵＬデータチャネル＃２に伝送されるものと決定された場合、端末はすでに決定された大きさのＵＬ制御情報をＵＬデータチャネル＃２にマッピングすることができ、ＵＬ制御情報がマッピングされたＵＬデータチャネル＃２を伝送することができる。この方法はＵＬデータチャネル＃２の伝送のための処理時間が足りない場合に便利に適用され得る。すなわち、端末はＵＬ制御情報を新しく符号化する動作および符号化されたＵＬ制御情報のマッピング動作を省略することができる。または端末はすでに符号化されたＵＬ制御情報を再びマッピングする動作を省略することができる。
【００９０】
ＵＬデータチャネルが周波数ホッピング方式で伝送され、ＵＬ制御情報がタイプ別に区分される場合、端末はＵＬ制御情報の一部（例えば、第１タイプのＵＬ制御情報）を最初の周波数ホップに該当するＵＬデータチャネルにマッピングすることができ、ＵＬ制御情報の他の一部（例えば、第２タイプのＵＬ制御情報）を二番目の周波数ホップに該当するＵＬデータチャネルにマッピングすることができる。チャネルの部分情報２の大きさが変更される場合、端末はチャネルの部分情報２の変更された大きさを考慮してＵＬデータをＵＬデータチャネルにマッピングすることができる。
【００９１】
基地局および端末は技術規格に定義された数式に基づいてＵＬ制御情報の大きさを計算することができる。基準符号化率はＵＬ制御情報の種類ごとに異なり得る。例えば、ＮＲ通信システムにおけるＵＬ制御情報がＨＡＲＱ  ＡＣＫである場合、端末は下記の数式１を使ってＵＬ制御情報の大きさ（例えば、ＵＬ制御情報がマッピングされる資源要素の個数）を計算することができる。
【００９２】
【数１】
2021520707.tif 000003
【００９３】
ＨＡＲＱ  ＡＣＫ以外の他のＵＬ制御情報（例えば、ＣＳＩ部分１、ＣＳＩ部分２）の大きさは数式１と類似する方式に基づいて計算され得る。Ｍ（ｓ）およびＮ（ｓ）それぞれはｓ番目のシンボルでのサブキャリアの個数を指示することができる。ＵＬデータチャネル＃２の資源要素の個数がＵＬデータチャネル＃１の資源要素の個数と異なる場合、端末はＱ’ＡＣＫを再び計算することができる。また、ＵＬデータチャネル＃２の資源要素の個数がＵＬデータチャネル＃１の資源要素の個数と異なる場合、端末はＱ’ＣＳＩ−１およびＱ’ＣＳＩ−２を再び計算することができる。Ｑ’ＣＳＩ−１はＣＳＩ部分１がマッピングされる資源要素の個数であり得、Ｑ’ＣＳＩ−２はＣＳＩ部分２がマッピングされる資源要素の個数であり得る。ＵＬデータチャネルの符号化率マッチング動作（例えば、レートマッチング動作）はＵＬ制御情報が占有しない資源要素が決定された後に遂行され得る。ＵＬ制御情報の符号化率マッチング動作は再計算されたＱ’ＡＣＫ、Ｑ’ＣＳＩ−１、およびＱ’ＣＳＩ−２を使って遂行され得る。
【００９４】
または端末はＵＬ制御情報の大きさ（例えば、資源要素の個数）を新しく計算しなくてもよく、ＵＬデータチャネル＃１のマッピング手続きで生成された符号化されたＵＬ制御情報をＵＬデータチャネル＃２にマッピングすることができる。すなわち、ＵＬ制御情報はＵＬデータチャネル＃２によって指示される情報の代わりにＵＬデータチャネル＃１によって指示される情報を基準として符号化され得る。
【００９５】
例えば、数式１でＣはＵＬデータチャネル＃１を基準として決定され得る。すなわち、ＨＡＲＱ  ＡＣＫの符号化率はＵＬデータチャネル＃１を基準として決定され得る。Ｑ’ＡＣＫの最大値を決定するために使われるＤはＵＬデータチャネル＃１または＃２を基準として決定され得る。また、Ｑ’ＣＳＩ−１、およびＱ’ＣＳＩ−２は前記方式に基づいて決定され得る。
【００９６】
ＤがＵＬデータチャネル＃１の資源割当情報を使って計算される場合、端末はＵＬ制御情報を新しく符号化しなくてもよく、ＵＬデータチャネル＃１のマッピング手続きで生成された符号化されたＵＬ制御情報をＵＬデータチャネル＃２にマッピングすることができる。しかし、ＵＬデータチャネルが占有する資源が変わった場合、ＤＬ制御チャネル＃１を基準として計算されたＤはＤＬ制御チャネル＃２を基準として計算されたＤと異なり得る。この場合、ＵＬ制御情報はＵＬデータチャネル＃２のための資源要素の中で過度に多い資源要素にマッピングされ得る。したがって、ＵＬデータチャネル＃２の資源割当情報を使ってＤが計算される場合、ＵＬデータチャネル＃２のための資源要素の中で伝送ブロック（例えば、ＵＬデータ）により占有される資源要素が保障され得る。
【００９７】
Ｑ’ＡＣＫのＤが変わる場合、端末はＵＬ制御情報を新しく符号化することができる。チャネルの部分情報２（例えば、チャネルの部分情報２の一部または全部）はＱ’ＣＳＩ−２のＤにより、ＵＬデータチャネル＃１にはマッピングされ得ないがＵＬデータチャネル＃２にはマッピングされ得る。またはチャネルの部分情報２（例えば、チャネルの部分情報２の一部または全部）はＱ’ＣＳＩ−２のＤにより、ＵＬデータチャネル＃２にはマッピングされ得ないがＵＬデータチャネル＃１にはマッピングされ得る。
【００９８】
端末はＵＬ制御チャネル＃２に含まれた情報に基づいて伝送ブロックをＵＬデータチャネル＃２にマッピングすることができる。基地局はＵＬデータチャネル＃２のために十分な大きさ（例えば、資源要素の個数）の資源を割当することができる。したがって、伝送ブロックおよびＵＬ制御情報がＵＬデータチャネル＃２にマッピングされる場合、適切な符号化率が使われ得る。
【００９９】
前述した方法はＤＬ制御チャネル＃１にＵＬ制御情報のみマッピングされる場合にも適用され得る。ＵＬ制御情報の量は技術規格に定義された数式に基づいて決定され得る。ＵＬデータチャネル＃２のための資源要素の個数はＵＬデータチャネル＃１のための資源要素の個数と同じであり得る。またはＵＬデータチャネル＃２のための資源要素の個数はＵＬデータチャネル＃１のための資源要素の個数と異なり得る。
【０１００】
・処理時間
前述した方法を適用するために、端末でＵＬ伝送のための処理時間が必要となり得る。処理時間はＤＬ制御チャネルの復号化のための時間、伝送ブロックの符号化のための時間などを含むことができる。基地局が過度に短い時間を端末に割当する場合に、端末は処理能力（ｐｒｏｃｅｓｓｉｎｇ  ｃａｐａｂｉｌｉｔｙ）によってはすべての手続きを遂行できなくてもよい。下記の方法は前述した方法と共にＵＬ伝送手続きに適用され得る。または下記の方法のみがＵＬ伝送手続きに適用され得る。
【０１０１】
伝送ブロックの（再）割当手続きは基地局と端末によって共有された時間より早い時点で遂行されなくてもよい。基地局と端末によって共有された時間は端末の初期接続手続きで交換された端末の処理能力に基づいて決定され得る。
【０１０２】
または伝送ブロックの（再）割当手続きは基地局と端末によって共有された時間より早い時点で遂行され得る。基地局は端末と初期接続手続きを遂行することができ、初期接続手続きで端末の処理能力を確認することができる。例えば、ＤＬ制御チャネルに基づいた処理動作のために必要な最小時間は端末の処理能力に基づいて決定され得る。必要な最小時間はサブキャリア間隔別に異なって表現され決定され得る。また、必要な最小時間はシンボルまたはスロット単位で設定され得る。
【０１０３】
基地局が同じ伝送ブロックの資源割当情報を含む２個以上のＤＬ制御チャネルを伝送した場合、２個以上のＤＬ制御チャネルを受信した端末は、２個以上のＤＬ制御チャネルが同じ伝送ブロックの資源割当情報を含むため、すべての処理動作を遂行しないことができる。すなわち、一部の動作（例えば、符号化率マッチング動作）は端末によって遂行されなくてもよい。したがって、同じ伝送ブロックの再割当のためのＤＬ制御チャネルに基づいた処理動作のために必要な最小時間は、伝送ブロックの割当のためのＤＬ制御チャネルに基づいた処理動作のために必要な最小時間と異なって設定され得る。
【０１０４】
ＤＬ制御チャネル＃１がＵＬ制御情報と伝送ブロック（例えば、ＵＬデータ）の多重化を指示する場合、端末は新しいＤＬ制御チャネル＃２を受信することができる。この場合、端末はＵＬ制御情報と伝送ブロックを互いに異なる物理チャネル（例えば、ＵＬ制御チャネルおよびＵＬデータチャネル）にマッピングすることができる。または端末はＵＬ制御情報の伝送なしに伝送ブロックのみを含むＵＬデータチャネルを伝送することができる。処理動作それぞれにおいて必要な時間は異なるため、処理動作別に必要な時間が区分される必要がある。
【０１０５】
ＵＬ制御情報の処理のために必要な時間は伝送ブロックの処理のために必要な時間と区分され得る。端末でＵＬ制御情報の処理のために必要な時間が確保された場合、端末はＵＬ制御情報をＵＬ制御チャネルにマッピングすることができる。または端末はＵＬ制御情報と伝送ブロックをＵＬデータチャネルで多重化することができる。
【０１０６】
ＵＬ制御情報をＵＬ制御チャネルにマッピングする手続きはＵＬ制御情報をＵＬデータチャネルにマッピングする手続きと異なり得る。ここで、必要な時間はＵＬ制御チャネルのマッピング手続きでＵＬ制御情報の処理時間およびＵＬデータチャネルのマッピング手続きでＵＬ制御情報の処理時間のうち長い時間であり得る。ただし、ＵＬ制御チャネルのマッピング手続きでＵＬ制御情報の処理時間はＵＬデータチャネルのマッピング手続きでＵＬ制御情報の処理時間と同一なものと仮定することができる。
【０１０７】
ＵＬ制御チャネルのマッピング手続きでＵＬ制御情報の処理時間はＵＬデータチャネルのマッピング手続きでＵＬ制御情報の処理時間と異なり得る。その理由は、ＤＬ制御チャネル＃１によって指示されるＵＬデータチャネル＃１でＵＬ制御情報の多重化動作が開始された後に、端末がＤＬ制御チャネル＃２によって指示されるＵＬデータチャネル＃２でＵＬ制御情報と伝送ブロックを多重化することができたり、端末がＵＬ制御情報を新しいＵＬ制御チャネルにマッピングすることができるためである。ＵＬ制御情報がＵＬデータチャネルを通じて伝送される場合、端末は符号化されたＵＬ制御情報およびレートマッチングされたＵＬ制御情報を再使用することができる。反面、ＵＬ制御情報がＵＬ制御チャネルを通じて伝送される場合、端末はＵＬ制御情報のための符号化動作および符号化率マッチング動作（例えば、レートマッチング動作）を新しく遂行することができる。
【０１０８】
・ＰＵＳＣＨバンドリング（ｂｕｎｄｌｉｎｇ）
ＵＬデータチャネルは繰り返し伝送され得る。基地局はＵＬデータの繰り返し伝送回数を指示する情報を上位階層メッセージ、ＤＬ制御チャネル、およびＭＡＣ  ＣＥ（ｃｏｎｔｒｏｌ  ｅｌｅｍｅｎｔ）のうち一つ以上を使って伝送することができる。端末は上位階層メッセージ、ＤＬ制御チャネル、およびＭＡＣ  ＣＥのうち一つ以上を受信することによって、ＵＬデータの繰り返し伝送回数を確認することができる。基地局はＵＬデータチャネルの資源割当情報を含むＤＬ制御チャネルを伝送することができる。端末は基地局からＤＬ制御チャネルを受信することができ、ＤＬ制御チャネルに含まれた情報に基づいてＵＬデータチャネルを繰り返し伝送することができる。ここで、ＵＬデータチャネルは同じ資源（例えば、資源ブロック、開始シンボル、シンボル個数、伝送電力、ＨＡＲＱプロセス識別子）を使って伝送され得る。
【０１０９】
端末は伝送ブロック（例えば、ＵＬデータ）の資源割当情報を含むＤＬ制御チャネル＃１を基地局から受信することができ、ＤＬ制御チャネル＃１の受信後にＤＬ制御チャネル＃２を基地局から受信することができる。ＤＬ制御チャネル＃１および＃２は同じ伝送ブロックの資源割当情報を含むことができる。提案される方法は同じ伝送ブロックの資源割当情報を含むＤＬ制御チャネル＃１および＃２を使った通信手続きだけでなく、互いに異なる伝送ブロックの資源割当情報を含むＤＬ制御チャネル＃１および＃２を使った通信手続きにも適用され得る。
【０１１０】
ＵＬデータチャネル＃１の伝送が完了した後に、端末はＤＬ制御チャネル＃２に対する復号動作を完了することができる。または端末はＵＬデータチャネル＃１の伝送中にＤＬ制御チャネル＃２に対する復号動作を完了することができる。ＤＬ制御チャネル＃２が受信された場合、端末は自身の処理能力による時間の間にＤＬ制御チャネル＃２に対する復号動作を遂行することができる。
【０１１１】
基地局がＵＬデータチャネル＃１および＃２を割当した場合、繰り返し伝送回数はＵＬデータチャネル＃１の繰り返し伝送回数とＵＬデータチャネル＃２の繰り返し伝送回数の合計であり得る。または繰り返し伝送回数はＵＬデータチャネル＃１および＃２がすべて伝送された場合に増加し得る。端末は基地局によって設定された繰り返し伝送回数だけＵＬデータチャネル＃１および＃２を伝送することができる。
【０１１２】
ＤＬ制御チャネル＃２の復号が完了した後にもＵＬデータチャネル＃１の伝送が完了しなかった場合、端末はＵＬデータチャネル＃１を伝送しないことができる。この場合、端末はＵＬデータチャネル＃１を伝送したものと見なさなくてもよい。基地局は端末でＤＬ制御チャネル＃２に対する復号動作の完了時点を予測することができ、予測された完了時点に基づいて端末からどのようなＵＬデータチャネル（例えば、ＵＬデータチャネル＃１または＃２）が伝送されるかを判断することができる。基地局はＵＬデータチャネル＃１のモニタリング動作とＵＬデータチャネル＃２のモニタリング動作を一つ以上のスロットで遂行することができる。端末の処理時間だけでなく伝送タイミング（例えば、ＴＡ（ｔｉｍｉｎｇ  ａｄｖａｎｃｅ））も考慮しなければならないため、端末から伝送されるＵＬデータチャネルを予測することは困難であり得る。
【０１１３】
・ＣＢＧ
一つの伝送ブロックが２個以上のＣＢＧに分けられる場合、基地局は一つの伝送ブロックの代わりに２個以上のＣＢＧに対するＨＡＲＱ応答を伝送することを指示する情報を含む上位階層メッセージを端末に伝送することができる。基地局はＵＬデータチャネル＃１の資源割当情報を含むＤＬ制御チャネル＃１を伝送することができ、ＤＬ制御チャネル＃１を受信した端末はＤＬ制御チャネル＃１に含まれた情報に基づいてＵＬデータチャネル＃１を伝送することができる。
【０１１４】
伝送ブロックの再割当手続きですべての伝送ブロックが再割当されるため、すべての伝送ブロックがマッピングされるＵＬデータチャネル＃２が占有する資源の大きさは多くてもよい。ただし、端末が一部のＣＢＧを伝送することが許容される場合、ＵＬデータチャネル＃２が占有する資源の大きさは減少し得る。一つの伝送ブロックがＫ個のＣＢＧに分けられる場合、端末はＫ個のＣＢＧのうち一部のＣＢＧをＵＬデータチャネル＃１を通じて伝送することができ、Ｋ個のＣＢＧのうち残りのＣＢＧをＵＬデータチャネル＃２を通じて伝送することができる。Ｋは２以上の整数であり得る。ここで、端末は伝送指示を受けていないＣＢＧまたは再割当されていないＣＢＧがないものと仮定することができる。
【０１１５】
図８は、通信システムにおけるＵＬ伝送方法の第６実施例を図示した概念図である。
【０１１６】
図８を参照すると、一つの伝送ブロックは３個のＣＢＧに分けられ得る。説明の便宜のために参照信号は図示されない。基地局は伝送ブロック（例えば、伝送ブロックを構成するＣＢＧ＃１−３）のための資源割当情報を含むＤＬ制御チャネル＃１を伝送することができ、ＣＢＧ＃１−３のうちＣＢＧ＃２−３のための資源割当情報を含むＤＬ制御チャネル＃２を伝送することができる。
【０１１７】
ＤＬ制御チャネル＃１によって指示されるＵＬデータチャネル＃１で伝送ブロックが最初に伝送される場合、ＤＬ制御チャネル＃１は該当伝送ブロックを構成するすべてのＣＢＧのための資源割当情報を含むことができる。反面、ＤＬ制御チャネル＃１によって指示されるＵＬデータチャネル＃１で伝送ブロックが再伝送される場合、ＤＬ制御チャネル＃１は該当伝送ブロックを構成するすべてのＣＢＧの資源割当情報または一部のＣＢＧのための資源割当情報を含むことができる。
【０１１８】
端末はＤＬ制御チャネル＃１−２を受信することができ、ＤＬ制御チャネル＃１に含まれた情報に基づいてＵＬデータチャネル＃１を伝送することができ、ＤＬ制御チャネル＃２に含まれた情報に基づいてＵＬデータチャネル＃２を伝送することができる。ＵＬデータチャネル＃１の伝送手続きにおいて、端末は伝送ブロックを構成するすべてのＣＢＧ＃１−３のうちＤＬ制御チャネル＃２によって指示されないＣＢＧ＃１を伝送することができる。
【０１１９】
ＤＬ制御チャネル＃１は一つの伝送ブロックを３個のＣＢＧ（すなわち、ＣＢＧ＃１−３）に分けることを指示する情報および／または３個のＣＢＧ（すなわち、ＣＢＧ＃１−３）をＵＬデータチャネル＃１にマッピングすることを指示する情報を含むことができる。ＤＬ制御チャネル＃２はＣＢＧ＃２−３をＵＬデータチャネル＃２にマッピングすることを指示する情報を含むことができる。ＣＢＧ＃１の伝送のための情報はＤＬ制御チャネル＃２に含まれないため、端末はＤＬ制御チャネル＃１に含まれた情報に基づいてＣＢＧ＃１を伝送することができる。この場合、ＣＢＧ＃１はＵＬデータチャネル＃１を通じて伝送され得る。ＣＢＧ＃２−３の伝送のための情報はＤＬ制御チャネル＃２に含まれるため、端末はＤＬ制御チャネル＃１の代わりにＤＬ制御チャネル＃２に含まれた情報に基づいてＣＢＧ＃２−３を伝送することができる。この場合、ＣＢＧ＃２−３はＵＬデータチャネル＃２を通じて伝送され得る。ここで、ＵＬデータチャネル＃１の時間および周波数資源はＵＬデータチャネル＃２の時間および周波数資源と異なり得る。
【０１２０】
一部のＣＢＧの伝送が許容される場合、端末は一部のＣＢＧがマッピングされたシンボルをすべて伝送することができる。ＵＬデータチャネル＃１でＣＢＧ＃１−２は同じシンボルにマッピングされ得る。この場合、端末はＣＢＧ＃１がマッピングされるシンボルと同じシンボルにマッピングされるＣＢＧ＃２のための資源に、ＣＢＧ＃２の一部の値、ナル（ｎｕｌｌ）値、または基地局と端末間にあらかじめ設定された値（例えば、特定シークエンス）をマッピングすることができる。この場合、ＣＢＧ＃１がマッピングされるシンボルですべてのサブキャリアにデータがマッピングされ得る。ＣＢＧ＃１−２が同じシンボルにマッピングされるものと設定され、該当シンボルでＣＢＧ＃１のみが伝送される場合、シンボルごとに電力制御が変わる問題が発生し得る。この場合、適切な品質の波形を有するＵＬデータチャネル＃１を生成することは困難であり得る。
【０１２１】
基地局はＵＬデータチャネル＃１内の特定のシンボルの後にマッピングされるＣＢＧを伝送しないことを指示する情報を含むＤＬ制御チャネル＃２を端末に伝送することができる。基地局はＣＢＧ＃１および＃３をＵＬデータチャネル＃１にマッピングすることを指示する情報を含むＤＬ制御チャネル＃１を伝送することができ、ＣＢＧ＃２をＵＬデータチャネル＃２にマッピングすることを指示する情報を含むＤＬ制御チャネル＃２を伝送することができる。端末はＤＬ制御チャネル＃１および＃２を受信することができ、ＤＬ制御チャネル＃１および＃２に含まれた情報に基づいてＵＬ伝送を遂行することができる。この場合、ＵＬデータチャネル＃１が伝送される伝送区間＃１に属した一部のシンボルで伝送電力は０であり得、伝送区間＃１で一部のシンボルを除いた残りのシンボルで伝送電力は０より大きくてもよい。したがって、適切な品質の波形を有するＵＬデータチャネル＃１を生成することは困難であり得る。
【０１２２】
このような問題を解決するために、基地局はＵＬデータチャネル＃１で特定の時間を設定することができ、特定の時間を基準として伝送領域（例えば、伝送シンボル）と非伝送領域（例えば、伝送されなかったシンボル）が区分され得る。基地局はＣＢＧをＵＬデータチャネル＃１内の伝送領域にマッピングすることを指示する情報を含むＤＬ制御チャネル＃２を伝送することができる。端末は基地局からＤＬ制御チャネル＃２を受信することができ、ＤＬ制御チャネル＃２に含まれた情報に基づいて動作することができる。例えば、端末はＵＬデータチャネル＃１内の伝送領域にＣＢＧをマッピングすることができ、ＵＬデータチャネル＃１内の非伝送領域にＣＢＧをマッピングしないことができる。
【０１２３】
また、端末はＵＬデータチャネル＃１内の伝送領域で参照信号を伝送することができ、ＵＬデータチャネル＃１内の非伝送領域で参照信号を伝送しないことができる。例えば、基地局はＵＬデータチャネル＃１の最初のシンボルを通じて伝送される参照信号（例えば、ｆｒｏｎｔ−ｌｏａｄｅｄ  ＤＭ−ＲＳ（ｄｅｍｏｄｕｌａｔｉｏｎ−ｒｅｆｅｒｅｎｃｅ  ｓｉｇｎａｌ）とＵＬデータチャネル＃１のｎ番目のシンボルを通じて伝送される参照信号（例えば、追加（ａｄｄｉｔｉｏｎａｌ）ＤＭ−ＲＳ）の設定情報を含む上位階層メッセージを端末に伝送することができる。ここで、ｎは２以上の整数であり得る。端末は基地局から上位階層メッセージを受信することによってＵＬデータチャネル＃１で伝送される参照信号（例えば、ｆｒｏｎｔ−ｌｏａｄｅｄ  ＤＭ−ＲＳおよび追加ＤＭ−ＲＳ）の設定情報を獲得することができる。したがって、端末はＵＬデータチャネル＃１の最初のシンボルでＤＭ−ＲＳを伝送することができる。ただし、ｎ番目のシンボルがＵＬデータチャネル＃１の非伝送領域に属する場合、端末はＵＬデータチャネル＃１のｎ番目のシンボルでＤＭ−ＲＳを伝送しないことができる。
【０１２４】
基地局はＵＬデータチャネルに対する周波数ホッピングの設定情報を含む上位階層メッセージを端末に伝送することができる。端末は基地局から上位階層メッセージを受信することによってＵＬデータチャネルに対する周波数ホッピングの設定情報を獲得することができる。一つのＣＢＧは２個の周波数ホップに該当するＵＬデータチャネルに含まれ得る。例えば、最初の周波数ホップに該当するＵＬデータチャネル（例えば、ＵＬデータチャネル＃１）にすべてのＣＢＧが含まれ得る。ここで、ＵＬデータチャネル＃１内の非伝送領域にマッピングされるＣＢＧをＵＬデータチャネル＃２を通じて伝送することを指示する情報を含むＤＬ制御チャネル＃２が生成される場合、すべてのＣＢＧが再割当されることが好ましい。この方法は伝送ブロック単位の再割当方法と同じであり得る。
【０１２５】
例えば、ＵＬ制御情報はＵＬデータチャネル＃１にマッピングされ得る。ＵＬデータチャネル＃１が周波数ホッピングなしに伝送される場合、すべてのＵＬ制御情報はＵＬデータチャネル＃１で前方のシンボルにマッピングされ得る。この場合、伝送ブロックまたはＣＢＧはＵＬデータチャネル＃１を構成するシンボルのうちＵＬ制御情報がマッピングされたシンボルを除いた残りのシンボル（例えば、ＵＬデータチャネル＃１で後方領域に位置したシンボル）にマッピングされ得る。ＵＬデータチャネル＃１で追加参照信号（例えば、追加ＤＭ−ＲＳ）のマッピングの有無に関わらず、ＵＬ制御情報および伝送ブロック（またはＣＢＧ）は同じ規則によりＵＬデータチャネル＃１にマッピングされ得る。全体の伝送ブロックまたはすべてのＣＢＧの資源割当情報を含むＤＬ制御チャネル＃２が受信された場合、端末はＵＬデータチャネル＃１の代わりにＵＬ制御チャネルを使ってＵＬ制御情報を伝送することができる。
【０１２６】
または端末は参照信号とＵＬ制御情報をＵＬデータチャネル＃１（例えば、ＵＬデータチャネル＃１を構成するシンボル）にマッピングすることができ、シンボルにマッピングされた参照信号とＵＬ制御情報を伝送することができる。この場合、ＵＬデータチャネル＃１を構成するサブキャリアのうち参照信号およびＵＬ制御情報の伝送のために使われない残りのサブキャリアが存在し得る。端末は残りのサブキャリアに任意の値、伝送ブロック、ＣＢＧ、または端末と基地局間にあらかじめ設定された情報（例えば、特定シークエンス）をマッピングすることができる。
【０１２７】
√  ＵＬ  ＰＩ（ｐｒｅｅｍｐｔｉｏｎ  ｉｎｄｉｃａｔｉｏｎ）または動的資源予約
図９は、通信システムにおけるＵＬ伝送方法の第７実施例を図示した概念図である。
【０１２８】
図９を参照すると、端末は二つ以上の要求事項（例えば、遅延およびエラー率）を有するデータを、ＵＬデータチャネルを使って伝送することができる。例えば、データ＃１はｅＭＢＢデータであり得、データ＃２はＵＲＬＬＣデータであり得る。端末＃１がデータ＃１を含むＵＬデータチャネル＃１を伝送する途中で、端末＃１または端末＃２がＵＬデータチャネル＃２を通じてデータ＃２を伝送しなければならない場合が発生し得る。ＵＬデータチャネル＃１の一部または全部はＵＬデータチャネル＃２と重なり得る。
【０１２９】
この場合、ＵＬデータチャネル＃２の干渉を最小化するために、基地局はＵＬデータチャネル＃１が伝送されないように制御することができる。例えば、基地局はＵＬデータチャネル＃１を伝送しないことを指示する情報を含むＵＬ制御チャネル＃３を端末＃１に伝送することができる。端末＃１はＤＬ制御チャネル＃３を受信することができ、ＤＬ制御チャネル＃３に含まれた情報に基づいてＵＬデータチャネル＃１を伝送しないことができる。またはＤＬ制御チャネル＃３に対する復号動作の完了前に一部ＵＬデータチャネル＃１が伝送された場合、端末＃１は残りのＵＬデータチャネル＃１を伝送しないことができる。
【０１３０】
ＤＬデータチャネルの伝送中に、基地局はＵＬデータチャネル＃１を構成する時間および周波数資源中で使われない時間および周波数資源を指示するビットマップを含むＤＬ制御チャネル＃３を伝送することができる。ビットマップに含まれた一つのビットはＵＬ基準資源に対応することができる。端末＃１はＤＬ制御チャネル＃３を受信することができ、ＤＬ制御チャネル＃３に含まれたビットマップによって指示される資源でＵＬデータチャネル＃１を伝送しないことができる。
【０１３１】
ＵＬデータチャネル＃１を伝送している端末にビットマップを通知するために、基地局は一つの端末の識別情報（例えば、Ｃ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ））の代わりに端末が共有する識別情報（例えば、ＳＦＩ（ｓｌｏｔ  ｆｏｒｍａｔ  ｉｎｄｉｃａｔｏｒ）−ＲＮＴＩ、ＩＮＴ（ｉｎｔｅｒｒｕｐｔｉｏｎ）−ＲＮＴＩ、または共同で適用されるＲＮＴＩ）を使ってＤＬ制御チャネル＃３を伝送することができる。例えば、ＤＬ制御チャネル＃３に含まれたＤＣＩ（ｄｏｗｎｌｉｎｋ  ｃｏｎｔｒｏｌ  ｉｎｆｏｒｍａｔｉｏｎ）のＣＲＣ値はＳＦＩ−ＲＮＴＩ、ＩＮＴ−ＲＮＴＩ、または共通のＲＮＴＩによってスクランブリングされ得る。この場合、基地局はＤＬ制御チャネルの特殊フォーマット（例えば、グループ共通ＰＤＣＣＨ）を使って一部のスロットのフォーマットを端末に通知することができる。
【０１３２】
・既存（ｃｏｎｖｅｎｔｉｏｎａｌ）のＵＬキャリアまたはＳＵＬ（ｓｕｐｐｌｅｍｅｎｔａｒｙ  ＵＬ）キャリア適用
ＤＬ制御チャネルはＵＬデータチャネルの資源割当情報だけでなくＵＬデータチャネルが伝送されるキャリア（例えば、既存ＵＬキャリアまたはＳＵＬキャリア）を指示する情報を含むことができる。例えば、既存ＵＬキャリアに属したＵＬ基準資源を指示するビットマップ（例えば、ＵＬデータチャネルが伝送されない資源を指示するビットマップ）はＤＬ制御チャネル＃１を通じて伝送され得、ＳＵＬキャリアに属したＵＬ基準資源を指示するビットマップはＤＬ制御チャネル＃２を通じて伝送され得る。ＤＬ制御チャネル＃１が伝送されるキャリアはＤＬ制御チャネル＃２が伝送されるキャリアと異なり得る。この場合、端末はキャリアごとにＤＬ制御チャネル（例えば、ＤＬ制御チャネル＃１−２）を受信することができ、ＤＬ制御チャネルに含まれたビットマップに基づいてＵＬデータチャネルの伝送の可否を判断することができる。
【０１３３】
またはＤＬ制御チャネルは既存ＵＬキャリアに属したＵＬ基準資源を指示するビットマップ＃１およびＳＵＬキャリアに属したＵＬ基準資源を指示するビットマップ＃２を含むことができる。この場合、端末は一つのＤＬ制御チャネルを受信することによってビットマップ＃１−２を確認することができ、ビットマップ＃１−２に基づいてＵＬデータチャネルの伝送の可否を判断することができる。
【０１３４】
既存ＵＬキャリアに対するビットマップ＃１およびＳＵＬキャリアに対するビットマップ＃２は一つのＤＬ制御チャネル＃３に含まれてもよい。ＤＬ制御チャネル＃３に含まれたどのビットマップどのキャリア（例えば、既存ＵＬキャリアまたはＳＵＬキャリア）に対応するかは、上位階層シグナリングによって指示され得る。例えば、端末はＤＬ制御チャネル＃３の特定位置でビットマップをどのキャリアで適用すべきかが分かる。したがって、基地局は多様な端末に同じＤＬ制御チャネルを伝送することができ、各端末は受信されたＤＬ制御チャネル内の特定位置からビットマップを復号することができる。
【０１３５】
√  ＳＦＩによるＵＬ  ＰＩ
スロットを構成するシンボルそれぞれはＤＬシンボル、ＵＬシンボル、またはフレキシブル（ｆｌｅｘｉｂｌｅ）シンボル（またはアンノウン（ｕｎｋｎｏｗｎ）シンボル）であり得る。基地局はスロットのフォーマットを指示するＳＦＩを上位階層メッセージ、ＤＬ制御チャネル、またはＭＡＣ  ＣＥを使って伝送することができる。例えば、基地局はＳＦＩを含むシステム情報または上位階層メッセージを伝送することができる。または基地局はＳＦＩを含むＤＣＩを、ＤＬ制御チャネルを通じて伝送することができる。端末は上位階層メッセージ、ＤＬ制御チャネル、またはＭＡＣ  ＣＥを受信することによってＳＦＩを獲得することができる。例えば、端末は基地局の上位階層シグナリングによって設定された資源（例えば、時間および周波数資源）でＤＬ制御チャネルを受信することができ、ＤＬ制御チャネルに含まれたＳＦＩを確認することができる。
【０１３６】
再び図９を参照すると、基地局はＤＬ制御チャネル＃１によって割当されたＵＬデータチャネル＃１を構成するシンボルのうちフレキシブルシンボルまたはＤＬシンボルを指示する情報を含むＤＬ制御チャネル＃３を伝送することができる。例えば、ＵＬデータチャネル＃１を構成するシンボルのうち上位階層シグナリングまたはＤＬ制御チャネル＃１によってＵＬシンボルに設定されたシンボルは、ＤＬ制御チャネル＃３によってフレキシブルシンボルまたはＤＬシンボルにオーバーライド（ｏｖｅｒｒｉｄｅ）され得る。端末は基地局からＤＬ制御チャネル＃３を受信することができ、ＤＬ制御チャネル＃３に含まれた情報に基づいてＵＬデータチャネル＃１を構成するシンボルのうちフレキシブルシンボルまたはＤＬシンボルを確認することができる。
【０１３７】
この場合、端末はＵＬデータチャネル＃１を伝送しないことができる。またはＵＬデータチャネル＃１のうちフレキシブルシンボルまたはＤＬシンボルはＵＬ伝送のために使われなくてもよい。例えば、ＵＬデータチャネル＃１にＣＢＧがマッピングされる場合、端末はＵＬデータチャネル＃１を構成するシンボルのうちＤＬ制御チャネル＃３によってフレキシブルシンボルまたはＤＬシンボルに設定されたシンボルを除いた残りのシンボルを使ってＵＬ伝送を遂行することができる。またはＵＬデータチャネル＃１に伝送ブロックがマッピングされる場合、端末はＵＬデータチャネル＃１を伝送しないことができる。
【０１３８】
ＤＬ制御チャネル＃３がＵＬデータチャネル＃１内でＵＬ伝送のために使われないシンボルを指示するため、端末は全帯域でＵＬデータチャネル＃１を伝送しないことができる。ＵＬデータチャネル＃１内の一部の資源ブロックがＵＬ伝送のために使われ、ＵＬデータチャネル＃１の伝送がＵＬデータチャネル＃２の伝送と干渉されない場合、前述した方法によると多くの資源が占有され得る。
【０１３９】
一つの例において、ＳＦＩに対する情報とＵＬ  ＰＩに対する情報は一つのＤＣＩで連接し得る。基地局は上位階層シグナリングで端末に一つのＤＣＩ内でＳＦＩの位置およびＵＬ  ＰＩの位置を指示する情報（例えば、インデックスまたはビットマップ）を指示することができる。基地局は一つのＤＬ制御チャネルで該当ＤＣＩを伝送することができ、ＤＣＩを受信した端末はＤＣＩ内の特定位置で必要な情報（例えば、ＳＦＩおよび／またはＵＬ  ＰＩ）を獲得することができる。ＤＣＩを復号するための識別情報（例えば、ＲＮＴＩ）はＳＦＩ−ＲＮＴＩ、ＩＮＴ−ＲＮＴＩ、または他のＲＮＴＩであり得、基地局は上位階層シグナリングを使ってＤＣＩを復号するための識別情報を一つ以上の端末に設定することができる。
【０１４０】
√  ＤＬ  ＰＩによるＵＬ  ＰＩ
スロットを構成する資源を複数のＤＬ基準資源に分けることができ、一つ以上のスロットに対する時間および周波数資源（例えば、ＤＬ基準資源）は複数のビットによって指示され得る。複数のビットで構成されるビットマップ（例えば、ＤＬ  ＰＩ）は特定フォーマットのＤＣＩを通じて伝送され得る。端末はＤＬ制御チャネルを通じてＤＣＩを受信することができ、ＤＣＩに含まれたビットマップによって指示されるＤＬ基準資源でＤＬ制御チャネルまたはＤＬデータチャネルを受信しないことができる。ビットマップに含まれた一つのビットは特定の時間資源および周波数資源（例えば、特定ＤＬ基準資源）でＤＬ制御チャネルまたはＤＬデータチャネルの受信の有無を指示することができる。
【０１４１】
ＤＬ基準資源と同様にＵＬ基準資源が定義され得る。基地局は時間および周波数資源（例えば、ＵＬ基準資源）でＵＬ制御チャネルまたはＵＬデータチャネルの伝送の有無を指示するビットマップ（例えば、ＵＬ  ＰＩ）を含むＤＣＩを生成することができ、ＤＬ制御チャネルを通じてＤＣＩを伝送することができる。ここで、ビットマップは一つ以上のスロットに対するＵＬ基準資源を指示することができる。端末はＤＬ制御チャネルを通じてＤＣＩを受信することができ、ＤＣＩに含まれたビットマップによって指示されるＵＬ基準資源でＵＬ制御チャネルまたはＵＬデータチャネルを伝送しないことができる。
【０１４２】
提案される方法で、ＤＬ  ＰＩおよびＵＬ  ＰＩは同じＤＬ制御チャネル（例えば、同じＤＣＩ）に含まれ得る。ＤＬ  ＰＩが２個のスロットに対するＤＬ基準資源を指示するビットマップである場合、ビットマップ＃１は一つのＤＬスロットに対するＤＬ基準資源を指示することができ、ビットマップ＃２は一つのＵＬスロットに対するＵＬ基準資源を指示することができる。この場合、ＵＬ基準資源は既存ＵＬキャリアまたはＳＵＬキャリアであり得る。基地局はＵＬ基準資源が既存ＵＬキャリアまたはＳＵＬキャリアであることを指示する情報を含む上位階層メッセージを端末に伝送することができる。端末は基地局から上位階層メッセージを受信することができ、上位階層メッセージに含まれた情報に基づいてＵＬ基準資源が既存ＵＬキャリアまたはＳＵＬキャリアであると判断することができる。またはＤＬ基準資源に対するビットマップとＵＬ基準資源に対するビットマップは一つのＤＣＩで連接し得る。基地局はＤＣＩ内でＤＬ基準資源に対するビットマップの位置およびＵＬ基準資源に対するビットマップの位置を指示する情報を含む上位階層メッセージを端末に伝送することができる。端末は基地局から上位階層メッセージを受信することができ、上位階層メッセージに含まれた情報に基づいてＤＣＩ内でＤＬ基準資源に対するビットマップの位置およびＵＬ基準資源に対するビットマップの位置を確認することができる。例えば、端末はＤＣＩ内のある位置でＤＬ基準資源に対するビットマップがＤＬキャリアに該当するかを確認することができ、ＤＣＩ内のある他の位置でＵＬ基準資源に対するビットマップがＵＬキャリア（例えば、既存ＵＬキャリアまたはＳＵＬキャリア）に該当するかが分かる。
【０１４３】
提案される他の方法で、ＤＬ  ＰＩが含まれるＤＬ制御チャネルはＵＬ  ＰＩが含まれるＵＬ制御チャネルと異なり得る。ＤＬ  ＰＩは既存方法により設定され得る。ＳＵＬキャリアのためのＵＬ  ＰＩは既存ＵＬキャリアのためのＵＬ  ＰＩと独立的に生成され得る。この場合、基地局はＳＵＬキャリアのためのＵＬ  ＰＩの受信のために必要な情報を含む上位階層メッセージを端末に伝送することができる。端末は基地局から上位階層メッセージを受信することができ、上位階層メッセージに含まれた情報に基づいてＳＵＬキャリアのためのＵＬ  ＰＩを受信することができる。例えば、端末はＤＬ制御チャネルのための特定探索空間でＵＬ  ＰＩを検出することができる。すなわち、探索空間を知っている端末はＣＣＥに基づいてブラインド（ｂｌｉｎｄ）検出（例えば、ブラインド復号）を遂行することができる。
【０１４４】
提案される方法で、ＵＬ  ＰＩのための識別情報は別途に設定されなくてもよく、既存の識別情報（例えば、ＩＮＴ−ＲＮＴＩ）がＵＬ  ＰＩのための識別情報で使われ得る。ＵＬ  ＰＩの検出を指示する情報を含む上位階層メッセージが基地局から受信された場合、端末はＵＬ  ＰＩを獲得するために、基地局によって設定された識別情報を使ってＤＬ制御チャネルのための特定探索空間で検出動作を遂行することができる。ＤＬ  ＰＩおよびＵＬ  ＰＩの検出を指示する情報を含む上位階層メッセージが基地局から受信された場合、端末はＤＬ制御チャネルのための特定探索空間で一つの識別情報を使って検出動作を遂行することによって、ＤＬ  ＰＩおよびＵＬ  ＰＩを獲得することができる。ここで、ＤＬ  ＰＩおよびＵＬ  ＰＩは同じＤＣＩ（例えば、同じフォーマットを有するＤＣＩ）に含まれ得る。この場合、端末は一つの識別情報を使ってＤＬ  ＰＩおよびＵＬ  ＰＩを獲得することができる。
【０１４５】
提案される他の方法で、ＵＬ  ＰＩのための識別情報はＤＬ  ＰＩのための識別情報と異なり得る。端末はＤＬ制御チャネルのための探索空間でＵＬ  ＰＩを含んだＤＣＩを獲得するためにブラインド検出を遂行することができ、ＤＬ制御チャネルのための探索空間でＤＬ  ＰＩを含んだＤＣＩを獲得するためにブラインド検出を遂行することができる。ＵＬ  ＰＩを含んだＤＣＩのフォーマットはＤＬ  ＰＩを含んだＤＣＩのフォーマットと異なり得る。ＵＬ  ＰＩの大きさを指示する情報は上位階層メッセージを通じて基地局から端末に伝送され得る。基地局は端末がＤＣＩを復号することができるように、ＤＬ制御チャネルのためのＣＣＥの集成レベル（ａｇｇｒｅｇａｔｉｏｎ  ｌｅｖｅｌ）の候補を設定することができる。この場合、探索空間の個数は増加し得る。端末の受信複雑度を減少させるために、探索空間の個数および大きさを増加させない方法が必要となり得る。
【０１４６】
提案される方法で、ＵＬ  ＰＩのための探索空間の個数はあらかじめ設定された探索空間の個数（例えば、探索空間の最大個数）以下に設定され得る。例えば、ＵＬ  ＰＩのための探索空間の個数は１個または２個であり得る。または基地局はＵＬ  ＰＩのための探索空間の個数を指示する情報を含む上位階層メッセージを端末に伝送することができる。または端末は上位階層シグナリングによって設定されたパラメータを使ってＵＬ  ＰＩのための探索空間の個数を推定することができる。ＵＬ  ＰＩのための探索空間の位置はＣＣＥの集成レベルにより決定され得る。端末は前述した方法に基づいてＵＬ  ＰＩのための探索空間を確認することができ、確認された探索空間で検出動作を遂行することによってＵＬ  ＰＩを獲得することができる。
【０１４７】
提案される方法で、ＵＬ  ＰＩのための探索空間（例えば、探索空間が属したＣＯＲＥＳＥＴ（ｃｏｎｔｒｏｌ  ｒｅｓｏｕｒｃｅ  ｓｅｔ））はＤＬ  ＰＩのための探索空間（例えば、探索空間が属したＣＯＲＥＳＥＴ）と同じであり得る。この場合、端末が検出動作を遂行する探索空間の個数は減少し得る。
【０１４８】
図１０は通信システムにおけるＤＬ制御チャネルの探索空間（例えば、論理的探索空間）の第１実施例を図示した概念図であり、図１１は通信システムにおけるＤＬ制御チャネルの探索空間（例えば、論理的探索空間）の第２実施例を図示した概念図である。
【０１４９】
図１０を参照すると、ＵＬ  ＰＩの検出のための設定情報を含む上位階層メッセージが受信され、ＤＬ  ＰＩの検出のための設定情報を含む上位階層メッセージが受信されなかった場合、端末はＵＬ  ＰＩを獲得するための検出動作を遂行することができる。例えば、端末は探索空間に含まれたＰＤＣＣＨ候補＃１−２で検出動作を遂行することができる。すなわち、ＤＬ  ＰＩを獲得するための検出動作は遂行されなくてもよい。
【０１５０】
図１１を参照すると、ＵＬ  ＰＩおよびＤＬ  ＰＩの検出のための設定情報を含む上位階層メッセージが受信され得、ＵＬ  ＰＩの探索空間とＤＬ  ＰＩの探索空間は同じＣＯＲＥＳＥＴに属し得る。端末はＰＤＣＣＨ候補＃１−２で検出動作を遂行することによってＤＬ  ＰＩを獲得することができ、ＰＤＣＣＨ候補＃１−２のうちＤＬ  ＰＩが獲得されたＰＤＣＣＨ候補を除いた残りのＰＤＣＣＨ候補で検出動作を遂行することによってＵＬ  ＰＩを獲得することができる。この場合、ＵＬ  ＰＩのための別途の探索空間（例えば、探索空間が属したＣＯＲＥＳＥＴ）が設定されなくてもよい。ＵＬ  ＰＩはＤＬ  ＰＩが伝送されないＰＤＤＣＨ候補を通じて伝送されるため、ブラインド検出の遂行回数は減少し得る。
【０１５１】
・ビットマップ
ＵＬ  ＰＩはビットマップで設定され得る。ビットマップに含まれた一つのビットはＵＬ基準資源（例えば、時間および周波数領域）を指示することができる。ＵＬ基準資源は端末の活性（ａｃｔｉｖｅ）ＢＷＰ（ｂａｎｄｗｉｄｔｈ  ｐａｒｔ）に属し得、Ｂ個の資源ブロックとＴ個のシンボルで構成され得る。ＢおよびＴは基地局によって設定され得る。ＢおよびＴそれぞれは１以上の整数であり得る。ＤＬ  ＰＩは二つの方式（例えば、方式＃１−２）によりＤＬ基準資源を指示することができる。基地局は二つの方式の中で一つの方式を指示する情報を含む上位階層メッセージを端末に伝送することができる。端末は基地局から上位階層メッセージを受信することができ、上位階層メッセージによって指示される方式によりＤＬ  ＰＩを解釈することができる。
【０１５２】
上位階層メッセージが方式＃１を指示する場合、活性ＢＷＰを構成する資源ブロックは２個の集合に分けられ得、ＤＬ  ＰＩの伝送周期による区間に属するＤＬシンボルは７個の集合に分けられ得、設定された集合（例えば、１４個集合）それぞれは一つのＤＬ基準資源であり得る。上位階層メッセージが方式＃２を指示する場合、活性ＢＷＰを構成する資源ブロックは１個の集合に分けられ得、ＤＬ  ＰＩの伝送周期による区間に属するＤＬシンボルは１４個の集合に分けられ得、設定された集合（例えば、１４個集合）それぞれは一つのＤＬ基準資源であり得る。ビットマップに含まれた一つのビットは該当ビットに対応するＤＬ基準資源でデータの伝送の有無を指示することができる。
【０１５３】
前述した方法は特定ＤＬデータが相対的に広い帯域幅と相対的に少ない個数のシンボルで構成される資源で伝送されるシナリオに適合し得る。また、前述した方法は基地局によってスケジューリングされた互いに異なるＤＬデータの伝送の間に干渉が発生するシナリオまたはＤＬデータ＃１の伝送のために割当された資源をＤＬデータ＃２の伝送のために再割当するシナリオに適用され得る。
【０１５４】
提案する方法で、ＵＬ基準資源はＤＬ基準資源と同じ方法で端末に指示され得る。ＤＬ基準資源が過去の資源をビットマップで表現するのとは異なり、ＵＬ基準資源は未来の資源をビットマップで表現することができ、端末はビットマップ内の各ビットが適用される未来のシンボルおよび周波数資源でデータの伝送の有無を指示することができる。
【０１５５】
また、提案する方法で、ＵＬ  ＰＩによって指示されるＵＬ基準資源は少数の個数のシンボル（例えば、短い時間）と広い帯域幅で構成され得る。このようなＵＬ基準資源が使われる理由は、ＵＲＬＬＣ  ＵＬデータを伝送する端末が基地局と隣接した場所に位置する場合に端末は十分な電力を使って短い時間と広い帯域幅で構成される資源でＵＲＬＬＣ  ＵＬデータを伝送することができるためである。したがって、ＵＬ基準資源を端末に指示するビットマップはＤＬ  ＰＩと類似する特徴を有することができる。すなわち、ＵＬ基準資源の設定のために、端末に設定された活性ＢＷＰは一つまたは二つに分けられ得、該当スロットは一つまたは二つのシンボル単位に分けられ得る。
【０１５６】
ＵＬ  ＰＩは固定された大きさのビットマップを含むため、周波数領域（例えば、活性ＢＷＰ）を分ける個数と時間領域（例えば、ＵＬ  ＰＩの周期に属するスロット）を分ける個数の積は一定となり得る。また、ＵＬ  ＰＩに含まれるビットマップは一つ以上のスロットに適用され得、基地局は上位階層シグナリングを使ってＵＬ  ＰＩに含まれるビットマップが適用されるスロットの個数を端末に通知することができる。ビットマップが適用されるスロットの個数はＵＬ  ＰＩのモニタリング周期と同じであり得る。
【０１５７】
反面、ＵＬデータのための資源割当方式はＤＬデータのための資源割当方式と異なり得るため、前述した方法はＵＬデータの伝送シナリオに適用されなくてもよい。ＵＬデータは端末のＵＬ伝送電力により伝送され得、基地局でＵＬデータの受信品質はＵＬ伝送電力により決定され得る。したがって、低遅延および高品質の要求事項を満足するＵＬ伝送のために、基地局はＵＬデータのための資源を割当することができる。端末は狭い帯域幅と適切な個数のシンボルで構成されるＵＬデータチャネルを通じてＵＬデータを伝送することができる。このような特徴に基づいて、ＵＬ  ＰＩによって指示されるＵＬ基準資源が設計され得る。
【０１５８】
提案される方法で、ＵＬ基準資源の周波数領域は細かく分けられ得、ＵＬ基準資源の時間領域は粗く分けられ得る。ＵＬ基準資源の時間資源を表現するために、基地局はＵＬ  ＰＩの検出周期（例えば、伝送周期）を指示する情報を含む上位階層メッセージを端末に伝送することができる。例えば、ＵＬ  ＰＩの検出周期は１個、２個、または４個のスロットであり得る。ＵＬ  ＰＩの検出周期による区間に属するＵＬシンボルはＡ個の集合に分けられ得る。Ａは１以上の整数であり得る。ＵＬ基準資源の周波数資源を表現するために、活性ＢＷＰ（例えば、活性ＵＬ  ＢＷＰ）はＢ個の集合に分けられ得る。Ｂは７個または１４個であり得る。ＢはＡより大きくてもよい。ＵＬ  ＰＩはＡ×Ｂ個のビットで構成されるビットマップであり得る。ビットマップに含まれた一つのビットは該当ビットに対応するＵＬ基準資源でＵＬデータの伝送の有無を指示することができる。
【０１５９】
提案される方法で、Ａ×Ｂは特定値に制限され得る。基地局は特定値を含む上位階層メッセージを端末に伝送することができ、端末は基地局から上位階層メッセージを受信することによって特定値を確認することができる。または特定値は基地局および端末が知っている技術規格に定義され得る。例えば、Ａ×Ｂは１４に設定され得る。この方法によると、ＵＬ  ＰＩの大きさはＤＬ  ＰＩの大きさと同一に設定され得る。したがって、ＵＬ  ＰＩを検出するために探索するＤＬ制御チャネルの大きさはＤＬ  ＰＩを検出するために探索するＤＬ制御チャネルの大きさと同じであり得る。この場合、端末でＤＬ制御チャネルの受信複雑度は減少し得る。
【０１６０】
図１２は通信システムにおけるＵＬ基準資源の第１実施例を図示した概念図であり、図１３は通信システムにおけるＵＬ基準資源の第２実施例を図示した概念図である。
【０１６１】
図１２を参照すると、ＵＬ  ＰＩは一つのスロットと活性ＢＷＰで構成される資源内で設定されるＵＬ基準資源を指示することができる。一つのスロットに含まれたシンボル（例えば、１４個のシンボル）は２個の集合に分けられ得る。すなわち、Ａは２であり得る。この場合、一つのＵＬ基準資源は７個のシンボルを含むことができる。活性ＢＷＰは７個の集合に分けられ得る。すなわち、Ｂは７であり得る。したがって、ＵＬ  ＰＩの大きさは１４ビットであり得る。
【０１６２】
図１３を参照すると、ＵＬ  ＰＩは２個のスロットと活性ＢＷＰで構成される資源内で設定されるＵＬ基準資源を指示することができる。２個のスロットに含まれたシンボル（例えば、２８個のシンボル）は２個の集合に分けられ得る。すなわち、Ａは２であり得る。この場合、一つのＵＬ基準資源は１４個のシンボルを含むことができる。活性ＢＷＰは７個の集合に分けられ得る。すなわち、Ｂは７であり得る。したがって、ＵＬ  ＰＩの大きさは１４ビットであり得る。図１３の実施例でＡ×Ｂは図１２の実施例でＡ×Ｂと同一に維持され得る。ＡおよびＢそれぞれはＵＬ  ＰＩの伝送周期により調節され得る。
【０１６３】
ＤＬ  ＰＩの受信品質はＵＬ  ＰＩの受信品質と異なり得る。ＤＬ  ＰＩが端末で受信され得ない場合、基地局は該当端末のための再伝送動作を遂行することができ、これに伴い、該当端末は必要なデータを復号することができる。ＵＬ  ＰＩを受信できなかった端末は不要なＵＬデータチャネル（例えば、ＵＬ  ＰＩによって指示されるＵＬデータチャネル）を伝送することができる。この場合、不要なＵＬデータチャネルは他の端末によって伝送されるＵＬデータチャネルに干渉を引き起こし得、これに伴い、基地局はＵＬデータチャネルを成功裏に受信できなくてもよい。このような問題を解決するために、ＵＬ  ＰＩを含むＤＬ制御チャネルの集成レベルはＤＬ  ＰＩを含むＤＬ制御チャネルの集成レベルと異なって設定され得る。
【０１６４】
提案される方法で、ＵＬ  ＰＩは１個のスロット内で設定されるＵＬ基準資源を指示するように設定され得る。この場合、ＵＬ  ＰＩの大きさはＣビットであり得る。端末はＵＬ  ＰＩによって指示されるＵＬ基準資源の伝送状態が現在のスロットだけでなく現在のスロット以後のスロットにおいても同一なものと仮定することができる。受信品質を向上させるために、基地局はＵＬデータチャネルの繰り返し伝送を指示する情報を含む上位階層メッセージを端末に伝送することができる。
【０１６５】
端末は基地局から上位階層メッセージを受信することができ、上位階層メッセージに含まれた情報に基づいてＵＬデータチャネルの繰り返し伝送が要請されるものと判断することができる。この場合、ＵＬ  ＰＩを受信した端末は該当ＵＬ  ＰＩの伝送周期による区間に属したスロットに該当ＵＬ  ＰＩが適用されるものと判断することができる。一つのＵＬ  ＰＩが複数のスロットでＵＬデータチャネルの伝送の有無を指示できるため、ＵＬ  ＰＩの大きさは減少し得る。ただし、基地局はＵＬ  ＰＩが適用される複数のスロットでＵＬ伝送を同一にスケジューリングしなければならないため、ＵＬ伝送のためのスケジューリング柔軟性は減少し得る。
【０１６６】
図１４は、通信システムにおけるＵＬ基準資源の第３実施例を図示した概念図である。
【０１６７】
図１４を参照すると、ＵＬ  ＰＩは２個のスロットと活性ＢＷＰで構成される資源内で設定されるＵＬ基準資源を指示することができる。２個のスロットに含まれたシンボル（例えば、２８個のシンボル）は４個の集合に分けられ得る。すなわち、Ａは４であり得る。この場合、一つのＵＬ基準資源は７個のシンボルを含むことができる。活性ＢＷＰは７個の集合に分けられ得る。すなわち、Ｂは７であり得る。したがって、ＵＬ  ＰＩの大きさは２８ビットであり得る。図１４の実施例でＵＬ  ＰＩの大きさ（すなわち、２８ビット）は図１２または図１３の実施例でＵＬ  ＰＩの大きさ（すなわち、１４ビット）の２倍であり得る。一つのＵＬ  ＰＩが連続した２個のスロットに適用される場合、ＵＬ  ＰＩの大きさは１４ビットで維持され得る。
【０１６８】
■ＵＲＬＬＣ  ＰＵＣＣＨの電力制御方法
【０１６９】
√  ペイロードを考慮した電力制御方法
基地局および端末それぞれはあらかじめ設定された規則に基づいてＵＬ制御チャネルの伝送電力を決定することができる。基地局はＵＬ制御チャネルの伝送電力を決定するために必要なパラメータを含む上位階層メッセージ、ＤＬ制御チャネル、またはＭＡＣ  ＣＥを端末に伝送することができる。端末は基地局から上位階層メッセージ、ＤＬ制御チャネル、またはＭＡＣ  ＣＥを受信することによって、ＵＬ制御チャネルの伝送電力を決定するために必要なパラメータを確認することができる。端末はＵＬ制御チャネルの伝送電力を決定するために、必要なパラメータの一部を基地局から受信された信号（例えば、ＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロック、ＣＳＩ−ＲＳ（ｒｅｆｅｒｅｎｃｅ  ｓｉｇｎａｌ）、ＰＴ（ｐｈａｓｅ  ｔｒａｃｋｉｎｇ）−ＲＳ、ＤＭ−ＲＳなど）に基づいて導き出すことができる。
【０１７０】
提案される電力制御方法はＵＬデータチャネルに適用され得、ＵＬデータチャネルに含まれる伝送ブロックの大きさにより伝送電力は調節され得る。ＵＬデータチャネルがＵＬ制御情報を含まない場合、伝送電力を決定するために伝送ブロック（例えば、ＵＬデータ）の大きさによる関数のみが使われ得る。反面、ＵＬデータチャネルがＵＬ制御情報および伝送ブロックをすべて含む場合、伝送電力を決定するために伝送ブロックの大きさによる関数だけでなくＵＬ制御情報の大きさによる関数も使われ得る。
【０１７１】
例えば、ＵＬデータチャネルが伝送ブロックを含む場合、スロット＃ｉのキャリア＃ｃに該当する資源要素に適用される伝送電力（ＰＣ（ｉ））は下記の数式２に基づいて決定され得る。
【０１７２】
【数２】
2021520707.tif 000004
【０１７３】
ΓＣ（ｉ）は伝送ブロックが有するビットの関数（ＯＴＢ（ｉ））とＵＬデータチャネルのうち資源ブロックにマッピングされる資源要素の大きさ（ＮＲＥ（ｉ））で定義され得る。例えば、ΓＣ（ｉ）は「10・log10(2γ・ＢＰＲＥ（ｉ）−１)」であり得る。ＢＰＲＥ（ｉ）はＯＴＢ（ｉ）／ＮＲＥ（ｉ）で定義され得る。
【０１７４】
または伝送ブロックとＵＬ制御情報をすべて伝送するための伝送電力の規則は下記の数式３の通りであり得る。数式３でスロット＃ｉのキャリア＃ｃでＵＬデータチャネルに適用される伝送電力はＰＣ（ｉ）で定義され得る。
【０１７５】
【数３】
2021520707.tif 000005
ΔＣ（ｉ）はＵＬ制御情報が有するビットの関数（ＯＵＣＩ（ｉ））とＵＬデータチャネルのうち資源ブロックにマッピングされる資源要素の大きさ（ＬＲＥ（ｉ））で定義され得る。例えば、ΔＣ（ｉ）は「10・log10(2κ・ＢＰＲＥ（ｉ）−１)」であり得る。ＢＰＲＥ（ｉ）はＯＵＣＩ（ｉ）／ＬＲＥ（ｉ）で定義され得る。
【０１７６】
または基地局はＵＬデータの大きさに依存する伝送電力を端末に通知しなくてもよい。例えば、基地局はΔＣ（ｉ）に適用される定数を含む上位階層メッセージを端末に伝送することができ、端末は基地局から上位階層メッセージを受信することによってΔＣ（ｉ）に適用される定数を確認することができる。ΔＣ（ｉ）に適用される定数の設定を通じて、ＵＬ制御情報の大きさはＵＬデータの大きさとバランスを取るように設定され得る。この場合、ＵＬデータチャネルに適用される伝送電力は下記の数式４または数式５のように別途の設定変数（例えば、δＣ）を通じて指示され得る。
【０１７７】
δＣは０と１を含む複数の値のうち一つで設定され得る。基地局はδＣのために設定された値を含む上位階層メッセージを端末に伝送することができる。端末は基地局から上位階層メッセージを受信することによってδＣのために設定された値を確認することができる。
【０１７８】
【数４】
2021520707.tif 000006
【０１７９】
【数５】
2021520707.tif 000007
【０１８０】
端末はＰＨ（ｐｏｗｅｒ  ｈｅａｄｒｏｏｍ）を基地局に報告することができる。例えば、端末は周期的にＰＨを基地局に報告することができる。または基地局からＰＨの報告を要請するメッセージが受信された場合、端末はＰＨを基地局に報告することができる。または端末はデータとともにＰＨを基地局に伝送することができる。端末は伝送ブロックの大きさを考慮してＰＨを導き出すことができ、基地局の上位階層シグナリングにより別途のタイプが適用されたＰＨを基地局に伝送することができる。
【０１８１】
■オンゴーイング（ｏｎ−ｇｏｉｎｇ）ＰＵＣＣＨを通じてのＵＲＬＬＣ  ＵＣＩ伝送
【０１８２】
√  追加ＵＣＩ（例えば、１ビットまたは２ビットの大きさを有するＵＲＬＬＣ  ＵＣＩ）伝送のためのＰＵＣＣＨフォーマット３／４
互いに異なる遅延要求条件を有するＤＬデータ（例えば、ｅＭＢＢデータおよびＵＲＬＬＣデータ）の伝送のために、ＵＬ制御情報を符号化した後にも端末は符号化されたＵＬ制御情報（例えば、ｅＭＢＢ  ＵＣＩ）がマッピングされるＵＬ制御チャネルを使って他のＵＬ制御情報（例えば、ＵＲＬＬＣ  ＵＣＩ）を追加に伝送することができる。
【０１８３】
図１５は、通信システムにおけるＵＬ伝送方法の第８実施例を図示した概念図である。
【０１８４】
図１５を参照すると、基地局はＤＬデータチャネル＃１の資源割当情報を含むＤＬ制御チャネル＃１を端末に伝送することができ、ＤＬデータチャネル＃１に対するＨＡＲＱ応答（例えば、ＨＡＲＱ−ＡＣＫ）はＵＬ制御チャネル＃１（例えば、ＤＬ制御チャネル＃１によって指示されるＵＬ制御チャネル＃１）を通じて端末から基地局に伝送され得る。また、基地局はＤＬデータチャネル＃２の資源割当情報を含むＤＬ制御チャネル＃２を端末に伝送することができ、ＤＬデータチャネル＃２に対するＨＡＲＱ応答はＵＬ制御チャネル＃２（例えば、ＤＬ制御チャネル＃２によって指示されるＵＬ制御チャネル＃２）を通じて端末から基地局に伝送され得る。
【０１８５】
ここで、ＤＬデータチャネル＃１の受信時点とＵＬ制御チャネル＃１の伝送時点間の間隔（例えば、伝送遅延）はＤＬデータチャネル＃２の受信時点とＵＬ制御チャネル＃２の伝送時点間の間隔より大きくてもよい。
【０１８６】
端末はＤＬ制御チャネル＃１−２のうち遅く受信されたＤＬ制御チャネル＃２からＵＬ制御チャネル＃２のための資源割当情報を獲得することができる。端末はＤＬデータチャネル＃１に対するＵＬ制御情報（例えば、ＨＡＲＱ応答）およびＤＬデータチャネル＃２に対するＵＬ制御情報（例えば、ＨＡＲＱ応答）を含むＵＬ制御チャネル＃２を伝送することができる。しかし、前記方法はＤＬデータチャネル＃２の受信時点とＵＬ制御チャネル＃２の伝送時点間の間隔が非常に小さい場合に適用が困難であり得る。その理由は、ＵＬ制御チャネル＃２の伝送のために端末が下記の動作を遂行することによって端末で処理時間が長くなるためである。
【０１８７】
−  ＤＬデータチャネル＃２の復調／復号動作
−  ＤＬデータチャネル＃２に対するＨＡＲＱ応答の生成動作
−  ＤＬデータチャネル＃２に対するＨＡＲＱ応答をＤＬデータチャネル＃１に対するＨＡＲＱ応答と共に符号化する動作
−符号化されたＨＡＲＱ応答をＵＬ制御チャネル＃２にマッピングする動作
【０１８８】
提案される方法で、ＤＬデータチャネル＃２に対するＨＡＲＱ応答はＵＬ制御チャネル＃２を通じて伝送され得、ＤＬデータチャネル＃１に対するＨＡＲＱ応答がマッピングされたＵＬ制御チャネル＃１は伝送されなくてもよい。基地局はＤＬデータチャネル＃１に対するＨＡＲＱ応答を帰還のために端末に別途のシグナリングを指示することができる。
【０１８９】
提案される他の方法で、ＤＬデータチャネル＃２に対するＨＡＲＱ応答およびＤＬデータチャネル＃１に対するＨＡＲＱ応答はＵＬ制御チャネル＃２の代わりにＵＬ制御チャネル＃１を通じて伝送され得る。この場合、ＤＬデータチャネル＃２に対するＨＡＲＱ応答は速かに伝送され得る。例えば、ＮＲ通信システムにおけるＵＬ制御チャネル＃１のフォーマット（例えば、ＰＵＣＣＨフォーマット）は１〜４のうち一つであり得、ＵＬ制御チャネル＃１はＤＬデータチャネル＃２に対するＨＡＲＱ応答を含むことができる。
【０１９０】
ＤＬデータチャネル＃２に対するＨＡＲＱ応答をＵＬ制御チャネル＃１を通じて伝送するために、ＵＬ制御情報＃１（例えば、ＤＬデータチャネル＃１に対するＨＡＲＱ応答）の符号化／マッピング手続きでＵＬ制御情報＃２（例えば、ＤＬデータチャネル＃２に対するＨＡＲＱ応答）を考慮した動作が必要となり得る。ＵＬ制御情報＃２の最大の大きさが特定値に制限される場合、端末は符号化されたＵＬ制御情報＃２がマッピングされるシンボルの個数を推定することができる。この場合、端末は基地局の上位階層シグナリングによって設定された変数または端末が知っている技術規格に定義された変数に基づいてＵＬ制御情報＃２の変調化率および／または符号化率を確認することができる。
【０１９１】
基地局はＵＬ制御情報＃１の変調化率および／または符号化率を指示する情報を含む上位階層メッセージを端末に伝送することができる。端末は基地局から上位階層メッセージを受信することによってＵＬ制御情報＃１の変調化率および／または符号化率を確認することができる。例えば、ＵＬ制御情報＃２の変調化率および／または符号化率はＵＬ制御情報＃１の変調化率および／または符号化率に関わりなく設定され得る。またはＵＬ制御情報＃２の変調化率および／または符号化率はＵＬ制御情報＃１の変調化率および／または符号化率に対する相対的な値で設定され得る。
【０１９２】
提案される方法で、端末はＵＬ制御情報＃１（例えば、ＨＡＲＱ応答および／またはチャネルの部分情報１）の一部をＵＬ制御情報＃２に変えることができる。例えば、端末はパンクチャリング（ｐｕｎｃｔｕｒｉｎｇ）方式に基づいてＵＬ制御情報＃２をＵＬ制御チャネル＃１にマッピングすることができる。
【０１９３】
ＵＬ制御情報＃１がＨＡＲＱ応答を含む場合、端末はＵＬ制御情報＃２の存在に関わらずＤＬデータチャネル＃１に対する符号化されたＨＡＲＱ応答をＵＬ制御チャネル＃１にマッピングすることができる。ＵＬ制御情報＃１がチャネルの部分情報を含む場合、端末はチャネルの部分情報１（例えば、ＣＳＩ部分１）およびチャネルの部分情報２（例えば、ＣＳＩ部分２）それぞれを個別的に符号化することができる。ＵＬ制御情報＃１がＨＡＲＱ応答およびチャネルの部分情報を含む場合、端末はＨＡＲＱ応答とチャネルの部分情報１を共に符号化することができ、チャネルの部分情報２を独立的に符号化することができる。
【０１９４】
提案される方法で、ＵＬ制御情報＃１の一部は伝送されなくてもよい。伝送されないＵＬ制御情報＃１の一部は相対的に重要度が低い制御情報であり得る。例えば、ＵＬ制御情報＃１がＨＡＲＱ応答、チャネルの部分情報１、およびチャネルの部分情報２を含む場合、チャネルの部分情報２の一部または全部は伝送されなくてもよい。
【０１９５】
提案される方法で端末はＨＡＲＱ応答、チャネルの部分情報１、およびチャネルの部分情報２を含むＵＬ制御情報＃１を伝送することができる。この場合、端末はＵＬ制御チャネル＃１を構成する資源要素の中でＨＡＲＱ応答およびチャネルの部分情報がマッピングされた資源要素にＵＬ制御情報＃２をマッピングしないことができる。
【０１９６】
ＵＬ制御情報＃１に属したチャネルの部分情報２の大きさを知るために、基地局はＵＬ制御情報＃１に属したチャネルの部分情報１を複合化することができる。チャネルの部分情報２が初めてマッピングされる資源要素（例えば、開始資源要素）の位置は固定的でなくてもよい。
【０１９７】
ＵＬ制御チャネル＃１でＵＬ制御情報＃２を獲得するために、基地局はＵＬ制御チャネル＃１でＵＬ制御情報＃１の位置（例えば、チャネルの部分情報２のマッピング位置）およびＵＬ制御情報＃２の位置を知ることが好ましい。この場合、基地局でＵＬ制御チャネル＃１の受信複雑度が減少し得る。
【０１９８】
提案される方法で、端末はＵＬ制御情報＃１でチャネルの部分情報２の存在の有無に関わらずＵＬ制御情報＃２の位置（例えば、マッピング位置）を決定することができる。端末はＵＬ制御チャネル＃１でＵＬ制御情報＃１が初めてマッピングされる資源要素の位置を変更することができ、符号化されたＵＬ制御情報＃１を変更された資源要素にマッピングすることができる。
【０１９９】
ＵＬ制御情報＃２は特定個数の資源要素にマッピングされ得るように符号化され得る。端末はＵＬ制御チャネル＃１を構成する資源要素の中であらかじめ設定された資源要素（例えば、再マッピング可能な資源要素）に符号化されたＵＬ制御情報＃２をマッピングすることができる。基地局および端末はあらかじめ設定された資源要素（例えば、再マッピング可能な資源要素）を知っているため、符号化されたＵＬ制御情報＃２は基地局と端末間に設定された資源要素にマッピングされ得る。
【０２００】
図１６は、通信システムにおけるＵＬ制御情報のマッピング方法の第１実施例を図示した概念図である。
【０２０１】
図１６を参照すると、端末はＵＬ制御チャネル（例えば、図１５に図示されたＵＬ制御チャネル＃１）を構成する資源要素の中で参照信号がマッピングされる資源要素を除いた残りの資源要素（例えば、１４個の資源要素）にＵＬ制御情報をマッピングすることができる。ＵＬ制御情報は資源要素のインデックス順序に沿ってマッピングされ得る。例えば、ＵＬ制御情報が初めてマッピングされる資源要素は資源要素＃０であり得る。すなわち、資源要素＃０はＵＬ制御情報がマッピングされる開始資源要素であり得る。
【０２０２】
再マッピング可能な資源要素の個数が５個である場合、端末はＵＬ制御情報＃１がマッピングされる開始資源要素を資源要素＃０から資源要素＃５に変更することができ、ＵＬ制御情報＃１は資源要素＃５からマッピングされ得る。資源要素＃５−１３にＵＬ制御情報＃１のマッピングが完了した後に、残ったＵＬ制御情報＃１は資源要素＃０からマッピングされ得る。
【０２０３】
ＵＬ制御チャネル＃１にマッピングされるＵＬ制御情報＃２が存在する場合、端末はＵＬ制御情報＃２を資源要素＃０からマッピングすることができる。この場合、ＵＬ制御情報＃２はＵＬ制御情報＃１の代わりにＵＬ制御チャネル＃１にマッピングされ得る。ここで、ＵＬ制御情報＃２は再マッピング可能な資源要素に連続的にマッピングされ得る。またはＵＬ制御情報＃２はあらかじめ設定された間隔により再マッピング可能な資源要素にマッピングされ得る。
【０２０４】
・ＰＵＣＣＨフォーマット３
ＰＵＣＣＨフォーマット３が使われる場合、端末はＵＬ制御情報＃１−２を次の通りＵＬ制御チャネル＃１にマッピングすることができる。ここで、ＵＬ制御情報＃１は図１５を参照して説明されたＵＬ制御情報＃１であり得、ＵＬ制御情報＃２は図１５を参照して説明されたＵＬ制御情報＃２であり得、ＵＬ制御チャネル＃１は図１５に図示されたＵＬ制御チャネル＃１であり得る。
【０２０５】
図１７は、通信システムにおけるＵＬ制御情報のマッピング方法の第２実施例を図示した概念図である。
【０２０６】
図１７を参照すると、ＨＡＲＱ応答を含むＵＬ制御情報＃１のマッピング方式はＨＡＲＱ応答およびチャネル情報を含むＵＬ制御情報＃１のマッピング方式と異なり得る。図１７に図示された実施例は周波数ホッピングを支援するシナリオだけでなく周波数ホッピングを支援しないシナリオにも適用され得る。
【０２０７】
チャネル情報は周期的に伝送されたり基地局の要請により伝送されるため、端末はチャネル情報がマッピングされるスロットが分かる。図１７に図示された実施例はチャネル情報の伝送のために使われるスロットに適用され得る。反面、図１７に図示された実施例はチャネル情報の伝送のために使われないスロットに適用されなくてもよい。または図１７に図示された実施例はチャネル情報の伝送のために使われるスロットだけでなくチャネル情報の伝送のために使われないスロットにも適用され得る。
【０２０８】
ＵＬ制御チャネル＃１を通じてＵＬ制御情報＃１−２が伝送される場合、端末はＵＬ制御情報＃１をＵＬ制御チャネル＃１に先にマッピングすることができる。ＵＬ制御チャネル＃１で再マッピング可能な資源要素（例えば、資源要素＃０−７）の個数が８個である場合、端末はＵＬ制御情報＃１を最初のシンボルの資源要素＃８からマッピングすることができる。すなわち、ＵＬ制御情報＃１の開始資源要素は最初のシンボルの資源要素＃８であり得る。ＵＬ制御情報＃１がＨＡＲＱ応答およびチャネルの部分情報（例えば、ＣＳＩ部分１−２）を含む場合、端末はＨＡＲＱ応答と共にＣＳＩ部分１を符号化することができ、符号化されたＨＡＲＱ応答／ＣＳＩ部分１を最初のシンボルの資源要素＃８からマッピングすることができる。符号化されたＨＡＲＱ応答／ＣＳＩ部分１のマッピング完了した後に、端末は符号化されたＣＳＩ部分２を残りの資源要素にマッピングすることができる。この場合、符号化されたＣＳＩ部分２は再マッピング可能な資源要素（例えば、資源要素＃０−７）にもマッピングされ得る。
【０２０９】
ＵＬ制御情報＃１のマッピングが完了した場合、端末はＵＬ制御情報＃２（例えば、ＨＡＲＱ応答）をＵＬ制御チャネル＃１にマッピングすることができる。ＵＬ制御情報＃２の開始資源要素は最初のシンボルの資源要素＃０であり得る。したがって、端末はＵＬ制御情報＃２を最初のシンボルの資源要素＃０、３、および６にマッピングすることができる。この場合、ＵＬ制御情報＃２はＵＬ制御情報＃１（例えば、ＣＳＩ部分２）の代わりに最初のシンボルの資源要素＃０、３、および６にマッピングされ得る。
【０２１０】
・ＰＵＣＣＨフォーマット４
ＰＵＣＣＨフォーマット４が使われる場合、端末はＵＬ制御情報＃１−２を次の通りＵＬ制御チャネル＃１にマッピングすることができる。ここで、ＵＬ制御情報＃１は図１５を参照して説明されたＵＬ制御情報＃１であり得、ＵＬ制御情報＃２は図１５を参照して説明されたＵＬ制御情報＃２であり得、ＵＬ制御チャネル＃１は図１５に図示されたＵＬ制御チャネル＃１であり得る。
【０２１１】
図１８は、通信システムにおけるＵＬ制御情報のマッピング方法の第３実施例を図示した概念図である。
【０２１２】
図１８を参照すると、ＵＬ制御情報＃２がマッピングされる資源要素（例えば、再マッピング可能な資源要素）はＵＬ制御チャネルの後方領域に位置することができる。図１８に図示された実施例は周波数ホッピング方式が使われるシナリオだけでなく周波数ホッピング方式が使われないシナリオにも適用され得る。ＵＬ制御チャネル＃１が周波数ホッピング方式に基づいて伝送される場合、端末は最初の周波数ホップに該当するＵＬ制御チャネル＃１内の最後のシンボルにＵＬ制御情報＃２をマッピングすることができる。ＵＬ制御情報＃１がマッピングされる資源要素の中で一部はＵＬ制御情報＃２の伝送のために使われ得る。提案された方法によると、基地局でＵＬ制御情報＃２の受信は遅延され得る。しかし、端末はＵＬ制御情報＃２の大きさに関わらずＵＬ制御情報＃１をＵＬ制御チャネル＃１にマッピングすることができ、ＵＬ制御情報＃１のマッピング順序が変更されなくてもよい。
【０２１３】
例えば、端末はＵＬ制御情報＃１をＵＬ制御チャネル＃１に先にマッピングすることができる。ＵＬ制御チャネル＃１内の最後のシンボルに再マッピング可能な資源要素が存在するため、端末はＵＬ制御情報＃１のマッピング順序を変更することなくＵＬ制御チャネル＃１内の最初のシンボルからＵＬ制御情報＃１をマッピングすることができる。すなわち、ＵＬ制御情報＃１の開始マッピング資源要素は最初のシンボルの資源要素＃０であり得る。ＵＬ制御情報＃１がＨＡＲＱ応答およびチャネルの部分情報（例えば、ＣＳＩ部分１−２）を含む場合、端末はＨＡＲＱ応答と共にＣＳＩ部分１を符号化することができ、符号化されたＨＡＲＱ応答／ＣＳＩ部分１を最初のシンボルの資源要素＃０からマッピングすることができる。符号化されたＨＡＲＱ応答／ＣＳＩ部分１のマッピングが完了した後に、端末は符号化されたＣＳＩ部分２を残りの資源要素にマッピングすることができる。この場合、符号化されたＣＳＩ部分２は再マッピング可能な資源要素にもマッピングされ得る。
【０２１４】
ＵＬ制御情報＃１のマッピングが完了した場合、端末はＵＬ制御情報＃２（例えば、ＨＡＲＱ応答）をＵＬ制御チャネル＃１内の最後のシンボルに位置した再マッピング可能な資源要素にマッピングすることができる。この場合、再マッピング可能な資源要素ののうち一部のＵＬ制御情報＃１（例えば、ＣＳＩ部分２）の代わりにＵＬ制御情報＃２が再マッピングされ得る。
【０２１５】
一方、端末は拡散符号方式に基づいてＵＬ制御情報をＵＬ制御チャネルにマッピングすることができる。ＰＵＣＣＨフォーマット３または４が使われる場合、再マッピング可能な資源要素は拡散符号の適用単位で設定され得る。拡散符号の適用前に、端末は符号化されたＵＬ制御情報＃１を符号化されたＵＬ制御情報＃２に変えることができ、符号化されたＵＬ制御情報＃１−２を、拡散符号を使ってＵＬ制御チャネル＃１にマッピングすることができる。または端末は符号化されたＵＬ制御情報＃１を、拡散符号を使ってＵＬ制御チャネル＃１にマッピングすることができ、その後に符号化されたＵＬ制御情報＃２を拡散符号を使ってＵＬ制御チャネル＃１にマッピングすることができる。この場合、再マッピング可能な資源要素の一部にＵＬ制御情報＃１の代わりにＵＬ制御情報＃２が再マッピングされ得る。
【０２１６】
下記の図１９および図２０に図示された実施例は拡散符号方式に基づいたＵＬ制御情報のマッピング方法を図示することができる。図１９および図２０に図示された実施例は周波数ホッピングが適用されるシナリオだけでなく周波数ホッピングが適用されないシナリオにも適用され得る。図１９および図２０に図示された実施例でＰＵＣＣＨフォーマット４が使われ得る。ここで、ＵＬ制御情報＃１は図１５を参照して説明されたＵＬ制御情報＃１であり得、ＵＬ制御情報＃２は図１５を参照して説明されたＵＬ制御情報＃２であり得、ＵＬ制御チャネル＃１は図１５に図示されたＵＬ制御チャネル＃１であり得る。
【０２１７】
図１９は、通信システムにおけるＵＬ制御情報のマッピング方法の第４実施例を図示した概念図である。
【０２１８】
図１９を参照すると、再マッピング可能な資源要素はＵＬ制御チャネル＃１の最初のシンボルに位置することができる。周波数軸で２個の再マッピング可能な資源要素は連続的に位置することができる。端末はＵＬ制御情報＃１を構成するＨＡＲＱ応答およびＣＳＩ部分１に対する符号化動作を遂行することができ、ＵＬ制御チャネル＃１の最初のシンボルに位置した資源要素の中で再マッピング可能な資源要素を除いた残りの資源要素に符号化されたＨＡＲＱ応答／ＣＳＩ部分１をマッピングすることができる。符号化されたＨＡＲＱ応答／ＣＳＩ部分１は拡散符号方式に基づいてＵＬ制御チャネル＃１にマッピングされ得る。
【０２１９】
また、端末はＵＬ制御情報＃１を構成するＣＳＩ部分２に対する符号化動作を遂行することができ、符号化されたＨＡＲＱ応答／ＣＳＩ部分１のマッピング動作が完了した後に符号化されたＣＳＩ部分２をＵＬ制御チャネル＃１にマッピングすることができる。符号化されたＣＳＩ部分２は拡散符号方式に基づいてＵＬ制御チャネル＃１にマッピングされ得、再マッピング可能な資源要素にもマッピングされ得る。
【０２２０】
ＵＬ制御情報＃１のマッピング動作が完了した後に、端末は符号化されたＵＬ制御情報＃２をＵＬ制御チャネル＃１内の再マッピング可能な資源要素にマッピングすることができる。符号化されたＵＬ制御情報＃２は拡散符号方式に基づいてＵＬ制御チャネル＃１にマッピングされ得る。この場合、再マッピング可能な資源要素の一部にＵＬ制御情報＃１の代わりにＵＬ制御情報＃２が再マッピングされ得る。
【０２２１】
ＨＡＲＱ応答を含むＵＬ制御情報＃１のマッピング方式はＨＡＲＱ応答およびチャネル情報を含むＵＬ制御情報＃１のマッピング方式と異なり得る。チャネル情報は周期的に伝送されたり基地局の要請により伝送されるため、端末はチャネル情報がマッピングされるスロットが分かる。図１９に図示された実施例はチャネル情報の伝送のために使われるスロットに適用され得る。反面、図１９に図示された実施例はチャネル情報の伝送のために使われないスロットに適用されなくてもよい。または図１９に図示された実施例はチャネル情報の伝送のために使われるスロットだけでなくチャネル情報の伝送のために使われないスロットにも適用され得る。
【０２２２】
図２０は、通信システムにおけるＵＬ制御情報のマッピング方法の第５実施例を図示した概念図である。
【０２２３】
図２０を参照すると、再マッピング可能な資源要素はＵＬ制御チャネル＃１の最後の番目のシンボルに位置することができる。周波数軸で２個の再マッピング可能な資源要素は連続的に位置することができる。端末はＵＬ制御情報＃１を構成するＨＡＲＱ応答およびＣＳＩ部分１に対する符号化動作を遂行することができ、符号化されたＨＡＲＱ応答／ＣＳＩ部分１をＵＬ制御チャネル＃１の最初のシンボルからマッピングすることができる。符号化されたＨＡＲＱ応答／ＣＳＩ部分１は拡散符号方式に基づいてＵＬ制御チャネル＃１にマッピングされ得る。符号化されたＨＡＲＱ応答／ＣＳＩ部分１の開始資源要素はＵＬ制御チャネル＃１内の最初のシンボルで資源要素＃０であり得る。符号化されたＨＡＲＱ応答／ＣＳＩ部分１のマッピング順序は変更されないこともある。
【０２２４】
また、端末はＵＬ制御情報＃１を構成するＣＳＩ部分２に対する符号化動作を遂行することができ、符号化されたＨＡＲＱ応答／ＣＳＩ部分１のマッピング動作が完了した後に符号化されたＣＳＩ部分２をＵＬ制御チャネル＃１にマッピングすることができる。符号化されたＣＳＩ部分２は拡散符号方式に基づいてＵＬ制御チャネル＃１にマッピングされ得、再マッピング可能な資源要素にもマッピングされ得る。
【０２２５】
ＵＬ制御情報＃１のマッピング動作が完了した後に、端末は符号化されたＵＬ制御情報＃２をＵＬ制御チャネル＃１内の再マッピング可能な資源要素にマッピングすることができる。符号化されたＵＬ制御情報＃２は拡散符号方式に基づいてＵＬ制御チャネル＃１にマッピングされ得る。この場合、再マッピング可能な資源要素の一部にＵＬ制御情報＃１の代わりにＵＬ制御情報＃２が再マッピングされ得る。
【０２２６】
■ＤＬ資源割当後のＵＬグラント
基地局はＤＬデータチャネルのための資源割当情報を伝送した後にＵＬグラントを伝送することができる。この場合、ＤＬデータチャネルに対するＨＡＲＱ応答はＵＬグラントによって指示されるＵＬデータチャネルを通じて伝送され得る。例えば、ＵＬ伝送は下記の図２１に図示された実施例により遂行され得る。
【０２２７】
図２１は、通信システムにおけるＵＬ伝送方法の第９実施例を図示した概念図である。
【０２２８】
図２１を参照すると、基地局はＤＬ制御チャネル＃１およびＤＬ制御チャネル＃２を順次一つの端末に伝送することができる。ＤＬ制御チャネル＃１はＤＬデータチャネル＃１のための資源割当情報を含むことができ、ＤＬ制御チャネル＃２はＵＬデータチャネル＃２のための資源割当情報を含むことができる。ＤＬデータチャネル＃１に対するＨＡＲＱ応答はＵＬ制御チャネル＃１を通じて伝送され得、ＵＬ制御チャネル＃１の開始時間資源（例えば、開始スロットまたは開始シンボル）はＵＬデータチャネル＃２の開始時間資源（例えば、開始スロットまたは開始シンボル）と同じであり得る。この場合、端末はＤＬデータチャネル＃１に対するＨＡＲＱ応答をＵＬ制御チャネル＃１の代わりにＵＬデータチャネル＃２を通じて伝送することができる。したがって、伝送ブロック（例えば、ＵＬデータ）およびＨＡＲＱ応答がＵＬデータチャネル＃２にマッピングされ得る。
【０２２９】
ＤＬ制御チャネル＃１はＵＬ制御情報＃１（例えば、ＵＬ制御チャネル＃１に伝送されるＵＬ制御情報＃１）の大きさを指示する指示子を含むことができる。ＤＬ制御チャネル＃１を受信した端末はＤＬ制御チャネル＃１に含まれた指示子に基づいてＵＬ制御情報＃１の大きさを確認することができる。また、端末は基地局からＤＬ制御チャネル＃２を受信することができ、ＤＬ制御チャネル＃２によって指示されるＵＬデータチャネル＃２内でＵＬ制御情報＃１がマッピングされる資源の大きさを決定することができる。
【０２３０】
端末がＤＬ制御チャネル＃１よりＤＬ制御チャネル＃２を先に受信した場合、ＤＬデータチャネル＃１に対する応答であるＵＬ制御情報＃１がＵＬデータチャネル＃２を通じて伝送されることは困難であり得る。その理由は、端末はＵＬ制御情報＃１の大きさを知らず、これに伴いＵＬデータチャネル＃２でＵＬ制御情報＃１が占有する資源の大きさを計算できないためである。ただし、端末は下記の方法に基づいてＵＬ制御情報＃１の大きさを推定することができる。
【０２３１】
提案される方法で、端末はＵＬ制御情報＃１の大きさをあらかじめ設定された最大の大きさ（例えば、２ビット）に仮定することができ、ＵＬデータチャネル＃２で最大の大きさを有するＵＬ制御情報＃１が占有する資源の大きさを計算することができる。端末は前記方法に基づいてＵＬ制御情報＃１をＵＬデータチャネル＃２にマッピングすることができる。
【０２３２】
図２２は、通信システムにおけるＵＬ伝送方法の第１０実施例を図示した概念図である。
【０２３３】
図２２を参照すると、基地局はＤＬデータチャネル＃１のための資源割当情報を含むＤＬ制御チャネル＃１、ＵＬデータチャネル＃２のための資源割当情報を含むＤＬ制御チャネル＃２、およびＤＬデータチャネル＃３のための資源割当情報を含むＤＬ制御チャネル＃３を伝送することができる。
【０２３４】
基地局はＤＬデータチャネル＃１に対するＵＬ制御情報＃１がＵＬデータチャネル＃２に含まれることを予想することができる。ＵＬデータチャネル＃２はＵＬ制御情報＃１の大きさと伝送ブロック（例えば、ＤＬ制御チャネル＃２によってスケジューリングされる伝送ブロック）の大きさを考慮して設定され得、ＵＬデータチャネル＃２のための資源割当情報はＤＬ制御チャネル＃２に含まれ得る。端末はＵＬ制御情報＃１の種類および大きさを考慮してＵＬ制御情報＃１をＵＬデータチャネル＃２にマッピングすることができ、ＵＬデータチャネル＃２を構成する資源要素の中でＵＬ制御情報＃１がマッピングされない残りの資源要素に伝送ブロックをマッピングすることができる。
【０２３５】
ＵＬ制御情報＃１は多様な種類の制御情報を含むことができる。例えば、ＵＬ制御情報＃１はＨＡＲＱ応答および／またはチャネル情報を含むことができる。ＮＲ通信システムにおけるチャネル情報および伝送ブロックのマッピング手続きはＨＡＲＱ応答の大きさにより変わり得る。
【０２３６】
例えば、ＨＡＲＱ応答の大きさが１ビットまたは２ビットである場合、端末はＵＬデータチャネルを構成する資源要素の中でＨＡＲＱ応答がマッピングされる資源要素の個数を計算することができ、ＵＬデータチャネルを構成する資源要素の中でＨＡＲＱ応答がマッピングされる資源要素を除いた残りの資源要素にチャネル情報をマッピングすることができる。その後に、端末はＵＬデータチャネルを構成する資源要素の中でチャネル情報がマッピングされない資源要素に伝送ブロックをマッピングすることができる。その後に、端末はＨＡＲＱ応答をＵＬデータチャネルにマッピングすることができる。この場合、ＵＬデータチャネルに属した特定資源要素に伝送ブロックの代わりにＨＡＲＱ応答が再マッピングされ得る。
【０２３７】
例えば、ＨＡＲＱ応答の大きさが３ビットである場合、端末はＨＡＲＱ応答をＵＬデータチャネルにマッピングすることができ、ＵＬデータチャネルを構成する資源要素の中でＨＲＡＱ応答がマッピングされない残りの資源要素にチャネル情報をマッピングすることができ、ＵＬデータチャネルを構成する資源要素の中でＨＲＡＱ応答およびチャネル情報がマッピングされない残りの資源要素に伝送ブロックをマッピングすることができる。
【０２３８】
ＵＬデータチャネル＃２が周波数ホッピング方式に基づいて伝送される場合、ＵＬ制御情報＃１の一部（例えば、ＵＬ制御情報＃１の１／２）は最初の周波数ホップに該当するＵＬデータチャネル＃２にマッピングされ得、ＵＬ制御情報＃１の残りのは二番目の周波数ホップに該当するＵＬデータチャネル＃２にマッピングされ得る。
【０２３９】
ただし、ＤＬ制御チャネル＃２の受信後にＤＬ制御チャネル＃３が受信される場合、ＵＬデータチャネル＃２のマッピング手続きの変更が必要となり得る。端末の処理能力（ｃａｐａｂｉｌｉｔｙ）が足りない場合に、ＤＬデータチャネル＃３に対するＵＬ制御情報＃３は迅速に生成されなくてもよい。この場合、ＵＬデータチャネル＃２の生成手続きにおいて、ＵＬ制御情報＃１およびＵＬ制御情報＃３のすべてをＵＬデータチャネル＃２にマッピングすることは困難であり得る。このような問題を解決するために、ＵＬデータチャネル＃２の資源割当情報を含むＤＬ制御チャネル＃２が伝送された後に、ＤＬデータチャネル＃３の資源割当情報を含むＤＬ制御チャネル＃３が伝送されないことが定義され得る。
【０２４０】
提案される方法で、ＵＬ制御情報＃３の大きさは特定の大きさ以内に制限され得、端末はＵＬデータチャネル＃２のマッピング手続きでＵＬ制御情報＃１がマッピングされる資源要素の位置を変更することができる。基地局は提案される方法（例えば、ＵＬデータチャネル＃２のマッピング方法）を遂行することを指示する情報を含む上位階層メッセージを端末に伝送することができる。端末は上位階層メッセージを受信することができ、上位階層メッセージによって指示される方法（例えば、ＵＬデータチャネル＃２のマッピング方法）を遂行することができる。ここで、提案される方法（例えば、ＵＬデータチャネル＃２のマッピング方法）は上位階層メッセージ、ＭＡＣ  ＣＥ、またはＤＣＩによって活性化／非活性化され得る。
【０２４１】
ＵＬ制御情報＃１の受信品質を確保するために、ＵＬ制御情報＃１は参照信号がマッピングされた資源要素と隣り合う資源要素にマッピングされ得る。また、ＵＬ制御情報＃３は参照信号がマッピングされた資源要素と隣り合う資源要素にマッピングされ得る。提案される方法で、ＵＬ制御情報＃１の開始マッピング資源（例えば、サブキャリアまたは資源ブロック）の位置は変更され得る。例えば、ＵＬ制御情報＃１はＤＬデータチャネル＃２を構成する資源要素の中でＵＬ制御情報＃３がマッピングされない資源要素にマッピングされ得る。
【０２４２】
提案される方法を適用するために、ＵＬデータチャネル＃２に含まれるＵＬ制御情報の大きさが１ビットまたは２ビットであることが好ましい。基地局はＤＬ制御チャネル（例えば、ＤＬデータチャネルの資源割当情報を含むＤＬ制御チャネル）の個数を１個または２個に制限することができる。ＤＬデータチャネルの資源割当情報を含むＤＬ制御チャネルの個数が１個である場合、基地局は該当ＤＬデータチャネルを通じて伝送される伝送ブロックの個数を１個または２個に制限することができる。
【０２４３】
またはＤＬ制御チャネルの個数に制限がない場合、基地局は上位階層シグナリングを使ってＨＡＲＱバンドリングを端末に設定することができる。この場合、端末はＨＡＲＱ応答に対する論理積（ｌｏｇｉｃａｌ  ＡＮＤ）を遂行することによって１ビットの大きさを有するＵＬ制御情報を生成することができる。
【０２４４】
多重アンテナが使われる場合、基地局は２個の伝送ブロックの受信動作を遂行することを指示する情報を含む上位階層メッセージを端末に伝送することができる。端末は基地局から上位階層メッセージを受信することができ、上位階層メッセージに含まれた情報に基づいて動作することができる。例えば、端末は空間ごとに１ビットの大きさのＵＬ制御情報を生成することができる。
【０２４５】
基地局はＣＢＧ基盤の伝送ブロックの受信動作およびＣＢＧ基盤のＵＬ制御チャネルの生成動作を遂行することを指示する情報を含む上位階層メッセージを端末に伝送することができる。端末は基地局から上位階層メッセージを受信することができ、上位階層メッセージに含まれた情報に基づいて動作することができる。例えば、端末はＣＢＧの代わりに伝送ブロックごとに１ビットの大きさのＨＡＲＱ応答を生成することができる。ここで、端末は一つの伝送ブロックに属したすべてのＣＢＧに対するＨＡＲＱ応答に対する論理積を遂行することによって伝送ブロックごとに１ビットの大きさのＨＡＲＱ応答を生成することができる。
【０２４６】
提案される方法で、ＤＬ制御チャネル＃３を受信する前にも端末はＤＬデータチャネル＃３によるＵＬ制御情報＃３の大きさが０ではないものと仮定することができる。例えば、端末はＵＬ制御情報＃３の大きさが１ビットまたは２ビットであると仮定することができる。端末はＵＬ制御情報＃３が存在するという仮定下で、ＵＬ制御情報＃１および伝送ブロックをＵＬデータチャネル＃２にマッピングすることができる。したがって、実際のＵＬ制御情報＃３の存在に関わらず、端末はＵＬ制御情報＃１および伝送ブロックをＵＬデータチャネル＃２にマッピングすることができるため、ＵＬデータチャネル＃２のマッピング動作はＤＬデータチャネル＃３に対する復号動作の完了に関わらず遂行され得る。
【０２４７】
端末はＵＬ制御情報＃１の種類（例えば、ＨＡＲＱ応答、チャネル情報）別に該当ＵＬ制御情報＃１がマッピングされる資源要素の個数を計算することができる。提案される方法を適用するために、シンボル当たり資源要素の基準個数（ＭＳＣＵＣＩ）は再定義され得る。例えば、ＭＳＣＵＣＩでＵＬ制御情報＃３がマッピングされる資源要素の個数は除外され得る。
【０２４８】
ＵＬ制御情報＃３がマッピングされる資源要素の個数は技術規格で定義された数式に基づいて決定され得る。端末はＵＬ制御情報＃３に適用されるβとＵＬ制御情報＃１に属したＨＡＲＱ応答に適用されるβｏｆｆｓｅｔを再使用することができる。ＵＬ制御情報＃３に高い符号率を適用するために、端末は上位階層シグナリングによって設定された値βを使うことができる。基地局はＵＬ制御情報＃３の存在が分からないため、ＤＬ制御チャネル＃２を通じてβを端末に通知しなくてもよい。
【０２４９】
例えば、βはＵＬ制御情報＃１に属したＨＡＲＱ応答に適用されるβｏｆｆｓｅｔに対する相対的な値と定義され得る。ＵＬ制御情報＃１に属したＨＡＲＱ応答の符号化率より高い符号化率をＵＬ制御情報＃３に属したＨＡＲＱ応答に適用するために、ＵＬ制御情報＃３に属したＨＡＲＱ応答に適用されるβは１より大きい値を有することができる。ただし、ＵＬ制御情報の優先順位がＵＬデータチャネルの優先順位より低い場合を支援するために、βは１より小さいように設定され得る。
【０２５０】
またはβは伝送ブロックまたはＣＢＧに対する相対的な値で表現され得る。βは「ＵＬ制御情報＃１が存在せず、伝送ブロックまたはＣＢＧが存在するシナリオ」または「ＵＬ制御情報＃１が存在し、チャネル情報がＵＬデータチャネル＃２を通じて伝送されるシナリオ」に適用され得る。
【０２５１】
図２３は図２２に図示されたＵＬ伝送方法によるＵＬデータチャネル＃２の第１実施例を図示した概念図であり、図２４は図２２に図示されたＵＬ伝送方法によるＵＬデータチャネル＃２の第２実施例を図示した概念図である。
【０２５２】
図２３を参照すると、端末はＵＬ制御情報＃１および伝送ブロック（またはＣＢＧ）をＵＬデータチャネル＃２に先にマッピングすることができ、追加でＵＬ制御情報＃３をＵＬデータチャネル＃２にマッピングすることができる。ここで、ＵＬ制御情報＃１はＨＡＲＱ応答およびチャネル情報を含むことができる。
【０２５３】
図２４を参照すると、端末はＵＬ制御情報＃１をＵＬデータチャネル＃２に先にマッピングすることができ、追加でＵＬ制御情報＃３をＵＬデータチャネル＃２にマッピングすることができる。ここで、ＵＬ制御情報＃１はＨＡＲＱ応答およびチャネル情報を含むことができ、伝送ブロック（またはＣＢＧ）はＵＬデータチャネル＃２にマッピングされなくてもよい。
【０２５４】
提案される方法で、ＵＬ制御情報＃１がマッピングされる開始資源要素の位置は変更され得る。下記の実施例において、ＵＬデータチャネル＃２の生成方法が説明される。下記の実施例は伝送ブロック（例えば、ＵＬデータ）、ＵＬ制御情報＃１、およびＵＬ制御情報＃３が存在するシナリオに適用され得る。
【０２５５】
最初の段階で、端末は技術規格に定義された方法に基づいてＵＬ制御情報＃１をＵＬデータチャネル＃２にマッピングすることができる。ここで、端末はＵＬ制御情報＃１の開始資源要素を計算することができ、開始資源要素以前の資源要素にＵＬ制御情報＃１をマッピングしないことができる。
【０２５６】
二番目の段階で、端末は伝送ブロック（またはＣＢＧ）をＵＬデータチャネル＃２にマッピングすることができる。伝送ブロック（またはＣＢＧ）はＵＬデータチャネル＃２を構成するすべての資源要素の中でＵＬ制御情報＃１および参照信号がマッピングされた資源要素を除いた残りの資源要素にマッピングされ得る。伝送ブロック（またはＣＢＧ）は技術規格に定義された方法に基づいてマッピングされ得る。伝送ブロック（またはＣＢＧ）はＵＬ制御情報＃１がマッピングされた資源要素以後の資源要素からマッピングされ得る。ＵＬ制御情報＃１（例えば、１ビットまたは２ビットのＨＡＲＱ応答）の存在またはＵＬ制御情報＃３の存在によってマッピングが保留された資源要素にも伝送ブロック（またはＣＢＧ）がマッピングされ得る。
【０２５７】
三番目の段階で、端末はＵＬデータチャネル＃２にＵＬ制御情報＃３をマッピングすることができる。ＵＬ制御情報＃３は伝送ブロック（またはＣＢＧ）がマッピングされた資源要素（例えば、図２３に図示された資源要素）またはＵＬ制御情報＃１に属したチャネル情報がマッピングされた資源要素（例えば、図２４に図示された資源要素）に再マッピングされ得る。この場合、ＵＬ制御情報＃３は伝送ブロックまたはＵＬ制御情報＃１の代わりに特定資源要素にマッピングされ得る。
【０２５８】
伝送ブロックまたはＣＢＧが存在しない場合、二番目の段階は省略され得る。ＵＬ制御情報＃３が存在しない場合、三番目の段階は省略され得る。したがって、伝送ブロック（例えば、ＵＬデータ）およびＵＬ制御情報＃３が存在しない場合、端末はＵＬデータチャネル＃２を生成するために最初の段階のみを遂行することができる。または伝送ブロック（例えば、ＵＬデータ）が存在しない場合、端末はＵＬデータチャネル＃２を生成するために最初の段階および三番目の段階を遂行することができる。またはＵＬ制御情報＃１およびＵＬ制御情報＃３が存在しない場合、端末はＵＬデータチャネル＃２を生成するために二番目の段階のみを遂行することができる。またはＵＬ制御情報＃３が存在しない場合、端末はＵＬデータチャネル＃２を生成するために最初の段階および二番目の段階のみを遂行することができる。
【０２５９】
基地局はＵＬデータチャネル＃２に対する周波数ホッピングを上位階層シグナリングを使って端末に設定することができる。この場合、端末はＵＬ制御情報＃１の一部を最初の周波数ホップに該当するＵＬデータチャネル＃２に伝送することができ、残りのＵＬ制御情報＃１を二番目の周波数ホップに該当するＵＬデータチャネル＃２に伝送することができる。
【０２６０】
例えば、ＵＬ制御情報＃３は最初の周波数ホップに該当するＵＬデータチャネル＃２に伝送され得、二番目の周波数ホップに該当するＵＬデータチャネル＃２に伝送されなくてもよい。この場合、基地局はＵＬ制御情報＃３を迅速に獲得することができる。またはＵＬ制御情報＃３は最初の周波数ホップだけでなく二番目の周波数ホップに該当するＵＬデータチャネル＃２で伝送され得る。この場合、周波数多重化利得によって基地局でＵＬ制御情報＃３のエラー率が減少し得る。
【０２６１】
√  ＰＵＣＣＨ反復およびＰＵＳＣＨバンドリング
端末はＵＬ制御情報およびＵＬデータを同一スロットまたは互いに異なるスロットを使って伝送することができる。基地局はＤＬデータチャネルに対するＨＡＲＱ応答の繰り返し伝送回数を指示する情報を含む上位階層メッセージを端末に伝送することができる。端末は基地局から上位階層メッセージを受信することができ、上位階層メッセージに含まれた情報に基づいてＤＬデータチャネルに対するＨＡＲＱ応答の繰り返し伝送回数を確認することができる。ＤＬデータチャネルに対するＨＡＲＱ応答の繰り返し伝送回数は１以上の整数であり得る。
【０２６２】
下記の実施例において、ＤＬ制御チャネル＃ＵはＵＬデータチャネル＃Ｕのための資源割当情報を含むことができる。ＤＬ制御チャネル＃Ｄは２種類に区分され得る。例えば、ＤＬ制御チャネル＃Ｄ１は端末でＤＬ制御チャネル＃Ｕ以前に受信されたＤＬ制御チャネルを指示することができ、ＤＬ制御チャネル＃Ｄ２は端末でＤＬ制御チャネル＃Ｕ以後に受信されたＤＬ制御チャネルを指示することができる。ここで、一つ以上のＤＬ制御チャネル＃Ｄ１が存在し得、一つ以上のＤＬ制御チャネル＃Ｄ２が存在し得る。
【０２６３】
図２５は、通信システムにおけるＵＬ伝送方法の第１１実施例を図示した概念図である。
【０２６４】
図２５を参照すると、基地局はＤＬデータチャネル＃Ｄ１の資源割当情報を含むＤＬ制御チャネル＃Ｄ１を端末に伝送することができ、ＵＬデータチャネル＃Ｕの資源割当情報を含むＤＬ制御チャネル＃Ｕを端末に伝送することができ、ＤＬデータチャネル＃Ｄ２の資源割当情報を含むＤＬ制御チャネル＃Ｄ２を端末に伝送することができる。
【０２６５】
基地局はＨＡＲＱ応答コードブック（例えば、ＨＡＲＱ−ＡＣＫコードブック）の大きさを動的に決定するために使われる情報を、上位階層シグナリングを使って端末に設定することができる。ＤＬ制御チャネル＃Ｄ１、ＤＬ制御チャネル＃Ｕ、およびＤＬ制御チャネル＃Ｄ２それぞれは、Ｃ−ＤＡＩ（ｃａｌｃｕｌａｔｉｏｎ−ｄｏｗｎｌｉｎｋ  ａｓｓｉｇｎｍｅｎｔ  ｉｎｄｅｘ）および／またはＴ（ｔｏｔａｌ）−ＤＡＩを含むことができる。例えば、ＤＣＩフォーマット０＿０はＣ−ＤＡＩおよびＴ−ＤＡＩをすべて含まなくてもよく、ＤＣＩフォーマット０＿１はＴ−ＤＡＩを含むことができ、ＤＣＩフォーマット１＿０はＣ−ＤＡＩを含むことができ、ＤＣＩフォーマット１＿１はＣ−ＤＡＩおよびＴ−ＤＡＩをすべて含むことができる。
【０２６６】
一方、ＤＬ制御チャネル＃Ｕによって割当されたＵＬデータチャネル＃ＵはＵＬデータだけでなくＨＡＲＱ応答（例えば、ＤＬデータチャネル＃Ｄ１および＃Ｄ２に対するＨＡＲＱ応答）を伝送するために使われ得る。基地局はＵＬ制御情報をＵＬデータチャネル＃Ｕにマッピングする動作のための設定情報を、上位階層シグナリングを使って端末に設定することができる。この場合、端末は上位階層シグナリングによって設定された情報に基づいてＵＬ制御情報をＵＬデータチャネル＃Ｕにマッピングすることができる。
【０２６７】
ＤＬ制御チャネル＃Ｄ１によって割当されたＤＬデータチャネル＃Ｄ１が受信された場合、端末はＤＬデータチャネル＃Ｄ１に対するＵＬ制御情報＃Ｄ１を生成することができる。ＵＬ制御情報＃Ｄ１の大きさはＤＬ制御チャネル＃Ｄ１に含まれたＴ−ＤＡＩ＃１によって指示され得る。端末はＵＬ制御情報＃Ｄ１を含むＵＬ制御チャネル＃Ｄ１の生成動作を遂行することができる。その後に、端末は基地局からＤＬ制御チャネル＃Ｕを受信することができる。ＤＬ制御チャネル＃ＵはＵＬ制御情報＃Ｄ１の大きさを指示するＴ−ＤＡＩ＃１を含むことができる。端末はＵＬデータチャネル＃Ｕの生成動作を遂行することができる。ＵＬ制御チャネル＃Ｄ１の開始資源（例えば、開始シンボルまたは開始スロット）がＵＬデータチャネル＃Ｕの開始資源（例えば、開始シンボルまたは開始スロット）と同じである場合、端末はＵＬ制御情報＃Ｄ１をＵＬデータチャネル＃Ｕにマッピングすることができる。または基地局の要請または技術規格に定義された動作により、端末はＵＬ制御情報＃Ｄ１をＵＬデータチャネル＃Ｕにマッピングすることができる。
【０２６８】
ＤＬ制御チャネル＃Ｕの受信後にＤＬ制御チャネル＃Ｄ２が受信された場合、端末はＤＬ制御チャネル＃Ｄ２によって割当されたＤＬデータチャネル＃Ｄ２に対するＵＬ制御情報＃Ｄ２をＵＬデータチャネル＃Ｕにマッピングしないことができる。したがって、端末はＤＬ制御チャネル＃Ｕに含まれたＴ−ＤＡＩ＃１に基づいて伝送ブロックを符号化することによってＵＬデータチャネル＃Ｕを生成することができる。
【０２６９】
反面、提案される方法で、ＤＬ制御チャネル＃Ｕの受信後にＤＬ制御チャネル＃Ｄ２が受信された場合、端末はＤＬ制御チャネル＃Ｄ２によって割当されたＤＬデータチャネル＃Ｄ２に対するＵＬ制御情報＃Ｄ２をＵＬデータチャネル＃Ｕにマッピングすることができる。
【０２７０】
提案される最初の方法で、端末は一つ以上のＤＬ制御チャネル＃Ｄ２を受信することができ、一つ以上のＤＬ制御チャネル＃Ｄ２によって割当された一つ以上のＤＬデータチャネル＃Ｄ２を通じて一つ以上の伝送ブロック（例えば、ＤＬデータ）を受信することができ、一つ以上のＤＬデータチャネル＃Ｄ２に対するＵＬ制御情報＃Ｄ２を制限された大きさだけ生成することができる。
【０２７１】
ここで、ＤＬデータチャネル＃Ｄ２に対するＵＬ制御情報＃Ｄ２の大きさは特定の大きさ以内に制限され得る。例えば、ＵＬ制御情報＃Ｄ２の大きさは１ビットまたは２ビットに制限され得る。ＵＬ制御情報＃Ｄ２の最大の大きさは基地局と端末が知っている技術規格に定義され得る。または基地局はＵＬ制御情報＃Ｄ２の最大の大きさを指示する情報を含む上位階層メッセージを端末に伝送することができる。ＤＬ制御チャネル＃Ｄ２（例えば、ＤＬ制御チャネル＃Ｕ以後に伝送されるＤＬ制御チャネル）の伝送回数は１回または２回に制限され得る。
【０２７２】
また、基地局はＨＡＲＱ応答のバンドリングのために必要な情報を含む上位階層メッセージを端末に伝送することができる。ＨＡＲＱ応答がバンドリングされる場合、ＵＬ制御情報の大きさは圧縮され得る。ＵＬデータチャネル＃Ｕのマッピング動作はＴ−ＤＡＩ＃１に基づいて遂行されるため、ＵＬデータチャネル＃Ｕのマッピング動作はＤＬ制御チャネル＃Ｄ２による影響を受けないことができる。
【０２７３】
提案される二番目の方法で、端末はＴ−ＤＡＩ＃２を含むＤＬ制御チャネル＃Ｄ２を受信することができ、最後に獲得されたＴ−ＤＡＩ（例えば、Ｔ−ＤＡＩ＃２）に基づいて伝送ブロックを符号化することによってＵＬデータチャネル＃Ｕを生成することができる。Ｔ−ＤＡＩの適用時間（例えば、シンボルまたはスロット）は端末の処理能力により変わり得る。端末はＵＬデータチャネル＃Ｕが伝送されるスロットごとに他のＴ−ＤＡＩを適用することによって伝送ブロックを符号化することができ、符号化された伝送ブロックをＵＬデータチャネル＃Ｕにマッピングすることができる。提案される二番目の方法は次のように遂行され得る。
【０２７４】
図２６は、通信システムにおけるＵＬ伝送方法の第１２実施例を図示した概念図である。
【０２７５】
図２６を参照すると、ＵＬ制御チャネル＃Ｄ１および＃Ｄ２それぞれは４回繰り返し伝送され得、ＵＬデータチャネル＃Ｕは８回繰り返し伝送され得る。図２６に図示されたＤＬ制御チャネル＃Ｄ１、ＤＬ制御チャネル＃Ｕ、ＤＬ制御チャネル＃Ｄ２、ＤＬデータチャネル＃Ｄ１、およびＤＬデータチャネル＃Ｄ２それぞれは、図２５に図示されたＤＬ制御チャネル＃Ｄ１、ＤＬ制御チャネル＃Ｕ、ＤＬ制御チャネル＃Ｄ２、ＤＬデータチャネル＃Ｄ１、およびＤＬデータチャネル＃Ｄ２と同じであり得る。
【０２７６】
ＵＬデータチャネル＃Ｕごとに異なるＴ−ＤＡＩが適用され得る。例えば、Ｔ−ＤＡＩ＃１は最初および二番目のＵＬデータチャネル＃Ｕに適用され得る。Ｔ−ＤＡＩ＃１はＤＬ制御チャネル＃Ｄ１またはＤＬ制御チャネル＃Ｕによって指示され得る。Ｔ−ＤＡＩ＃２は三番目および四番目のＵＬデータチャネル＃Ｕに適用され得る。Ｔ−ＤＡＩ＃２はＤＬ制御チャネル＃Ｄ２によって指示され得る。Ｔ−ＤＡＩ＃２はＴ−ＤＡＩ＃１に対する相対的な値で表現され得る。またはＴ−ＤＡＩ＃２はＵＬデータチャネル＃Ｕに含まれるすべてのＵＬ制御情報の大きさを指示する値であり得る。
【０２７７】
Ｔ−ＤＡＩ＃３は五番目および六番目のＵＬデータチャネル＃Ｕに適用され得る。Ｔ−ＤＡＩ＃３はＤＬ制御チャネル＃Ｄ１によって設定され得る。Ｔ−ＤＡＩ＃３はＤＬ制御チャネル＃Ｄ２によって追加で生成されるＵＬ制御情報＃Ｄ２の大きさを指示することができる。Ｔ−ＤＡＩ＃２がＴ−ＤＡＩ＃１に対する相対的な値で表現される場合、Ｔ−ＤＡＩ＃３はＴ−ＤＡＩ＃２と同じであり得る。Ｔ−ＤＡＩ＃２がＵＬデータチャネル＃Ｕに含まれるすべてのＵＬ制御情報の大きさを指示する場合、Ｔ−ＤＡＩ＃３はＴ−ＤＡＩ＃１とＴ−ＤＡＩ＃２間の差であり得る。
【０２７８】
Ｔ−ＤＡＩ＃４は七番目および八番目のＵＬデータチャネル＃Ｕに適用され得る。Ｔ−ＤＡＩ＃４はＵＬ制御情報が存在しないことを指示することができる。端末はＵＬ制御情報の繰り返し伝送回数とＵＬデータチャネルの繰り返し伝送回数を比較することによってＴ−ＤＡＩ＃４を導き出すことができる。
【０２７９】
・Ｔ−ＤＡＩがない場合
一部のＤＣＩフォーマットはＣ−ＤＡＩおよびＴ−ＤＡＩを含まなくてもよい。例えば、ＤＣＩフォーマット０＿０はＴ−ＤＡＩを含まなくてもよい。ＵＬデータチャネルがＤＣＩフォーマット０＿０によって割当される場合、端末はＤＬデータチャネルの資源割当情報を含むＤＬ制御チャネルからＴ−ＤＡＩを獲得することができ、獲得されたＴ−ＤＡＩに基づいてＵＬデータチャネルのマッピング動作を遂行することができる。
【０２８０】
ＤＣＩフォーマット１＿０およびＤＣＩフォーマット１＿１（例えば、ＣＡ（ｃａｒｒｉｅｒ  ａｇｇｒｅｇａｔｉｏｎ）が使われない場合のＤＣＩフォーマット１＿１）はＣ−ＤＡＩのみを含むことができる。すべてのＤＣＩはＵＬ制御チャネルの伝送電力情報（例えば、ＴＰＣ（ｔｒａｎｓｍｉｔ  ｐｏｗｅｒ  ｃｏｎｔｒｏｌ））を含むことができる。例えば、ＤＣＩフォーマット１＿０およびＤＣＩフォーマット１＿１は２ビットの大きさを有するＴＰＣを含むことができる。ＵＬ制御情報をＵＬデータチャネルにマッピングするために、ＤＣＩフォーマット１＿０およびＤＣＩフォーマット１＿１に含まれた特定フィールド（例えば、ＴＰＣ）は他の用途で使われ得る。
【０２８１】
ＵＬデータチャネルの開始資源（例えば、シンボルまたはスロット）がＵＬ制御チャネルの開始資源（例えば、シンボルまたはスロット）と同じである場合、端末および基地局はＨＡＲＱ応答がＵＬ制御チャネルの代わりにＵＬデータチャネルにマッピングされるものと判断することができる。またはＵＬデータチャネルが繰り返し伝送され、ＵＬデータチャネルが伝送されるスロットがＵＬ制御チャネルが伝送されるスロットと重なる場合、端末および基地局はＨＡＲＱ応答がＵＬ制御チャネルの代わりにＵＬデータチャネルにマッピングされるものと判断することができる。
【０２８２】
提案される方法で、ＤＣＩに含まれたＴＰＣは伝送電力の代わりにＴ−ＤＡＩを指示することができる。ＨＡＲＱ応答がＵＬデータチャネルにマッピングされる場合、端末はＤＣＩに含まれたＴＰＣによって指示される値をＴ−ＤＡＩと解釈することができる。提案される方法を適用するために、ＤＬ制御チャネル＃Ｕ以後のＤＬ制御チャネル＃Ｄ２がＣ−ＤＡＩを含む場合、端末はＤＬ制御チャネル＃Ｄ２に含まれたＣ−ＤＡＩをＴ−ＤＡＩと解釈することができる。この場合、基地局はＤＬ制御チャネル＃Ｕを伝送した後に端末が追加で伝送するＵＬ制御情報の大きさを指示するＣ−ＤＡＩを生成することができる。例えば、Ｔ−ＤＡＩ＃２がＴ−ＤＡＩ＃１に対する相対的な値で表現される場合、基地局は端末が追加に伝送するＵＬ制御情報の大きさを指示するＣ−ＤＡＩを生成することができる。
【０２８３】
ＵＬデータチャネル＃Ｕの資源割当情報を含むＤＬ制御チャネル＃Ｕ（例えば、図２５または図２６に図示されたＤＬ制御チャネル＃Ｕ）が受信されなかった場合、端末はＵＬデータチャネル＃Ｕを伝送できないため、ＨＡＲＱ応答をＵＬ制御チャネルにマッピングすることができる。
【０２８４】
ただし、Ｔ−ＤＡＩによって指示される情報はＵＬ制御チャネルの伝送電力と異なるため、ＴＰＣが伝送電力の代わりにＴ−ＤＡＩを指示すると解釈される場合、伝送電力またはＴ−ＤＡＩが間違って解釈される問題が発生し得る。
【０２８５】
例えば、「００」に設定されたＴＰＣは−１ｄＢを指示することができ、「０１」に設定されたＴＰＣは０ｄＢを指示することができ、「１０」に設定されたＴＰＣは＋１ｄＢを指示することができ、「１１」に設定されたＴＰＣは＋３ｄＢを指示することができる。Ｃ−ＤＡＩまたはＴ−ＤＡＩは「Ｙ＞＝１」個のＵＬ制御情報の大きさを表現することができる。「００」に設定されたＤＡＩは「（Ｙ−１）ｍｏｄ４＋１＝１」を満足するＹを指示することができ、「０１」に設定されたＤＡＩは「（Ｙ−１）ｍｏｄ４＋１＝２」を満足するＹを指示することができ、「１０」に設定されたＤＡＩは「（Ｙ−１）ｍｏｄ４＋１＝３」を満足するＹを指示することができ、「１１」に設定されたＤＡＩは「（Ｙ−１）ｍｏｄ４＋１＝４」を満足するＹを指示することができる。
【０２８６】
ＤＡＩが含まれたＤＬ制御チャネルが受信された場合、該当ＤＬ制御チャネルに含まれたＤＡＩは、以前のＤＬ制御チャネルに含まれたＤＡＩより１が増加した値であり得る。しかし、ＵＬ制御チャネルのＴＰＣは４個の値（例えば、００、０１、１０、１１）のうち特定値で設定され得る。
【０２８７】
例えば、現在のＴＰＣが以前のＴＰＣと同じである場合、現在のＴＰＣと以前のＴＰＣ間の差が−１以下である場合、以前のＴＰＣが「１１」に設定され、現在のＴＰＣが「００」ではない他の値で設定された場合、端末はＴＰＣが伝送電力を指示することを判断することができる。反面、現在のＴＰＣと以前のＴＰＣ間の差が＋１である場合、端末はＴＰＣがＴ−ＤＡＩを指示すると解釈することができる。ただし、現在のＴＰＣによって指示される値が以前のＴＰＣによって指示される値の間の差が＋１である場合にも、端末はＴＰＣが伝送電力を指示するものと間違って解釈し得る。
【０２８８】
この場合、端末はＵＬ制御チャネルの伝送電力を０ｄＢ、＋１ｄＢ、または＋３ｄＢだけ増加させるため、基地局でＵＬ制御チャネルの受信性能は向上し得、隣接基地局で該当ＵＬ制御チャネルによる干渉は増加し得る。ただし、増加した伝送電力は大きくないため、増加した伝送電力で伝送されるＵＬ制御チャネルが通信システムに及ぼす影響は大きくない。
【０２８９】
■ＳＲＳ（ｓｏｕｎｄｉｎｇ  ｒｅｆｅｒｅｎｃｅ  ｓｉｇｎａｌ）伝送方法
端末は周期的または非周期的にＳＲＳを伝送することができる。ＳＲＳはスロットに含まれたＵＬシンボルを使って伝送され得る。スロットを構成するシンボルそれぞれはＤＬシンボル、フレキシブルシンボル、またはＵＬシンボルに設定され得る。例えば、スロットを構成するシンボルのタイプ（例えば、ＤＬシンボル、フレキシブルシンボル、またはＵＬシンボル）は上位階層シグナリングによって設定され得、ＳＦＩを含むＤＣＩ（例えば、ＤＣＩフォーマット２＿０）により動的に変更され得る。この場合、ＳＲＳは次のように伝送され得る。
【０２９０】
図２７は、通信システムにおけるＳＲＳの伝送方法の第１実施例を図示したフローチャートである。
【０２９１】
図２７を参照すると、通信システムは基地局および端末を含むことができる。基地局は図１に図示された基地局１１０−１、１１０−２、１１０−３、１２０−１、１２０−２であって、端末は図１に図示された端末１３０−１、１３０−２、１３０−３、１３０−４、１３０−５、１３０−６であり得る。基地局および端末それぞれは図２に図示された通信ノード２００と同一または同様に構成され得る。
【０２９２】
基地局はＳＦＩ（例えば、ＳＦＩ情報）を含む上位階層メッセージ（例えば、ＲＲＣメッセージ）を端末に伝送することができる（Ｓ２７１０）。一般（ｎｏｒｍａｌ）のＣＰが使われる場合、上位階層メッセージに含まれたＳＦＩはすべての端末に共通に適用されるパターンおよび特定端末にのみ適用されるパターンに区分され得る。
【０２９３】
共通に適用されるパターン（例えば、ＴＤＤ−ＵＬ−ＤＬ−ＣｏｎｆｉｇＣｏｍｍｏｎ）は基地局がシステム情報として端末に指示するスロットパターン（例えば、ｐａｔｔｅｒｎ１）およびスロットパターンの基準となるサブキャリア間隔（ｒｅｆｅｒｅｎｃｅＳｕｂｃａｒｒｉｅｒＳｐａｃｉｎｇ）を含むことができる。端末に設定されたパターンは一定の周期Ｐにより繰り返され得る。例えば、周期Ｐは０．５ｍｓ、０．６２５ｍｓ、１ｍｓ、１．２５ｍｓ、２ｍｓ、２．５ｍｓ、５ｍｓ、または１０ｍｓであり得る。サブキャリア間隔により一部の周期Ｐは適用できないこともある。
【０２９４】
一つの周期Ｐに属したスロットの個数Ｓはサブキャリア間隔により異なり得る。一つの周期Ｐによるスロット区間内の前方領域は連続したＤＬスロットが位置し得、一つの周期Ｐによるスロット区間内の後方領域は連続したＤＬスロットが位置し得る。連続したＤＬスロットの個数は上位階層メッセージに含まれたｎｒｏｆＤｏｗｎｌｉｎｋＳｌｏｔｓによって指示され得、連続したＵＬスロットの個数は上位階層メッセージに含まれたｎｒｏｆＵｐｌｉｎｋＳｌｏｔｓによって指示され得る。
【０２９５】
一つの周期Ｐによるスロット区間の中間領域に属したスロットそれぞれは、ＤＬシンボル、フレキシブルＦＬシンボル、およびＵＬシンボルのうち一つ以上を含むことができる。例えば、一つの周期Ｐによるスロット区間の中間領域に属したスロットそれぞれでシンボルの順序は、「ＤＬシンボル→フレキシブルＦＬシンボル→ＵＬシンボル」であり得る。基地局はスロットに含まれたＤＬシンボル、フレキシブルＦＬシンボル、およびＵＬシンボルそれぞれの個数を端末に通知することができる。
【０２９６】
したがって、ＤＬスロットの次のスロット内に連続したＤＬシンボルが位置することができる。連続したＤＬシンボルはスロット内の開始シンボルから位置することができ、連続したＤＬシンボルの個数は上位階層メッセージに含まれたｎｒｏｆＤｏｗｎｌｉｎｋＳｙｍｂｏｌｓによって指示され得る。ＵＬスロットの移転スロット内に連続したＵＬシンボルが位置することができる。連続したＵＬシンボルはスロット内の後方領域に位置することができ、連続したＵＬシンボルの個数は上位階層メッセージに含まれたｎｒｏｆＵｐｌｉｎｋＳｙｍｂｏｌｓによって指示され得る。端末はスロットに含まれたシンボルのうちＤＬシンボルおよびＵＬシンボル以外のシンボルをフレキシブルＦＬシンボルと見なすことができる。
【０２９７】
一方、共通に適用されるパターンを指示する場合、基地局は二つのスロットパターン（例えば、ｐａｔｔｅｒｎ１とｐａｔｔｅｒｎ２）を端末に通知することができる。スロットのパターンそれぞれは互いに異なる周期を有することができる。例えば、ｐａｔｔｅｒｎ１の周期はＰであり得、ｐａｔｔｅｒｎ２の周期はＰ２であり得る。スロットパターンによるＤＬスロットの個数、ＵＬスロットの個数、ＤＬシンボルの個数、およびＵＬシンボルそれぞれの個数は別途に設定され得る。ただし、二つのスロットパターンに一つのサブキャリア間隔が適用され得る。端末は二つのスロットパターンが連続して発生するものと見なすことができ、連続したスロットパターンの周期を二つのスロットパターンの周期の合計（例えば、Ｐ＋Ｐ２）と仮定することができる。
【０２９８】
したがって、最初のスロットパターンに属するスロットの個数Ｓに対して連続したＤＬスロット（例えば、最初のスロットパターンに対するｎｒｏｆＤｏｗｎｌｉｎｋＳｌｏｔｓ）、連続したＤＬシンボル（例えば、最初のスロットパターンに対するｎｒｏｆＤｏｗｎｌｉｎｋＳｙｍｂｏｌｓ）、連続したフレキシブルＦＬシンボル（例えば、最初のスロットパターンによってＤＬシンボルおよびＵＬシンボルに設定されないシンボル）、連続したＵＬシンボル（例えば、最初のスロットパターンに対するｎｒｏｆＵｐｌｉｎｋＳｙｍｂｏｌｓ）、および連続したＵＬスロット（例えば、最初のスロットパターンに対するｎｒｏｆＵｐｌｉｎｋＳｌｏｔｓ）が順に発生し得る。
【０２９９】
二番目のスロットパターンに属するスロットの個数Ｓ２に対して連続したＤＬスロット（例えば、二番目のスロットパターンに対するｎｒｏｆＤｏｗｎｌｉｎｋＳｌｏｔｓ）、連続したＤＬシンボル（例えば、二番目のパターンに対するｎｒｏｆＤｏｗｎｌｉｎｋＳｙｍｂｏｌｓ）、連続したフレキシブルＦＬシンボル（例えば、例えば、二番目のスロットパターンによってＤＬシンボルおよびＵＬシンボルに設定されないシンボル）、連続したＵＬシンボル（例えば、二番目のスロットパターンに対するｎｒｏｆＵｐｌｉｎｋＳｙｍｂｏｌｓ）、および連続したＵＬスロット（例えば、二番目のスロットパターンに対するｎｒｏｆＵｐｌｉｎｋＳｌｏｔｓ）が順に発生し得る。
【０３００】
基地局はさらに、特定端末にのみ適用されるパターン（例えば、ＴＤＤ−ＵＬ−ＤＬ−ＣｏｎｆｉｇＤｅｄｉｃａｔｅｄ）を上位階層シグナリングに設定することができる。端末に追加で指示されるパターンは、共通して適用されるパターンによって設定されたシンボルのうちフレキシブルＦＬシンボルがＤＬシンボル、フレキシブルＦＬシンボル、またはＵＬシンボルに再設定するために使われ得る。共通して適用されるパターンによって設定されたシンボルのうちフレキシブルＦＬシンボル以外のシンボルは、ＤＬシンボルまたはＵＬシンボルに維持されるように特定端末にのみ適用されるパターンによって指示され得る。基地局は特定スロットに属したすべてのシンボルがＤＬシンボルまたはＵＬシンボルであることを、上位階層シグナリングを使って端末に設定することができる。また、基地局は特定スロットが連続したＤＬシンボル、連続したフレキシブルシンボル、および連続したＵＬシンボルを含むことを、上位階層シグナリングを使って端末に設定することができる。
【０３０１】
スロットフォーマットは上位階層メッセージによって端末に指示され得る。また、スロットフォーマットは上位階層メッセージだけでなく動的なシグナリングメッセージによって端末に指示され得る。基地局は特定フォーマットのＤＣＩ（例えば、ＤＣＩフォーマット２＿０）をモニタリングするように、上位階層シグナリングを使って端末に設定することができる。端末は上位階層シグナリングの設定により特定フォーマットのＤＣＩ（例えば、ＤＣＩフォーマット２＿０）をモニタリングすることができる。上位階層メッセージによって設定されたスロットフォーマットはＤＣＩによって変更されなくてもよい。ＤＣＩは上位階層シグナリングによって設定されたフレキシブルＦＬシンボルをＤＬシンボル、ＵＬシンボル、またはフレキシブルＦＬシンボルに再設定（ｏｖｅｒｒｉｄｅ）することを指示することができる。端末にスロットのフォーマットを指示するために、基地局は特定端末が解釈しなければならない一つ以上の情報を連接（ｃｏｎｃａｔｅｎａｔｅ）することによって、特定フォーマットのＤＣＩ（例えば、ＤＣＩフォーマット２＿０）のペイロードを構成することができる。端末はＤＣＩ内の特定位置（例えば、ｐｏｓｉｔｉｏｎＩｎＤＣＩ）で指示する値（例えば、ｓｌｏｔＦｏｒｍａｔＣｏｍｂｉｎａｔｉｏｎＩｄ）を使ってスロットのフォーマットを確認することができる。例えば、基地局は上位階層シグナリングを使ってスロットのフォーマットをシークエンス（例えば、ｓｌｏｔＦｏｒｍａｔＣｏｍｂｉｎａｔｉｏｎｓ）の形態で端末に設定することができる。シークエンスを構成する一つの元素はインデックス（例えば、ｓｌｏｔＦｏｒｍａｔＣｏｍｂｉｎａｔｉｏｎＩｄ）に区分され得、インデックスは一つ以上のスロットのフォーマット（例えば、ｓｌｏｔＦｏｒｍａｔｓ）のシークエンスで構成され得る。
【０３０２】
一つのスロットフォーマット（例えば、ｓｌｏｔＦｏｒｍａｔｓ）は、下記の表１〜表３に記載されたフォーマット＃０〜＃５５のうち一つ以上のフォーマットを指示することができる。表１〜表３において、ＤはＤＬシンボルを指示することができ、Ｆはフレキシブルシンボルを指示することができ、ＵはＵＬシンボルを指示することができる。
【０３０３】
【表１】
2021520707.tif 000008
【０３０４】
【表２】
2021520707.tif 000009
【０３０５】
【表３】
2021520707.tif 000010
【０３０６】
上位階層シグナリングによって設定されたシンボルタイプがＤＣＩによって動的に変更される場合、上位階層メッセージはＳＦＩを含むＤＣＩ（例えば、ＤＣＩフォーマット２＿０）の受信のために必要な情報（例えば、ＣＯＲＥＳＥＴ関連情報（例えば、ＣＯＲＥＳＥＴの時間および周波数資源）、探索空間関連情報（例えば、探索空間の周期）、ＲＮＴＩ）を含むことができる。ＳＦＩを含むＤＣＩ（例えば、ＤＣＩフォーマット２＿０）の受信のために必要な情報は段階Ｓ２７１０の上位階層メッセージを通じて伝送され得る。またはＳＦＩを含むＤＣＩ（例えば、ＤＣＩフォーマット２＿０）の受信のために必要な情報は段階Ｓ２７１０の上位階層メッセージと別途の上位階層メッセージを通じて伝送され得る。
【０３０７】
端末は基地局から上位階層メッセージを受信することができ、上位階層メッセージに含まれたＳＦＩを確認することができる。したがって、端末は上位階層シグナリングによって設定されたＳＦＩに基づいてスロットを構成するシンボルのタイプ（例えば、ＤＬシンボル、フレキシブルシンボル、またはＵＬシンボル）を確認することができる（Ｓ２７２０）。
【０３０８】
また、ＳＦＩを含むＤＣＩ（例えば、ＤＣＩフォーマット２＿０）の伝送が上位階層シグナリングによって設定された場合、端末はＳＦＩを含むＤＣＩ（例えば、ＤＣＩフォーマット２＿０）が伝送されるものと判断することができる。例えば、端末は上位階層メッセージに含まれたＤＣＩ（例えば、ＤＣＩフォーマット２＿０）の受信のために必要な情報を確認することができ、確認された情報によって指示されるＣＯＲＥＳＥＴ内の探索空間でＤＣＩ（例えば、ＤＣＩフォーマット２＿０）を獲得するための復号動作（例えば、ブラインド復号動作）を遂行することができる。
【０３０９】
一方、基地局はＳＦＩを含むＤＣＩ（例えば、ＤＣＩフォーマット２＿０）を伝送することができる（Ｓ２７３０）。例えば、基地局は上位階層シグナリングによって設定されたＣＯＲＥＳＥＴ内の探索空間でＳＦＩを含むＤＣＩ（例えば、ＤＣＩフォーマット２＿０）を伝送することができる。ＤＣＩ（例えば、ＤＣＩフォーマット２＿０）に含まれたＳＦＩは表１〜表３に記載されたフォーマット＃０〜＃５５のうち一つで設定され得る。またはＤＣＩ（例えば、ＤＣＩフォーマット２＿０）に含まれたＳＦＩは上位階層シグナリングによってフレキシブルシンボルに設定されたシンボルのタイプ（例えば、ＤＬシンボル、フレキシブルシンボル、またはＵＬシンボル）を指示することができる。例えば、上位階層メッセージが特定スロットで最初および二番目のシンボルがＤＬシンボルであり、残りのシンボルがフレキシブルシンボルであることを指示する場合、ＤＣＩ（例えば、ＤＣＩフォーマット２＿０）に含まれたインデックスは該当スロットを含んだ多様なスロットのＳＦＩを指示することができ、特に該当スロットではシンボル＃２−１３のうち一つ以上のシンボルのタイプを指示することができる。
【０３１０】
端末は上位階層シグナリングによって設定されたＣＯＲＥＳＥＴ内の探索空間でデコーディング動作を遂行することによってＤＣＩ（例えば、ＤＣＩフォーマット２＿０）を受信することができる。端末はＤＣＩ（例えば、ＤＣＩフォーマット２＿０）に含まれたインデックスに基づいてスロットを構成するシンボルのタイプ（例えば、ＤＬシンボル、フレキシブルシンボル、またはＵＬシンボル）を確認することができる（Ｓ２７４０）。すなわち、端末は上位階層メッセージに含まれたスロットのフォーマットおよびＤＣＩフォーマット２＿０に含まれたインデックスに基づいてスロットを構成するシンボルのタイプを決定することができる。例えば、シンボルタイプは次のように決定され得る。
【０３１１】
図２８は、通信システムにおけるシンボルタイプの決定方法の第１実施例を図示した概念図である。
【０３１２】
図２７および図２８を参照すると、段階Ｓ２７１０で端末はｎ個のフレキシブルシンボルを指示する第１ＳＦＩ情報を基地局から受信することができる。ここで、一つのスロットに含まれるシンボルが１４個である場合、ｎは１〜１４のうち一つの自然数であり得る。図２８に図示された実施例において、第１ＳＦＩ情報（例えば、ＳＦＩ＃１７）は１０個のフレキシブルシンボル（例えば、シンボル＃２−１３）を指示することができる。具体的には、図２８で第１ＳＦＩ情報（例えば、ＳＦＩ＃１７）は該当スロットで最初および二番目のシンボル（例えば、シンボル＃０−１）がＤＬシンボルであり、残りのシンボル（例えば、シンボル＃２−１３）がフレキシブルシンボルであることを指示する上位階層パラメータであり得る。
【０３１３】
図２７および図２８を再び参照すると、段階Ｓ２７３０で端末はｎ個のフレキシブルシンボルのうちｍ個のシンボルをＵＬシンボルとして再指示またはオーバーライドする第２ＳＦＩ情報を基地局から受信することができる。ここで、ｍはｎより小さいか同じ自然数であり得る。図２８に図示された実施例において、第２ＳＦＩ情報は１０個のフレキシブルシンボル（例えば、シンボル＃２−１３）のうち２個のシンボル（例えば、シンボル＃１２−１３）をＵＬシンボルとして再指示またはオーバーライドすることができる。具体的には、図２８で第２ＳＦＩ情報は「該当スロットでシンボル＃０−１がＤＬシンボルであり、シンボル＃２−１１がフレキシブルシンボルであり、シンボル＃１２−１３がＵＬシンボルであること」を指示するＳＦＩ＃２３であり得る。第２ＳＦＩ情報（例えば、ＳＦＩ＃２３）はＤＣＩフォーマット２＿０に含まれて端末に伝送され得る。
【０３１４】
再度説明すると、段階Ｓ２７３０で端末は該当スロットのフォーマット（例えば、ＳＦＩ＃２３）を指示するインデックスを含むＤＣＩフォーマット２＿０または該当スロットのシンボル＃２−１３（すなわち、上位階層シグナリングによってフレキシブルシンボルに設定されたシンボル）のタイプを指示するＳＦＩを含むインデックスを含むＤＣＩフォーマット２＿０を受信することができる。例えば、該当スロットのフォーマットであるＳＦＩ＃２３を指示するインデックスを含むＤＣＩフォーマット２＿０が受信された場合、端末はシンボル＃０−１がＤＬシンボルであると判断することができ、シンボル＃２−１１がフレキシブルシンボルであると判断することができ、シンボル＃１２−１３がＵＬシンボルであると判断することができる。したがって、上位階層シグナリングによってＤＬシンボルに設定されたシンボル＃０−１はＤＬシンボルにそのまま維持され得る。上位階層シグナリングによってフレキシブルシンボルに設定されたシンボル＃２−１１はフレキシブルシンボルにそのまま維持され得る。上位階層シグナリングによってフレキシブルシンボルに設定されたシンボル＃１２−１３はＤＣＩフォーマット２＿０によってＵＬシンボルにオーバーライド（ｏｖｅｒｒｉｄｅ）され得る。
【０３１５】
またはＤＣＩフォーマット２＿０に含まれたインデックスが該当スロットで適用されるＳＦＩがシンボル＃１２−１３をＵＬシンボルとして使うことを指示する場合、端末は上位階層シグナリングによってフレキシブルシンボルに設定されたシンボル＃１２−１３をＵＬシンボルに再設定することができる。この場合、シンボル＃０−１は上位階層シグナリングによりＤＬシンボルに維持され得、シンボル＃２−１１は上位階層シグナリングによりフレキシブルシンボルに維持され得る。
【０３１６】
再び図２７を参照すると、基地局はＳＲＳの設定情報を含む上位階層メッセージ（例えば、ＳＲＳ設定メッセージ）を伝送することができる。ＳＲＳ設定メッセージはＳＲＳ伝送の設定のために使われ得る。ＳＲＳの設定情報は、ＳＲＳ伝送のために使われるシンボルのうち開始シンボルを指示する情報、ＳＲＳ伝送のために使われるシンボルの個数（例えば、２個または４個）を指示する情報、およびＳＲＳの伝送周期を指示する情報のうち一つ以上を含むことができる。ＳＲＳの設定情報は段階Ｓ２７１０の上位階層メッセージを通じて伝送され得る。またはＳＲＳの設定情報は段階Ｓ２７１０の上位階層メッセージと別途の上位階層メッセージを通じて伝送され得る。
【０３１７】
端末は基地局から上位階層メッセージを受信することができ、上位階層メッセージに含まれたＳＲＳの設定情報を確認することができる。端末はＳＲＳの設定情報によりＳＲＳを伝送することができる（Ｓ２７５０）。端末はＳＲＳ伝送のために設定されたシンボルのうちＵＬシンボルに設定されたシンボルを使ってＳＲＳを伝送することができ、ＳＲＳ伝送のために設定されたシンボルのうちフレキシブルシンボルに設定されたシンボルでＳＲＳを伝送しないことができる。
【０３１８】
ＳＲＳはスロット内の最後の６個のシンボル（例えば、シンボル＃８〜＃１３）のうち一つ以上のシンボルを通じて伝送され得る。例えば、ＳＲＳ伝送のために使われる開始シンボルが＃１０であり、ＳＲＳ伝送のために使われるシンボルの個数が４個である場合、スロット内のシンボル＃１０〜＃１３はＳＲＳ伝送のために使われ得る。シンボル＃１０〜＃１３が図２８のように設定された場合、端末はフレキシブルシンボルであるシンボル＃１０−１１でＳＲＳを伝送しないことができ、ＵＬシンボルとして再指示されたシンボル＃１２−１３でＳＲＳを伝送することができる。すなわち、端末はＳＲＳ伝送のために設定された全体のシンボルのうち一部のシンボルを使ってＳＲＳを伝送することができる。また、端末はフレキシブルシンボルでＳＲＳの伝送動作だけでなくＤＬ受信動作およびＵＬ伝送動作を遂行しないことができる。
【０３１９】
基地局はＳＲＳ伝送のために設定されたシンボルを通じて端末からＳＲＳを受信することができる。基地局は上位階層メッセージおよび／またはＤＣＩによってフレキシブルシンボルに設定されたシンボルでＳＲＳを受信することを期待しないことができ、上位階層メッセージおよび／またはＤＣＩによってＵＬシンボルに設定されたシンボルでＳＲＳを受信することを期待することができる。すなわち、基地局はＵＬシンボルを通じて端末からＳＲＳを受信することができ、フレキシブルシンボルでＳＲＳの受信動作を遂行しないことができる。
【０３２０】
■ＵＬ制御チャネルおよびＵＬデータチャネル
基地局は周波数ホッピング動作のために必要な情報を、上位階層シグナリングを使って端末に設定することができる。上位階層シグナリングによって周波数ホッピング動作が設定された場合、端末は上位階層シグナリングによって設定された情報に基づいて周波数ホッピング動作を遂行することができる。一つのスロット内で周波数ホッピングは１回遂行され得る。
【０３２１】
提案される方法で、周波数ホッピングパターンによる資源領域がフレキシブルシンボルを含む場合、端末はフレキシブルシンボルを含む資源領域でＵＬ制御チャネルおよび／またはＵＬデータチャネルを伝送しないことができる。周波数ホッピングパターンによる資源領域がＵＬシンボルのみを含む場合、端末はＵＬシンボルのみを含む資源領域でＵＬ制御チャネルおよび／またはＵＬデータチャネルを伝送することができる。
【０３２２】
例えば、最初の周波数ホッピングによる資源領域＃１がフレキシブルシンボルを含み、二番目の周波数ホッピングによる資源領域＃２がＵＬシンボルでのみ構成された場合、端末は資源領域＃２でＵＬ制御チャネルおよび／またはＵＬデータチャネルを伝送することができる。
【０３２３】
端末が周期的チャネル情報を含むＵＬ制御チャネルを資源領域＃１に伝送する場合、基地局は資源領域＃１で受信されたＵＬ制御チャネルに対する復号動作を遂行することができない。また、周期的ＵＬデータを含むＵＬデータチャネルを資源領域＃１に伝送する場合、基地局は資源領域＃１で受信されたＵＬデータチャネルに対する復号動作を遂行することができない。ただし、ＳＲ（ｓｃｈｅｄｕｌｉｎｇ  ｒｅｑｕｅｓｔ）を含むＵＬ制御チャネルを資源領域＃１に伝送する場合、基地局は資源領域＃１で受信されたＵＬ制御チャネルに対する復号動作を遂行することができる。
【０３２４】
■ＳＲを含むＰＵＳＣＨの伝送方法
バッファ状態情報の報告のために、基地局は端末がＵＬデータ＃１（例えば、伝送ブロック）にバッファ状態情報をパッディング（ｐａｄｄｉｎｇ）することができるように十分な時間を割当することができる。しかし、ＵＬデータ＃１にバッファ状態情報をパッディングした後に新しいＵＬデータ＃２が発生した場合、端末はＵＬデータ＃２の存在をバッファ状態情報に反映できないことがある。また、ＵＬデータ＃１の再伝送手続きで該当ＵＬデータ＃１はそのまま伝送されるため、端末はＵＬデータ＃２が発生したにも関わらず、再伝送するＵＬデータ＃１がマッピングされるＵＬデータチャネルにはＵＬデータ＃２の存在が反映されたバッファ状態情報をマッピングすることができない。
【０３２５】
このような問題を解決するために、端末の物理階層（例えば、物理階層の機能を遂行するエンティティ（ｅｎｔｉｔｙ））はＵＬデータ＃２の存在を基地局に通知することができなければならない。ＵＬデータチャネル＃１はＵＬデータ＃１のみ含むことができ、ＵＬデータ＃２はＵＬデータチャネル＃１にマッピングされなくてもよい。基地局はＵＬデータ＃２のための資源割当情報を含むＤＬ制御チャネルを端末に伝送することができる。端末はＤＬ制御チャネルによって指示されるＵＬデータチャネル＃２でＵＬデータ＃２および変更されたバッファ状態情報を伝送することができる。
【０３２６】
図２９は、通信システムにおけるＵＬ伝送方法の第１３実施例を図示した概念図である。
【０３２７】
図２９を参照すると、ＳＲ（ｓｃｈｅｄｕｌｉｎｇ  ｒｅｑｕｅｓｔ）およびＵＬデータは一つのＵＬデータチャネル（例えば、ＰＵＳＣＨ）を通じて伝送され得る。ＳＲはＵＬ制御情報の一つと見なされるため、ＵＬデータチャネルを通じて伝送され得る。ＳＲを含むＵＬ制御チャネルの時間資源がＵＬデータチャネルの時間資源と重なる場合、ＳＲはＵＬ制御チャネルの代わりにＵＬデータチャネルにマッピングされ得る。例えば、ＳＲはペイロードに含まれ得、ペイロードはＵＬデータチャネルにマッピングされ得る。
【０３２８】
基地局は一つのＬＣＧ（ｌｏｇｉｃａｌ  ｃｈａｎｎｅｌ  ｇｒｏｕｐ）に該当するＳＲを、上位階層シグナリングを使って端末に設定することができる。この場合、端末は上位階層シグナリングによって設定された特定ＳＲをＵＬデータチャネルにマッピングすることができる。または別途の上位階層シグナリングなしに、時間軸でＫ個のＳＲが対応したＫ個のＵＬ制御チャネルそれぞれがＵＬデータチャネルと重なる場合に、端末は最も高い順位に該当するＳＲをＵＬデータチャネルにマッピングすることができる。天井関数（ｌｏｇ２（Ｋ＋１））個のビットをＵＬデータチャネルでペイロードに含むことによって発生したＳＲ（ｐｏｓｉｔｉｖｅ  ＳＲ）のインデックスは表現され得る。０でのみ構成されたビットマップはＫ個のＳＲ中にすべてのＳＲが発生しないこと（ｎｅｇａｔｉｖｅ  ＳＲ）を意味し得る。
【０３２９】
または端末はこのようなＫ個のＳＲのうち一部に該当するＫ以下のＬ個のＳＲのみをＵＬデータチャネルにマッピングすることができる。例えば、Ｌに該当する天井関数（ｌｏｇ２（Ｌ＋１））はＵＬデータチャネルでペイロードに含まれ得る。この場合、基地局はＬを含む上位階層メッセージを端末に伝送することができる。端末は基地局から上位階層メッセージを受信することができ、上位階層メッセージに含まれたＬを確認することができる。ＫおよびＬそれぞれは１以上の整数であり得る。
【０３３０】
√  ＳＲを資源要素にマッピングする方法＃１
端末は既存ＵＬ制御情報と同一にＳＲを資源要素にマッピングすることができる。ＳＲ（例えば、１個、Ｌ個、またはＫ個のＳＲ）と他の情報（例えば、ＨＡＲＱ応答、ＣＳＩ部分１、および／またはＣＳＩ部分２）を含むＵＬ制御情報の大きさが１ビットまたは２ビットである場合、端末はＵＬ制御情報をＵＬデータチャネルにマッピングするためにＵＬデータチャネルで伝送ブロックをパンクチャリングすることができる。ＳＲ（例えば、１個、Ｌ個、またはＫ個のＳＲ）と他の情報（例えば、ＨＡＲＱ応答、ＣＳＩ部分１、および／またはＣＳＩ部分２）を含むＵＬ制御情報の大きさが３ビット以上の場合、端末はＵＬ制御情報をＵＬデータチャネルにマッピングするためにＵＬデータチャネルで伝送ブロックに対するレートマッチング（ｒａｔｅ  ｍａｔｃｈｉｎｇ）動作を遂行することができる。
【０３３１】
√  ＳＲを資源要素にマッピングする方法＃２
ＳＲ（例えば、１個、Ｌ個、またはＫ個のＳＲ）を除いた他の情報（例えば、ＨＡＲＱ応答、ＣＳＩ部分１、および／またはＣＳＩ部分２）の大きさが１ビットまたは２ビットである場合、端末はＵＬ制御情報をＵＬデータチャネルにマッピングするためにＵＬデータチャネルで伝送ブロックをパンクチャリングすることができる。ＳＲ（例えば、１個、Ｌ個、またはＫ個のＳＲ）を除いた他の情報（例えば、ＨＡＲＱ応答、ＣＳＩ部分１、および／またはＣＳＩ部分２）の大きさが３ビット以上の場合、端末はＵＬ制御情報をＵＬデータチャネルにマッピングするためにＵＬデータチャネルで伝送ブロックに対するレートマッチング動作を遂行することができる。
【０３３２】
端末はＳＲの存在に関わらず他の情報（例えば、ＨＡＲＱ応答、ＣＳＩ部分１、および／またはＣＳＩ部分２）をＵＬデータチャネルにマッピングすることができ、その後に伝送ブロック（例えば、ＵＬデータ）をＵＬデータチャネルにマッピングすることができる。ＳＲ伝送のために別途の資源要素が割当され得る。ＳＲ伝送のための資源要素の個数は下記の方法に基づいて決定され得る。
【０３３３】
端末はあらかじめ設定された時点前にＳＲ伝送の有無が分からないため、他のＵＬ制御情報または伝送ブロックをＵＬデータチャネルにマッピングする前にＳＲを表現できるビットの個数またはＳＲがマッピングされる資源要素の個数を決定することができる。その後に端末はレートマッチング動作を遂行することによって他のＵＬ制御情報または伝送ブロックをＵＬデータチャネルにマッピングすることができる。
【０３３４】
ＳＲは参照信号が位置したシンボル以後のシンボル上の資源要素にマッピングされ得る。ＳＲがマッピングされた資源要素は周波数軸で連続しなくてもよい。他のＵＬ制御情報および伝送ブロックは参照信号が位置したシンボル以後のシンボル上の資源要素にマッピングされなくてもよい。または伝送ブロックは参照信号が位置したシンボル以後のシンボル上の資源要素にマッピングされてもよい。下記の実施例において、ＵＬ制御情報および伝送ブロックのマッピング方法が説明される。
【０３３５】
ＳＲ（例えば、１個、Ｌ個、またはＫ個のＳＲ）を除いた他の情報（例えば、ＨＡＲＱ応答、ＣＳＩ部分１、および／またはＣＳＩ部分２）と伝送ブロックがＵＬデータチャネルにマッピングされた後に、ＳＲはＵＬデータチャネルにマッピングされ得る。この場合、ＳＲのマッピング方法はＳＲが占める資源要素の個数により変わり得る。例えば、ＳＲをマッピングする資源要素の個数が特定値以下である場合のマッピング方法は、ＳＲをマッピングする資源要素の個数が特定値を超過する場合のマッピング方法と異なり得る。
【０３３６】
ＳＲをマッピングする資源要素の個数が特定値（例えば、２ビット）以下である場合、ＳＲは伝送ブロックが占有している資源要素にマッピングされ得る。ＳＲをマッピングする資源要素の個数が特定値（例えば、２ビット）を超過する場合、ＳＲは伝送ブロックが占有していない資源要素にマッピングされ得る。ここで、特定値は上位階層シグナリングによって端末に設定され得る。または基地局は特定値を含むＵＬグラントを端末に伝送することができる。または特定値は基地局および端末が知っている技術規格にあらかじめ定義され得る。
【０３３７】
他のＵＬ制御情報（例えば、ＨＡＲＱ応答、ＣＳＩ部分１、および／またはＣＳＩ部分２）および伝送ブロックがマッピングされる開始位置（例えば、開始資源要素）は特定値により変更され得る。ＳＲをマッピングするために他のＵＬ制御情報または伝送ブロックがパンクチャリングされる場合、他のＵＬ制御情報の符号化率または伝送ブロックの符号化率は変更されなくてもよい。ＳＲを伝送するために一部の資源要素がパンクチャリングされるため、基地局で受信エラー率は増加し得る。ＳＲを伝送するために、再伝送が可能な伝送ブロックがマッピングされた資源要素がパンクチャリングされることが好ましい。
【０３３８】
図３０は、通信システムにおけるＵＬ制御情報のマッピング方法の第６実施例を図示した概念図である。
【０３３９】
図３０を参照すると、端末は開始資源要素を決定することができ、開始資源要素から他のＵＬ制御情報（例えば、ＨＡＲＱ応答、ＣＳＩ部分１、および／またはＣＳＩ部分２）および伝送ブロックをマッピングすることができる。伝送ブロックはＳＲの伝送のために使われる資源要素にマッピングされ得る。または伝送ブロックはＳＲの伝送のために使われる資源要素にマッピングされなくてもよい。端末はＳＲの伝送のために使われる資源要素に伝送ブロックの代わりに符号化されたＳＲをマッピングすることができる。ＳＲの伝送のために使われる資源要素の個数はＵＬデータチャネルにマッピングしようとするＳＲの個数およびＳＲをマッピングする資源要素の個数に基づいて決定され得る。
【０３４０】
√  ＳＲの符号化率の決定方法
ＵＬ制御情報をＵＬデータチャネルにマッピングする手続きにおいて、端末はＵＬ制御情報を符号化するために資源要素の個数Ｑ’を導き出すことができる。端末はＱ’に基づいてＵＬ制御情報の符号化率を決定することができる。Ｑ’はＤＣＩ（例えば、ＵＬグラント）または上位階層メッセージを通じて基地局から端末に伝送され得る。ＵＬデータチャネルが伝送ブロック（例えば、ＵＬデータ）を含む場合、端末は下記の数式６〜数式８に基づいてＱ’を計算することができる。
【０３４１】
【数６】
2021520707.tif 000011
【数７】
2021520707.tif 000012
【０３４２】
【数８】
2021520707.tif 000013
【０３４３】
Ｑ’はＵＬ制御情報の種類によって異なって定義され得る。Ｑ’ＡＣＫはＨＡＲＱ応答がマッピングされる資源要素の個数を指示することができる。Ｑ’ＣＳＩ−１はＣＳＩ部分１がマッピングされる資源要素の個数を指示することができる。Ｑ’ＣＳＩ−２はＣＳＩ部分２がマッピングされる資源要素の個数を指示することができる。
ＵＬデータチャネルが伝送ブロック（例えば、ＵＬデータ）を含まない場合、端末は下記の数式９〜数式１２に基づいてＱ’を計算することができる。
【０３４４】
【数９】
2021520707.tif 000014
【０３４５】
【数１０】
2021520707.tif 000015
【０３４６】
【数１１】
2021520707.tif 000016
【０３４７】
【数１２】
2021520707.tif 000017
【０３４８】
基地局は候補Ｑ’を指示するリストを含む上位階層メッセージを伝送することができ、リストに含まれた候補Ｑ’のうち一つのＱ’を指示する情報を含むＤＣＩ（例えば、ＵＬグラント）を伝送することができる。端末は基地局から上位階層メッセージを受信することによって候補Ｑ’を指示するリストを確認することができ、候補Ｑ’のうち一つのＱ’を指示するＤＣＩ（例えば、ＵＬグラント）を基地局から受信することができる。したがって、端末は上位階層メッセージおよびＤＣＩを通じてＵＬ制御情報がマッピングされる資源要素の個数Ｑ’を確認することができる。
【０３４９】
提案される方法で端末はＳＲがマッピングされた資源要素の個数Ｑ’ＳＲを導き出すことができる。端末はＱ’ＳＲに基づいてＳＲの符号化率を決定することができ、決定された符号化率に基づいてＳＲを符号化することができる。Ｑ’ＳＲを決定するために、端末はＳＲの符号化率が異なるＵＬ制御情報（例えば、ＨＡＲＱ応答、ＣＳＩ部分１、ＣＳＩ部分２）の符号化率中の一つの値と同一のものと仮定することによってＵＬグラントによって指示される情報を再使用することができる。
【０３５０】
ＳＲと異なるＵＬ制御情報（例えば、ＨＡＲＱ応答、ＣＳＩ部分１、ＣＳＩ部分２）をＵＬデータチャネルにマッピングするために、端末はＵＬ制御情報のうちあらかじめ定めた一つのＵＬ制御情報が有する比率βとＳＲには同じ比率βを使ってＵＬデータチャネルに対するパンクチャリング動作またはレートマッチング動作を遂行することができる。この場合、チャネル情報（例えば、ＣＳＩ部分１および／またはＣＳＩ部分２）がマッピングされる資源要素の最大値は変更され得、これらの最大値はＳＲがマッピングされる資源要素の個数およびＨＡＲＱ応答がマッピングされる資源要素の個数を引いた残りの値で計算され得る。例えば、残りの値は下記の数式１３に基づいて計算され得る。
【０３５１】
【数１３】
2021520707.tif 000018
【０３５２】
一方、一つのコードブロック（ｃｏｄｅ  ｂｌｏｃｋ）はＳＲおよび他のＵＬ制御情報（例えば、ＨＡＲＱ応答、ＣＳＩ部分１、ＣＳＩ部分２）をすべて含むことができる。またはＳＲが含まれたコードブロックは他のＵＬ制御情報（例えば、ＨＡＲＱ応答、ＣＳＩ部分１、ＣＳＩ部分２）が含まれたコードブロックと異なり得る。例えば、ＳＲはＨＡＲＱ応答と共に符号化され得る。またはＳＲはＨＡＲＱ応答およびＣＳＩ部分１と共に符号化され得る。またはＳＲはＨＡＲＱ応答またはＣＳＩ部分１と独立的に符号化され得る。
【０３５３】
Ｑ’ＳＲを決定するために提案される方法で、ＳＲがマッピングされる資源要素の個数に対する比率は他のＵＬ制御情報がマッピングされる資源要素の個数に対する比率と異なって設定され得る。例えば、ＳＲを除いた他のＵＬ制御情報はｅＭＢＢサービスを支援するために発生したＵＬ制御情報であり得、ＳＲはＵＲＬＬＣサービスを支援するために発生したＵＬ制御情報であり得る。したがって、ＳＲの符号化率は他のＵＬ制御情報の符号化率と異なり得る。基地局がＳＲの符号化率を端末に通知するための方法が必要となり得る。ＳＲは他のＵＬ制御情報とともに符号化され得る。この場合、ＳＲおよび他のＵＬ制御情報は同じコードブロックに含まれ得る。またはＳＲおよび他のＵＬ制御情報それぞれは独立的に符号化されることによって、ＳＲが含まれたコードブロックは他のＵＬ制御情報が含まれたコードブロックと異なり得る。
【０３５４】
提案される方法で、基地局は上位階層シグナリングによって設定された資源要素の個数に対する比率γを使ってＳＲがマッピングされる資源要素の個数を導き出すことができる。端末は上位階層シグナリングによって設定された比率γを使ってＳＲを符号化することができ、符号化されたＳＲを資源要素にマッピングすることができる。ここで、基地局が端末に設定する比率γの個数は一つ以上であり得る。万一、二つ以上の比率γが設定された場合、二つ以上の比率γのうち一つの値はＵＬグラントに含まれたフィールドによって指示され得る。ＵＬグラントが一つの比率γを指示するフィールドを含まない場合、端末はあらかじめ設定された比率γを使うことができる。
【０３５５】
そして、端末はＵＬグラントによって指示される比率βまたは上位階層シグナリングによって設定された比率βを使ってＳＲを除いた他のＵＬ制御情報を符号化することができ、符号化された他のＵＬ制御情報を資源要素にマッピングすることができる。ＵＬデータチャネルがＳＲを除いた他のＵＬ制御情報を含まない場合、端末は上位階層シグナリングによって設定された比率γを使ってＳＲを符号化することができ、符号化されたＳＲを資源要素にマッピングすることができる。
【０３５６】
提案される他の方法で、基地局はＳＲがマッピングされる資源要素の個数に対する比率を定義するためにＳＲを除いた他のＵＬ制御情報を特定することができ、ＳＲがマッピングされる資源要素の個数に対する比率を他のＵＬ制御情報がマッピングされる資源要素の個数に対する比率の相対的な値δで定義することができる。基地局はδを含む上位階層メッセージを端末に伝送することができる。
【０３５７】
端末は基地局から上位階層メッセージを受信することによってδを確認することができ、δをＵＬグラントによって指示されるβと加えることによってＳＲがマッピングされる資源要素の個数に対する比率である「β＋δ」を導き出すことができる。βを指示するＵＬグラントが受信されなかった場合、端末は上位階層シグナリングによって設定されたβおよびδに基づいて「β＋δ」を導き出すことができ、「β＋δ」を使ってＳＲを符号化することができ、符号化されたＳＲを資源要素にマッピングすることができる。ここで、ＳＲは他のＵＬ制御情報とともに符号化され得る。この場合、ＳＲおよび他のＵＬ制御情報は同じコードブロックに含まれ得る。またはＳＲおよび他のＵＬ制御情報それぞれは独立的に符号化されることによって、ＳＲが含まれたコードブロックは他のＵＬ制御情報が含まれたコードブロックと異なり得る。
【０３５８】
√  ＳＲに適用される符号化方式
時間軸でＫ個のＳＲが対応するＵＬ制御チャネルがＵＬデータチャネルと重なる場合、端末は天井関数（ｌｏｇ２（Ｋ＋１））個のビットまたは天井関数（ｌｏｇ２（Ｌ＋１））個のビットを伝送することができる。ここで、ＫはＬ以上であり得る。この場合、端末が使用可能な資源要素の個数はＱ’で表現され得る。ＳＲは１ビットまたは２ビットを使って表現され得る。ＳＲは変調化率により拡散し得、拡散符号は１のみで構成され得る。例えば、拡散符号は「１１１１１・・・１１」であり得る。
【０３５９】
■ＨＡＲＱ応答コードブックのトゥリゴリン方法
互いに異なる信頼度要求事項を有するサービス（例えば、ｅＭＢＢサービス、ＵＲＬＬＣサービス）を支援するために、端末はサービス別に独立的なＵＬ制御情報を生成することができる。特に、端末がｅＭＢＢサービスおよびＵＲＬＬＣサービスを支援する場合、ｅＭＢＢサービスのためのコードブック（例えば、ＤＬデータチャネルに対するＨＡＲＱ応答の多重化のために使われるコードブック）はＵＲＬＬＣサービスのためのコードブック（例えば、ＤＬデータチャネルに対するＨＡＲＱ応答の多重化のために使われるコードブック）と区別され得る。
【０３６０】
端末は互いに異なる信頼度要求事項を有するＤＬ伝送を支援する場合、ＨＡＲＱ応答コードブックは各サービスのＤＬデータに対するＨＡＲＱ応答で構成され得る。また、ｅＭＢＢサービスのためのコードブックの優先順位はＵＲＬＬＣサービスのためのコードブックの優先順位と異なり得る。ＨＡＲＱ応答コードブックの優先順位は該当ＨＡＲＱ応答に関連したＤＬデータの優先順位により決定され得る。例えば、ＨＡＲＱ応答コードブックの優先順位はＤＬデータの伝送要求事項（例えば、信頼度、エラー率、遅延時間など）に基づいて決定され得る。
【０３６１】
基地局はＨＡＲＱ応答コードブックの優先順位（例えば、ＤＬデータの優先順位）を、上位階層シグナリングを使って端末に設定することができる。またはＨＡＲＱ応答コードブックの優先順位（例えば、ＤＬデータの優先順位）は基地局および端末が知っている技術規格に定義され得る。端末は優先順位によりＨＡＲＱ応答コードブックを多重化でき、多重化されたＨＡＲＱ応答コードブックを一つのＵＬチャネル（例えば、ＵＬデータチャネルまたはＵＬ制御チャネル）にマッピングすることができる。または端末は優先順位によりＨＡＲＱ応答コードブックのうち一つのＨＡＲＱ応答コードブック（例えば、最も高い優先順位を有するＨＡＲＱ応答コードブック）を選択することができ、選択されたＨＡＲＱ応答コードブックを一つのＵＬチャネル（例えば、ＵＬデータチャネルまたはＵＬ制御チャネル）にマッピングすることができる。
【０３６２】
端末はＤＬデータの優先順位の代わりに他の基準を使ってＨＡＲＱ応答コードブックのうち一つのＨＡＲＱ応答コードブックを選択することができる。ここで、端末はＤＬ制御チャネルを通じて受信されたＤＬデータの種類を確認することができる。例えば、基地局は互いに異なる伝送要求事項を有するＤＬデータ＃１−２を互いに異なるＤＬデータチャネル＃１−２を通じて伝送することができる。
【０３６３】
端末はＤＬデータチャネル＃１を通じてＤＬデータ＃１を受信することができ、その後にＤＬデータチャネル＃２を通じてＤＬデータ＃２を受信することができる。端末はＤＬデータ＃１−２の種類に基づいて優先順位を判断することができる。例えば、端末はＤＬデータ＃２の優先順位がＤＬデータ＃１の優先順位より高いものと判断することができる。端末はＤＬデータ＃１−２の優先順位に基づいてＨＡＲＱ応答コードブックのうち一つのＨＡＲＱ応答コードブックを選択することができる。
【０３６４】
提案される方法で、端末はＨＡＲＱ応答コードブックの優先順位を決定することができ、決定された優先順位に基づいてＨＡＲＱ応答コードブックのうち一つのＨＡＲＱ応答コードブックを選択することができる。端末は選択されたＨＡＲＱ応答コードブックを一つのＵＬチャネル（例えば、ＵＬデータチャネルまたはＵＬ制御チャネル）を通じて伝送することができる。端末によって選択されなかったＨＡＲＱ応答コードブックはＵＬチャネルを通じて伝送されなくてもよい。
【０３６５】
ＨＡＲＱプロセスに対するＨＡＲＱ応答コードブックが受信された場合、基地局は受信されたＨＡＲＱ応答コードブックに基づいて（再）伝送手続きを遂行することができる。または特定ＨＡＲＱプロセスに対するＨＡＲＱ応答コードブックが受信されなかった場合、基地局は下記で提案される方法を遂行することができる。
【０３６６】
提案される方法で、ＨＡＲＱプロセスＩＤ＃ｎに対するＨＡＲＱ応答コードブックが受信されなかった場合、基地局はＨＡＲＱプロセスＩＤ＃ｎに対するＨＡＲＱ応答がＮＡＣＫまたはＤＴＸであると仮定することができる。したがって、基地局はＨＡＲＱプロセスＩＤ＃ｎに対する再伝送手続きを遂行することができる。
【０３６７】
前記方法はＨＡＲＱ応答コードブックの大きさが小さい場合に適用され得る。基地局と端末間の通信がＣＡ（ｃａｒｒｉｅｒ  ａｇｇｒｅｇａｔｉｏｎ）方式またはＴＤＤ（ｔｉｍｅ  ｄｉｖｉｓｉｏｎ  ｄｕｐｌｅｘ）方式に基づいて遂行される場合、ＨＡＲＱ応答コードブックの大きさが大きくてもよく、ＨＡＲＱプロセスの個数が多くてもよい。この場合、再伝送手続きで多くの時間および周波数資源（例えば、ＤＬ資源）が必要となり得る。したがって、ＨＡＲＱ応答コードブックは劣悪な品質の無線チャネルのために受信できなかったものではないので、基地局はＨＡＲＱ応答コードブックの再伝送を端末に要請することができる。
【０３６８】
提案される他の方法で、基地局はＨＡＲＱ応答コードブックの伝送を要請する情報を端末に伝送することができる。端末は基地局の要請によりＨＡＲＱ応答コードブックをＵＬチャネル（例えば、ＵＬ制御チャネルまたはＵＬデータチャネル）を使って伝送することができる。この場合、ＨＡＲＱ応答コードブックは動的に伝送され得る。
【０３６９】
「互いに異なる３個のＤＬデータ＃１−３の伝送が支援される場合」または「互いに異なる２個のＤＬデータ＃１−２の伝送が支援され、ＤＬデータ＃１−２のうち一つのＤＬデータに対するＨＡＲＱ応答コードブックを再伝送する場合」に、端末が再伝送しなければならないＨＡＲＱ応答コードブックの個数は二個以上であり得る。
【０３７０】
提案される他の方法で、基地局は特定ＨＡＲＱ応答コードブックの伝送を要請する情報を端末に伝送することができる。例えば、基地局は、ＨＡＲＱ応答コードブックを識別するために使われる一つ以上のインデックスを、ＤＬ制御チャネルを通じて伝送することができる。端末はＤＬ制御チャネルを通じて一つ以上のインデックスを受信することができ、一つ以上のインデックスによってＨＡＲＱ応答コードブックを、ＵＬチャネルを通じて伝送することができる。
【０３７１】
ＨＡＲＱ応答コードブックの大きさが半固定的に設定された場合、端末によって再伝送されるＨＡＲＱ応答コードブックの大きさ（例えば、ＨＡＲＱ応答の全体の大きさ）はＤＬ制御チャネルを通じて受信されたインデックスに基づいて決定され得る。ＨＡＲＱ応答コードブックの大きさが動的に設定された場合、端末によって再伝送されるＨＡＲＱ応答コードブックの大きさ（例えば、ＨＡＲＱ応答の全体の大きさ）は不明確となり得る。ＨＡＲＱ応答コードブックを生成する手続きで端末がＨＡＲＱ応答コードブックの大きさを間違って知っている場合（例えば、端末が最後のＤＬ制御チャネルを受信できなかった場合）、ＨＡＲＱ応答コードブックの大きさは不明確となり得る。
【０３７２】
提案される他の方法で、基地局はすべてのＨＡＲＱ応答コードブックの伝送を要請する情報を端末に伝送することができる。この場合、ＨＡＲＱプロセスの個数に該当するすべてのＨＡＲＱ応答が伝送され得る。この方法はＨＡＲＱ応答コードブックの大きさが半固定的または動的に設定される場合にも適用され得る。したがって、端末が知っているＨＡＲＱ応答コードブックの大きさが基地局の知っているＨＡＲＱ応答コードブックの大きさと異なることによって発生する復調／復号手続きでの問題は解消され得る。
【０３７３】
ここで、ＵＬチャネル中にＵＬデータチャネルが受信された場合、基地局はＤＬ制御チャネル（例えば、ＵＬグラント）の特定フィールドでＨＡＲＱ応答を指示することができる。例えば、ＤＬ制御チャネル（例えば、ＵＬグラント）内の既存フィールドはＨＡＲＱ応答を指示する用途で活用され得る。またはＨＡＲＱ応答を指示する新しいフィールドがＤＬ制御チャネル（例えば、ＵＬグラント）に導入され得る。
【０３７４】
一つの実施例において、ＵＬグラントに含まれるフィールドのうち、伝送ブロックの代わりにＵＬ制御情報でのみＵＬデータチャネルを構成するように指示するフィールド（例えば、ＵＬ−ＳＣＨ  ｉｎｄｉｃａｔｏｒ）はＨＡＲＱ応答を指示するために使われ得る。ＵＬグラントに含まれた該当フィールド（例えば、ＵＬ−ＳＣＨ  ｉｎｄｉｃａｔｏｒ）が第１値で設定された場合、端末は伝送ブロックおよびＵＬ制御情報（例えば、ＣＳＩ、ＨＡＲＱ応答、またはＣＳＩ／ＨＡＲＱ応答）を含むＵＬデータチャネルを構成することができる。またはＵＬグラントに含まれた該当フィールド（例えば、ＵＬ−ＳＣＨ  ｉｎｄｉｃａｔｏｒ）が第２値で設定された場合、端末は伝送ブロックの代わりにＵＬ制御情報（例えば、ＣＳＩ、ＨＡＲＱ応答、またはＣＳＩ／ＨＡＲＱ応答）を含むＵＬデータチャネルを構成することができる。ＵＬグラントに含まれた該当フィールド（例えば、ＵＬ−ＳＣＨ  ｉｎｄｉｃａｔｏｒ）は０または１に設定され得る。
【０３７５】
ＣＢＧに対するフィールドが上位階層シグナリングによって端末に設定された場合、端末はＵＬグラント内のＣＢＧに対する指示子など（例えば、ＣＢＧＴＩ、ＣＢＧＦＩ）をＨＡＲＱ応答コードブックに対する指示子と解釈することができる。ＣＢＧに対する指示子はビットマップで構成され得、ビットマップ内の一つのビットはＨＡＲＱコードブックグループ（例えば、一つ以上のＨＡＲＱコードブックで構成されるグループ）の伝送の有無を指示することができる。端末は伝送ブロックの代わりにＵＬ制御情報でのみＵＬデータチャネルを構成することができ、一部のＨＡＲＱコードブックグループのみを伝送することができる。そしてＨＡＲＱコードブックグループの伝送のために、ＵＬグラントの既存フィールド（例えば、ＣＢＧの伝送指示子）が再使用され得る。
【０３７６】
他の実施例において、ＨＡＲＱ応答がＵＬデータチャネルに含まれることを指示するフィールドがＵＬグラントに新しく導入され得る。ＵＬグラントに含まれた新しいフィールドが第１値で設定された場合、端末は伝送ブロックおよびＨＡＲＱ応答を含むＵＬデータチャネルを構成することができる。反面、ＵＬグラントに含まれた新しいフィールドが第２値で設定された場合、端末は伝送ブロックの代わりにＨＡＲＱ応答を含むＵＬデータチャネルを構成することができる。例えば、ＨＡＲＱ応答がＵＬデータチャネルに含まれることを指示するフィールドは０または１と設定され得る。
【０３７７】
本発明に係る方法は多様なコンピュータ手段を通じて遂行され得るプログラム命令の形態で具現されてコンピュータ読み取り可能媒体に記録され得る。コンピュータ読み取り可能媒体はプログラム命令、データファイル、データ構造などを単独でまたは組み合わせて含むことができる。コンピュータ読み取り可能媒体に記録されるプログラム命令は本発明のために特別に設計されて構成されたものであるか、コンピュータソフトウェア当業者に公知になっている使用可能なものでもよい。
【０３７８】
コンピュータ読み取り可能媒体の例にはロム（ｒｏｍ）、ラム（ｒａｍ）、フラッシュメモリ（ｆｌａｓｈ  ｍｅｍｏｒｙ）等のようにプログラム命令を保存し遂行するように特別に構成されたハードウェア装置が含まれる。プログラム命令の例にはコンパイラ（ｃｏｍｐｉｌｅｒ）により作られるような機械語コードだけでなく、インタープリタ（ｉｎｔｅｒｐｒｅｔｅｒ）等を使ってコンピュータによって実行され得る高級言語コードを含む。前述したハードウェア装置は本発明の動作を遂行するために少なくとも一つのソフトウェアモジュールで作動するように構成され得、その逆も同じである。
【０３７９】
以上、実施例を参照して説明したが、該当技術分野の熟練した当業者は下記の特許請求の範囲に記載された本発明の思想および領域から逸脱しない範囲内で本発明を多様に修正および変更できることが理解できるであろう。
【図１】
2021520707.tif 000019
【図２】
2021520707.tif 000020
【図３】
2021520707.tif 000021
【図４】
2021520707.tif 000022
【図５】
2021520707.tif 000023
【図６】
2021520707.tif 000024
【図７】
2021520707.tif 000025
【図８】
2021520707.tif 000026
【図９】
2021520707.tif 000027
【図１０】
2021520707.tif 000028
【図１１】
2021520707.tif 000029
【図１２】
2021520707.tif 000030
【図１３】
2021520707.tif 000031
【図１４】
2021520707.tif 000032
【図１５】
2021520707.tif 000033
【図１６】
2021520707.tif 000034
【図１７】
2021520707.tif 000035
【図１８】
2021520707.tif 000036
【図１９】
2021520707.tif 000037
【図２０】
2021520707.tif 000038
【図２１】
2021520707.tif 000039
【図２２】
2021520707.tif 000040
【図２３】
2021520707.tif 000041
【図２４】
2021520707.tif 000042
【図２５】
2021520707.tif 000043
【図２６】
2021520707.tif 000044
【図２７】
2021520707.tif 000045
【図２８】
2021520707.tif 000046
【図２９】
2021520707.tif 000047
【図３０】
2021520707.tif 000048
【国際調査報告】
2021520707.tif 000049
2021520707.tif 000050
2021520707.tif 000051
2021520707.tif 000052
2021520707.tif 000053
2021520707.tif 000054